(57)【特許請求の範囲】
【請求項１】
予め登録してあるコンピュータによって実行されるヘルスケア情報環境でレジメンへのアドヒアランスを管理する方法であって、
対象生体によって摂取される該当する用量の薬の内部に埋め込まれたマーカから検出された薬摂取情報を含む第１の無線伝送を、プロセッサと、該プロセッサに連結されたメモリと、前記プロセッサに連結されたディスプレイとを備えたモバイルデバイスで、前記対象生体の身体に連結された一又は複数の着用可能な無線受信器から自動的に受信することと、前記用量の薬が前記対象生体によって摂取されると前記薬摂取情報を前記モバイルデバイスで継続的に受信することと、
前記薬摂取情報を含む第２の無線伝送を、バックエンドコンピュータ処理システムに自動的に送信することと、
前記バックエンドコンピュータ処理システムにあるコンピュータから、該コンピュータに送信された薬摂取情報に少なくとも部分的に基づいて所定の期間に亘る前記対象生体の挙動を特徴付ける個人情報ストリームを受信することと、
前記ディスプレイにグラフィカルユーザインタフェース画面を表示することと、
前記グラフィカルユーザインタフェース画面内に、前記個人情報ストリームに少なくとも部分的に基づいた活動タイムラインの表示に対応する少なくとも１つのグラフィカルユーザインタフェース要素を有する複数の選択可能なグラフィカルユーザインタフェース要素を表示して、前記複数の選択可能なグラフィカルユーザインタフェース要素から１つを選択することにより、前記グラフィカルユーザインタフェース画面に前記対象生体に関連した情報を表示させることと、
前記モバイルデバイスによって、少なくとも１つのグラフィカルユーザインタフェース要素を選択する入力を受けることと、
前記少なくとも１つのグラフィカルユーザインタフェース要素を選択する入力に応じて、前記グラフィカルユーザインタフェース画面内に、前記所定の期間に亘る前記対象生体の活動レベルを示す活動リボンを有する前記活動タイムラインを表示することと、
前記グラフィカルユーザインタフェース画面内に、前記活動リボン及び前記活動タイムラインに対して薬の摂取を表示することと
を含み、
前記グラフィカルユーザインタフェース画面は、計画された服用時間に対する実際の服用時間が前記グラフィカルユーザインタフェース画面によって視覚的に相互に関連付けられるように、前記活動タイムラインに沿って、計画された服用時間を１組のアイコンとして、前記薬摂取情報に基づく実際に検出された薬の摂取時間を別の組のアイコンとして表示することを特徴とする方法。
【請求項２】
前記所定の期間に亘って前記対象生体の活動レベルを継続的に追跡することと、
前記活動リボンを表示することと
を含むことを特徴とする請求項１に記載の方法。
【請求項３】
前記活動リボンにコメント吹き出しを表示することを更に含むことを特徴とする請求項１に記載の方法。
【請求項４】
第２の活動レベルが予測される場合、第１の活動レベルを示すために、前記活動リボン内にサブ活動要素を表示することを更に含むことを特徴とする請求項１に記載の方法。
【請求項５】
前記複数の選択可能なグラフィカルユーザインタフェース要素は、前記個人情報ストリームに基づいた服用タイムラインの表示に対応する少なくとも１つの他のグラフィカルユーザインタフェース要素を有し、
前記方法は、
前記モバイルデバイスによって、前記少なくとも１つの他のグラフィカルユーザインタフェース要素を選択する入力を受けることと、
前記少なくとも１つの他のグラフィカルユーザインタフェース要素を選択する入力に応じて、前記グラフィカルユーザインタフェース画面内に、所定の期間に亘って前記対象生体によって薬が摂取されたときを示す前記服用タイムラインを表示することと
を更に含むことを特徴とする請求項１に記載の方法。
【請求項６】
前記所定の期間に亘って前記服用タイムラインを追跡することと、
服用事象を表示することと
を含むことを特徴とする請求項５に記載の方法。
【請求項７】
前記服用タイムラインにコメント吹き出しを表示することを更に含むことを特徴とする請求項５に記載の方法。
【請求項８】
前記複数の選択可能なグラフィカルユーザインタフェース要素は、前記個人情報ストリームに基づいた前記対象生体の身体活動傾向の表示に対応する少なくとも１つの他のグラフィカルユーザインタフェース要素を有し、
前記方法は、
前記モバイルデバイスによって、前記少なくとも１つの他のグラフィカルユーザインタフェース要素を選択する入力を受けることと、
前記少なくとも１つの他のグラフィカルユーザインタフェース要素を選択する入力に応じて、前記グラフィカルユーザインタフェース画面内に、第１の所定の期間に亘る身体活動レベルを有して第２の所定の期間に及ぶ身体活動傾向タイムラインを表示することと
を更に含むことを特徴とする請求項１に記載の方法。
【請求項９】
前記第１の所定の期間は１日２４時間であり、前記第２の所定の期間は１週間であり、
前記方法は、
２４時間に亘る前記身体活動レベルを示すための棒グラフ要素を表示することと、
１週間に亘る更なる２４時間毎の該当する身体活動レベルを示す更なる棒グラフ要素を、１週間に亘って更なる２４時間毎に表示することと
を更に含むことを特徴とする請求項８に記載の方法。
【請求項１０】
前記第１の所定の期間は１日２４時間であり、前記第２の所定の期間は１週間であり、
前記方法は、
２４時間に亘って前記対象生体が歩いた歩数を示すためにアイコン要素を表示することと、
１週間に亘って更なる２４時間毎に前記対象生体が歩いた該当する歩数を示すアイコン要素を、１週間に亘って更なる２４時間毎に表示することと
を更に含むことを特徴とする請求項８に記載の方法。
【請求項１１】
前記複数の選択可能なグラフィカルユーザインタフェース要素は、前記個人情報ストリームに基づいた前記対象生体の服用傾向の表示に対応する少なくとも１つの他のグラフィカルユーザインタフェース要素を有し、
前記方法は、
前記モバイルデバイスによって、前記少なくとも１つの他のグラフィカルユーザインタフェース要素を選択する入力を受けることと、
前記少なくとも１つの他のグラフィカルユーザインタフェース要素を選択する入力に応じて、前記グラフィカルユーザインタフェース画面内に服用傾向タイムラインを表示することと
を更に含み、
前記服用傾向タイムラインは、前記対象生体によって摂取された薬の数と第１の所定の期間に亘る前記薬の摂取に関連したタイムスタンプとを有し、第２の所定の期間に及ぶことを特徴とする請求項１に記載の方法。
【請求項１２】
前記第１の所定の期間は１日２４時間であり、前記第２の所定の期間は１週間であり、
前記方法は、
２４時間に亘って前記対象生体によって前記薬が摂取されたときを示すための要素を表示することと、
１週間に亘って更なる２４時間毎に前記対象生体によって前記薬が摂取された該当する時間を示す更なる要素を、１週間に亘って更なる２４時間毎に表示することと
を更に含むことを特徴とする請求項１１に記載の方法。
【請求項１３】
前記要素に、同時に摂取された薬の数を表示することを更に含むことを特徴とする請求項１１に記載の方法。
【請求項１４】
前記要素に、メモを表示することを更に含むことを特徴とする請求項１１に記載の方法。
【請求項１５】
前記複数の選択可能なグラフィカルユーザインタフェース要素は、前記受信器の構成、初期設定、管理及び交換の表示に対応する少なくとも１つの他のグラフィカルユーザインタフェース要素を有し、
前記方法は、
前記モバイルデバイスによって、前記少なくとも１つの他のグラフィカルユーザインタフェース要素を選択する入力を受けることと、
前記少なくとも１つの他のグラフィカルユーザインタフェース要素を選択する入力に応じて、前記グラフィカルユーザインタフェース画面内にボタン要素を表示することと
を更に含むことを特徴とする請求項１に記載の方法。
【請求項１６】
前記受信器、モバイルデバイス及びバックエンドコンピュータ処理システムの動作の試験に関連する前記ボタン要素に関連した第２の入力を、前記モバイルデバイスによって受けることと、
前記第２の入力に応じて、前記受信器、前記モバイルデバイス及び前記バックエンドコンピュータ処理システムの動作を試験することと
を更に含むことを特徴とする請求項１５に記載の方法。
【請求項１７】
前記受信器の交換に関連する前記ボタン要素に関連した第２の入力を、前記モバイルデバイスによって受けることと、
前記第２の入力に応じて、前記受信器を交換することと
を更に含むことを特徴とする請求項１５に記載の方法。
【請求項１８】
前記複数の選択可能なグラフィカルユーザインタフェース要素は、招待、及び少なくとも１人の被招待者と共有されるデータの制御等のデータ共有機能の管理及び制御に対応する少なくとも１つの他のグラフィカルユーザインタフェース要素を有し、
前記方法は、
前記モバイルデバイスによって、前記少なくとも１つの他のグラフィカルユーザインタフェース要素を選択する入力を受けることと、
前記少なくとも１つの他のグラフィカルユーザインタフェース要素を選択する入力に応じて、前記少なくとも１人の被招待者に関連した要素と、前記少なくとも１人の被招待者に関連して活動タイムライン要素、活動傾向チャート要素及び服用タイムライン要素のうちのいずれかに相当する少なくとも１つの選択要素とを有する管理共有画面を前記グラフィカルユーザインタフェース画面内に表示することと、
前記モバイルデバイスによって、前記被招待者に関連した前記要素のうちの１つの選択に関連した第２の入力を受けることと、
該第２の入力に応じて、前記少なくとも１人の被招待者に関連した前記要素のうちの１つを選択することと、
前記選択された要素に関連したデータを共有するために前記少なくとも１人の被招待者に招待案内を送信することと
を更に含むことを特徴とする請求項１に記載の方法。
【請求項１９】
前記モバイルデバイスによって、前記少なくとも１人の被招待者から、前記対象生体に関連した個人コードを含む通信を受信することと、
前記個人コードが受信され、前記バックエンドコンピュータ処理システムによって確認された場合にのみ、前記選択された要素に関連したデータの共有を可能にすることと
を更に含むことを特徴とする請求項１８に記載の方法。
【請求項２０】
摂取可能なデバイスから通信を受信することを更に含むことを特徴とする請求項１に記載の方法。
【請求項２１】
予め登録してあるコンピュータによって実行されるヘルスケア情報環境でレジメンへのアドヒアランスを管理するためのシステムであって、
プロセッサと、該プロセッサに連結されたメモリと、前記プロセッサに連結されたディスプレイとを備えたモバイルデバイスを備えており、
該モバイルデバイスは、
対象生体によって摂取される該当する用量の薬の内部に埋め込まれたマーカから検出された薬摂取情報を含む第１の無線伝送を、前記対象生体の身体に連結された一又は複数の着用可能な無線受信器から自動的に受信して、前記用量の薬が前記対象生体によって摂取されると前記薬摂取情報を継続的に受信し、
前記第１の無線伝送の自動的な受信に応じて、前記薬摂取情報を無線ネットワークを介してバックエンドコンピュータ処理システムにあるコンピュータに自動的に無線通信し、
受信した前記薬摂取情報に少なくとも部分的に基づいて所定の期間に亘る前記対象生体の挙動を特徴付ける個人情報ストリームを、前記バックエンド処理システムにある前記コンピュータから受信し、
前記ディスプレイにグラフィカルユーザインタフェース画面を表示し、
前記グラフィカルユーザインタフェース画面内に、前記個人情報ストリームに少なくとも部分的に基づいた活動タイムラインの表示に対応する少なくとも１つのグラフィカルユーザインタフェース要素を有する複数の選択可能なグラフィカルユーザインタフェース要素を表示して、前記複数の選択可能なグラフィカルユーザインタフェース要素から１つを選択することにより、前記グラフィカルユーザインタフェース画面に前記対象生体に関連した情報を表示させ、
少なくとも１つのグラフィカルユーザインタフェース要素を選択する入力を受けて、
前記少なくとも１つのグラフィカルユーザインタフェース要素を選択する入力に応じて、前記グラフィカルユーザインタフェース画面内に、前記所定の期間に亘る前記対象生体の活動レベルを示す活動リボンを有する前記活動タイムラインを表示し、
前記グラフィカルユーザインタフェース画面内に、前記活動リボン及び前記活動タイムラインに対して薬の摂取を表示する
ように構成されており、
前記グラフィカルユーザインタフェース画面は、計画された服用時間に対する実際の服用時間が前記グラフィカルユーザインタフェース画面によって視覚的に相互に関連付けられるように、前記活動タイムラインに沿って、計画された服用時間を１組のアイコンとして、実際に検出された薬の摂取時間を別の組のアイコンとして表示することを特徴とするシステム。
【請求項２２】
対象によって摂取される該当する用量の薬の内部に埋め込まれたマーカから検出された薬摂取情報を含む第１の無線伝送を、プロセッサと、該プロセッサに連結されたメモリと、前記プロセッサに連結されたディスプレイとを備えたモバイルデバイスで、前記対象の身体に連結された一又は複数の着用可能な無線受信器から自動的に受信して、前記用量の薬が前記対象によって摂取されると前記薬摂取情報を前記モバイルデバイスで継続的に受信するステップと、
前記第１の無線伝送の自動的な受信に応じて、前記薬摂取情報を含む第２の無線伝送をコンピュータに自動的に送信するステップと、
前記コンピュータから、該コンピュータに送信された薬摂取情報に少なくとも部分的に基づいて所定の期間に亘る前記対象の挙動を特徴付ける個人情報ストリームを受信するステップと、
前記受信した情報に基づいて所定の期間に亘る前記対象の活動レベルを特徴付ける前記個人情報ストリームを前記モバイルデバイスに表示するステップと、
前記ディスプレイにグラフィカルユーザインタフェース画面を表示するステップと、
前記グラフィカルユーザインタフェース画面内に、個人情報ストリームに基づいた活動タイムラインの表示に対応する少なくとも１つのグラフィカルユーザインタフェース要素を有する複数の選択可能なグラフィカルユーザインタフェース要素を表示して、前記複数の選択可能なグラフィカルユーザインタフェース要素から１つを選択することにより、前記グラフィカルユーザインタフェース画面に前記対象に関連した情報を表示させるステップと、
少なくとも１つのグラフィカルユーザインタフェース要素を選択する入力を受けるステップと、
前記少なくとも１つのグラフィカルユーザインタフェース要素を選択する入力に応じて、前記グラフィカルユーザインタフェース画面内に、前記所定の期間に亘る前記対象の活動レベルを示す活動リボンを有する前記活動タイムラインを表示するステップと、
前記グラフィカルユーザインタフェース画面内に、前記活動リボン及び前記活動タイムラインに対して薬の摂取を表示するステップと
を含み、
前記グラフィカルユーザインタフェース画面は、計画された服用時間に対する実際の服用時間が前記グラフィカルユーザインタフェース画面によって視覚的に相互に関連付けられるように、前記活動タイムラインに沿って、計画された服用時間を１組のアイコンとして、実際に検出された薬の摂取時間を別の組のアイコンとして表示することを特徴とする方法。
【請求項２３】
前記モバイルデバイスは、前記第１の無線伝送を自動的に受信すべく構成された前記モバイルデバイスに記憶されたアプリケーションを更に有していることを特徴とする請求項１に記載の方法。
【請求項２４】
前記薬摂取情報は、前記対象生体によって摂取された前記用量の薬に関するデータを含んでおり、該データは、前記用量の薬の第１の識別、前記用量の薬の製造元の第２の識別、前記マーカの固有の識別及びこれらの組み合わせからなる群から選択されることを特徴とする請求項１に記載の方法。
【請求項２５】
前記薬摂取情報を受信した時間を決定することを更に含み、
前記バックエンドコンピュータ処理システムに送信される第２の無線伝送は、前記時間を更に含むことを特徴とする請求項１に記載の方法。
【請求項２６】
前記個人情報ストリームは、前記マーカの固有の識別に関連して前記コンピュータのメモリに記憶されたデータに更に基づいていることを特徴とする請求項１に記載の方法。
【請求項２７】
前記個人情報ストリームを含む第３の無線伝送を第２のモバイルデバイスに送信することを更に含むことを特徴とする請求項１に記載の方法。
【請求項２８】
前記対象生体に関連した登録情報を含む第３の無線伝送を、前記バックエンドコンピュータ処理システムに送信することを更に含むことを特徴とする請求項１に記載の方法。
【発明の詳細な説明】
【技術分野】
【０００１】
本開示は、一般的に、ヘルスケア登録情報システム、装置、及びそのための方法に関する。ヘルスケア登録情報システムは、既存の薬アドヒアランスパッケージを、患者と関連する活動、薬及び傾向測定基準を追跡するためのデジタルツールに変換する。ヘルスケア登録情報システムは、患者と、例えば介護人、大切な人、配偶者、家族、友人、医師、薬剤師等の第三者との通信を促進することによって、計画通りの服用及び日常生活の活動の管理に関して患者を支援する。摂取可能デバイス、例えば、薬に関連した摂取可能事象マーカ（ＩＥＭ）デバイス等のデバイスからの通信を検出するためにモバイルデバイス装置、システム、及び方法が採用されてもよい。例えば、服用事象に関連するＩＥＭデバイスの場合、薬の服用者によって着用される着用可能なパッチデバイス等の受信器が、薬に埋め込まれたＩＥＭデバイスの摂取を検出する。本開示は、特に、患者による摂取可能デバイスの摂取を検出し、受信器等から摂取可能デバイスに関する通信を受信し、情報をバックエンド処理システムへ通信し、並びに／又は薬の摂取、身体活動及び第三者との通信の管理に関して患者を支援するように構成されたハンドヘルド携帯型デバイス、コンピュータ、時にはスマートフォンと呼ばれる移動電話、タブレット型パーソナルコンピュータ（ＰＣ）、キオスク、デスクトップコンピュータ、又はラップトップコンピュータ、或いはこれらの任意の組み合わせ等のモバイルデバイスに関する。
【背景技術】
【０００２】
一般的に、ＩＥＭデバイスの摂取の検出は、着用可能受信器（例えば、パッチ）等の受信器の形状因子で提供される検出電子機器によって実行される。着用可能受信器は、皮膚の外表面に着用されてもよく、植え込み型受信器、部分的な植え込み型受信器、或いは衣類内又は衣類として着用されるように構成された受信器（例えば、腕輪型受信器）であってもよい。代替の態様において、受信器は、移動電話等のモバイルデバイスとして具現化されてもよい。
【０００３】
パッチは、例えば、皮膚に接触するように作製される湿式電極又は乾式電極を含んでもよい。パッチ全体を患者に貼り付けるために、接着層がパッチ上に設けられてもよい。ＩＥＭデバイスが患者によって摂取されて胃液と接触すると、ＩＥＭデバイスは、特定のＩＥＭデバイスが患者によって摂取されたことを示すために、パッチの検出回路によって検出される通信を開始する。
【先行技術文献】
【特許文献】
【０００４】
【特許文献１】国際公開第2011／133799号パンフレット
【発明の概要】
【発明が解決しようとする課題】
【０００５】
薬アドヒアランスに関連した様々な問題に対処するために、従来のアドヒアランスパッケージ製品に加えて、本明細書に記載する登録情報システムが必要とされる。現在、薬局は、様々な投与回数の例えば数日、１週間、又は１ヵ月分の薬等、所定の期間の十分な薬を含む１組のブリスターパックに薬剤師によって予め充填される薬アドヒアランスパッケージを提供する。ブリスターパックの各々に、処方された薬に関連したＩＥＭデバイス等の摂取可能デバイスを追加して、摂取・薬関連の事象及び処理システムを識別してアドヒアランスを記録すべく、識別されたデータ及び服用過程を追跡して管理し、患者、介護人等にフィードバックを提供することが必要である。従来のアドヒアランスパッケージに加えて、登録情報システムは、計画通りの服用と、起床、運動、服用、患者の確実且つ適切な休息等の日常生活の活動の管理とに関して患者を支援するために必要とされる。これらの活動の支援は、患者と、第三者と、患者の薬及び身体パターンを記録して追跡し、これらをデータベースに記憶するバックエンド処理システムとの通信を促進することによって、システムにより提供される。一態様において、受信器（例えば、電子機器機能を備えるパッチ）は、ＩＥＭデバイスの摂取を検出するために、患者によって着用される。着用可能受信器は、その後、モバイルデバイスへ事象を通信する。別の態様において、ＩＥＭデバイスは、着用可能受信器を必要とすることなくモバイルデバイスと直接通信してもよい。いずれの態様においても、モバイルデバイスは、ＩＥＭデバイスから受信される情報を秘密且つ非公開にバックエンド処理システムへ通信する。バックエンド処理システムは、情報を記憶して分析し、モバイルデバイスを介して患者へフィードバックを提供する。
【課題を解決するための手段】
【０００６】
一態様において、予め登録してあるコンピュータによって実行されるヘルスケア情報環境でレジメンへのアドヒアランスを管理する方法が提供される。モバイルデバイスで、対象とする対象生体によって薬が摂取されたという情報が受信器から受信される。モバイルデバイスは、プロセッサと、プロセッサに連結されたメモリと、プロセッサに連結されたディスプレイとを備えている。情報は、無線ネットワークを介してバックエンドコンピュータ処理システムに無線通信される。バックエンド処理システムにあるコンピュータから、個人情報ストリームが受信される。個人情報ストリームは、受信した情報に基づいて所定の期間に亘る対象生体の挙動を特徴付ける。
【０００７】
一態様において、アドヒアランスパッケージが提供される。アドヒアランスパッケージは、個人の薬に関連した複数の引き裂き片を含むシートを備えている。
【０００８】
一態様において、予め登録してあるコンピュータによって実行されるヘルスケア情報環境でレジメンへのアドヒアランスを管理するためのシステムが提供される。システムは、対象とする対象生体によって薬が摂取されたという情報を受信器から受信するように構成されたモバイルデバイスを備えている。モバイルデバイスは、プロセッサと、プロセッサに連結されたメモリと、プロセッサに連結されたディスプレイとを備えている。情報は、無線ネットワークを介してバックエンドコンピュータ処理システムに無線通信される。バックエンド処理システムにあるコンピュータから、個人情報ストリームが受信される。個人情報ストリームは、受信した情報に基づいてある期間に亘る対象生体の挙動を特徴付ける。
【０００９】
特許及び出願書類は、少なくとも１枚のカラー図面を含む。カラー図面を含む本特許又は特許出願公開の複写は、要求して必要な料金を支払うことにより特許庁より提供される。
【図面の簡単な説明】
【００１０】
【図１】摂取可能事象マーカ（ＩＥＭ）デバイスによって生成された電気信号を検出するため、及び／又は電気信号に関するデータを通信するためのモバイルデバイスを備えたシステムの一態様を示す図である。
【図２】患者に受け取られる１週間分の薬アドヒアランスパッケージの一態様を示す図である。
【図３】モバイルデバイスのディスプレイ画面の個人情報ストリームグラフィカルユーザインタフェース（ＧＵＩ）の一態様を示す図である。
【図４】モバイルデバイスのディスプレイ画面の個人通知ＧＵＩの一態様を示す図である。
【図５】モバイルデバイスのディスプレイ画面の活動傾向ＧＵＩの一態様を示す図である。
【図６】モバイルデバイスのディスプレイ画面のアカウント作成ＧＵＩの一態様を示す図である。
【図７】患者がデータを共有する相手及び共有するデータを選択することを可能にする、モバイルデバイスのディスプレイ画面の「共有管理」ＧＵＩの一態様を示す図である。
【図８】患者と情報を共有するための、モバイルデバイスのディスプレイ画面の第三者介護人ＧＵＩの一態様を示す図である。
【図９】モバイルデバイスのディスプレイ画面のサポートＧＵＩの一態様を示す図である。
【図１０】モバイルデバイスのディスプレイ画面のサポートＧＵＩの一態様を示す図である。
【図１１】モバイルデバイスのディスプレイ画面のサポートＧＵＩの一態様を示す図である。
【図１２】アカウントを作成するための、モバイルデバイスのディスプレイ画面のＧＵＩの一態様を示す図である。
【図１３】アカウントを作成するための、モバイルデバイスのディスプレイ画面のＧＵＩの一態様を示す図である。
【図１４】アカウントを作成するための、モバイルデバイスのディスプレイ画面のＧＵＩの一態様を示す図である。
【図１５】着用可能受信器を着用してデモンストレーションするための、モバイルデバイスのディスプレイ画面のＧＵＩの一態様を示す図である。
【図１６】着用可能受信器を着用してデモンストレーションするための、モバイルデバイスのディスプレイ画面のＧＵＩの一態様を示す図である。
【図１７】着用可能受信器を着用してデモンストレーションするための、モバイルデバイスのディスプレイ画面のＧＵＩの一態様を示す図である。
【図１８】着用可能受信器を着用してデモンストレーションするための、モバイルデバイスのディスプレイ画面のＧＵＩの一態様を示す図である。
【図１９】モバイルデバイスのディスプレイ画面のホームＧＵＩの一態様を示す図である。
【図２０】患者の日常の身体活動及び薬摂取を特徴付ける、モバイルデバイスのディスプレイ画面のタイムラインＧＵＩの一態様を示す図である。
【図２１】患者の日常の身体活動及び薬摂取を特徴付ける、モバイルデバイスのディスプレイ画面のタイムラインＧＵＩの一態様を示す図である。
【図２２】患者の日常の身体活動及び薬摂取を特徴付ける、モバイルデバイスのディスプレイ画面のタイムラインＧＵＩの一態様を示す図である。
【図２３】患者の日常の身体活動及び薬摂取を特徴付ける、モバイルデバイスのディスプレイ画面のタイムラインＧＵＩの一態様を示す図である。
【図２４】１週間に亘る患者の活動傾向を示す、モバイルデバイスのディスプレイ画面の活動傾向チャートＧＵＩの一態様を示す図である。
【図２５】１ヶ月間に亘る患者の活動傾向を示す、モバイルデバイスのディスプレイ画面の活動傾向チャートＧＵＩの一態様を示す図である。
【図２６】１週間に亘る患者の服用傾向を示す、モバイルデバイスのディスプレイ画面の服用傾向ＧＵＩの一態様を示す図である。
【図２７】リポートを送信するための、モバイルデバイスのディスプレイ画面の「リポート送信」ＧＵＩの一態様を示す図である。
【図２８】着用可能受信器（例えば、パッチ）を管理するための、モバイルデバイスのディスプレイ画面の「システム試験」ＧＵＩの一態様を示す図である。
【図２９】着用可能受信器（例えば、パッチ）を交換するための、モバイルデバイスのディスプレイ画面の「パッチ交換」ＧＵＩの一態様を示す図である。
【図３０】データ共有に介護人を招待するための、モバイルデバイスのディスプレイ画面の「共有管理」ＧＵＩの一態様を示す図である。
【図３１】共有するために介護人を招待して、データ共有を制御するための、モバイルデバイスのディスプレイ画面の「招待」ＧＵＩの一態様を示す図である。
【図３２】患者の個人的必要性及び要件に基づいて登録情報システムを調整するためのモバイルデバイスのディスプレイ画面のユーティリティツールＧＵＩの一態様を示す図である。
【図３３】患者の個人的必要性及び要件に基づいて登録情報システムを調整するためのモバイルデバイスのディスプレイ画面のユーティリティツールＧＵＩの一態様を示す図である。
【図３４】患者の個人的必要性及び要件に基づいて登録情報システムを調整するためのモバイルデバイスのディスプレイ画面のユーティリティツールＧＵＩの一態様を示す図である。
【図３５】患者の個人的必要性及び要件に基づいて登録情報システムを調整するためのモバイルデバイスのディスプレイ画面のユーティリティツールＧＵＩの一態様を示す図である。
【図３６】患者の個人的必要性及び要件に基づいて登録情報システムを調整するためのモバイルデバイスのディスプレイ画面のユーティリティＧＵＩの一態様を示す図である。
【図３７】患者の個人的必要性及び要件に基づいて登録情報システムを調整するためのモバイルデバイスのディスプレイ画面のユーティリティＧＵＩの一態様を示す図である。
【図３８】患者の個人的必要性及び要件に基づいて登録情報システムを調整するためのモバイルデバイスのディスプレイ画面のユーティリティＧＵＩの一態様を示す図である。
【図３９】患者の個人的必要性及び要件に基づいて登録情報システムを調整するためのモバイルデバイスのディスプレイ画面のユーティリティＧＵＩの一態様を示す図である。
【図４０】患者の個人的必要性に基づいて登録情報システムを調整するためのモバイルデバイスのディスプレイ画面のＧＵＩの一態様を示す図である。
【図４１】患者の個人的必要性に基づいて登録情報システムを調整するためのモバイルデバイスのディスプレイ画面のＧＵＩの一態様を示す図である。
【図４２】患者の個人的必要性に基づいて登録情報システムを調整するためのモバイルデバイスのディスプレイ画面のＧＵＩの一態様を示す図である。
【図４３】患者の個人的必要性に基づいて登録情報システムを調整するためのモバイルデバイスのディスプレイ画面のＧＵＩの一態様を示す図である。
【図４４】患者の個人的必要性に基づいて登録情報システムを調整するためのモバイルデバイスのディスプレイ画面のＧＵＩの一態様を示す図である。
【図４５】患者の個人的必要性に基づいて登録情報システムを調整するためのモバイルデバイスのディスプレイ画面のＧＵＩの一態様を示す図である。
【図４６】患者の個人的必要性に基づいて登録情報システムを調整するためのモバイルデバイスのディスプレイ画面のＧＵＩの一態様を示す図である。
【図４７】患者の個人的必要性に基づいて登録情報システムを調整するためのモバイルデバイスのディスプレイ画面のＧＵＩの一態様を示す図である。
【図４８】患者の個人的必要性に基づいて登録情報システムを調整するためのモバイルデバイスのディスプレイ画面のＧＵＩの一態様を示す図である。
【図４９】患者の個人的必要性に基づいて登録情報システムを調整するためのモバイルデバイスのディスプレイ画面のＧＵＩの一態様を示す図である。
【図５０】患者の個人的必要性に基づいて登録情報システムを調整するためのモバイルデバイスのディスプレイ画面のＧＵＩの一態様を示す図である。
【図５１】患者の個人的必要性に基づいて登録情報システムを調整するためのモバイルデバイスのディスプレイ画面のＧＵＩの一態様を示す図である。
【図５２】モバイルデバイスの一態様を示す図である。
【図５３】モバイルデバイスの一態様を示す機能システム図である。
【図５４】着用可能受信器の集積回路構成要素の一態様を示すブロック機能図である。
【図５５】摂取可能事象マーカデバイスの一態様に対応するシステムを示す図である。
【図５６】モバイルデバイスのディスプレイ画面のＧＵＩの一態様の装飾的デザインを示し、特にアカウントを作成するための、モバイルデバイスのディスプレイ画面の一ＧＵＩの装飾的デザインを示す図である。
【図５７】モバイルデバイスのディスプレイ画面のＧＵＩの一態様の装飾的デザインを示し、特にアカウントを作成するための、モバイルデバイスのディスプレイ画面の一ＧＵＩの装飾的デザインを示す図である。
【図５８】モバイルデバイスのディスプレイ画面のＧＵＩの一態様の装飾的デザインを示し、特にアカウントを作成するための、モバイルデバイスのディスプレイ画面の一ＧＵＩの装飾的デザインを示す図である。
【図５９】モバイルデバイスのディスプレイ画面のＧＵＩの一態様の装飾的デザインを示し、特に着用可能受信器を設定するための、モバイルデバイスのディスプレイ画面の追加の「搭載」ＧＵＩの装飾的デザインを示す図である。
【図６０】モバイルデバイスのディスプレイ画面のＧＵＩの一態様の装飾的デザインを示し、特に着用可能受信器を設定するための、モバイルデバイスのディスプレイ画面の追加の「搭載」ＧＵＩの装飾的デザインを示す図である。
【図６１】モバイルデバイスのディスプレイ画面のＧＵＩの一態様の装飾的デザインを示し、特に着用可能受信器を設定するための、モバイルデバイスのディスプレイ画面の追加の「搭載」ＧＵＩの装飾的デザインを示す図である。
【図６２】モバイルデバイスのディスプレイ画面のＧＵＩの一態様の装飾的デザインを示し、特に本開示に係るヘルスケア登録情報システムをデモンストレーションするための、モバイルデバイスのディスプレイ画面の追加の「搭載」ＧＵＩの装飾的デザインを示す図である。
【図６３】モバイルデバイスのディスプレイ画面のＧＵＩの一態様の装飾的デザインを示し、特に本開示に係るヘルスケア登録情報システムをデモンストレーションするための、モバイルデバイスのディスプレイ画面の追加の「搭載」ＧＵＩの装飾的デザインを示す図である。
【図６４】モバイルデバイスのディスプレイ画面のＧＵＩの一態様の装飾的デザインを示し、特に本開示に係るヘルスケア登録情報システムをデモンストレーションするための、モバイルデバイスのディスプレイ画面の追加の「搭載」ＧＵＩの装飾的デザインを示す図である。
【図６５】モバイルデバイスのディスプレイ画面のＧＵＩの一態様の装飾的デザインを示し、特に本開示に係るヘルスケア登録情報システムをデモンストレーションするための、モバイルデバイスのディスプレイ画面の追加の「搭載」ＧＵＩの装飾的デザインを示す図である。
【図６６】モバイルデバイスのディスプレイ画面のＧＵＩの一態様の装飾的デザインを示し、特に注釈を視認するための、モバイルデバイスのディスプレイ画面の追加の「リボン」ＧＵＩの装飾的デザインを示す図である。
【図６７】モバイルデバイスのディスプレイ画面のＧＵＩの一態様の装飾的デザインを示し、特に注釈を視認するための、モバイルデバイスのディスプレイ画面の追加の「リボン」ＧＵＩの装飾的デザインを示す図である。
【図６８】モバイルデバイスのディスプレイ画面のＧＵＩの一態様の装飾的デザインを示し、特に注釈を視認するための、モバイルデバイスのディスプレイ画面の追加の「リボン」ＧＵＩの装飾的デザインを示す図である。
【図６９】モバイルデバイスのディスプレイ画面のＧＵＩの一態様の装飾的デザインを示し、特に注釈を視認するための、モバイルデバイスのディスプレイ画面の追加の「リボン」ＧＵＩの装飾的デザインを示す図である。
【図７０】モバイルデバイスのディスプレイ画面のＧＵＩの一態様の装飾的デザインを示し、特に注釈を視認するための、モバイルデバイスのディスプレイ画面の追加の「リボン」ＧＵＩの装飾的デザインを示す図である。
【図７１】モバイルデバイスのディスプレイ画面のＧＵＩの一態様の装飾的デザインを示し、特に注釈を視認するための、モバイルデバイスのディスプレイ画面の追加の「リボン」ＧＵＩの装飾的デザインを示す図である。
【図７２】モバイルデバイスのディスプレイ画面のＧＵＩの一態様の装飾的デザインを示し、特に注釈を作成するための、モバイルデバイスのディスプレイ画面の追加の「リボン」ＧＵＩの装飾的デザインを示す図である。
【図７３】モバイルデバイスのディスプレイ画面のＧＵＩの一態様の装飾的デザインを示し、特に注釈を作成するための、モバイルデバイスのディスプレイ画面の追加の「リボン」ＧＵＩの装飾的デザインを示す図である。
【図７４】モバイルデバイスのディスプレイ画面のＧＵＩの一態様の装飾的デザインを示し、特に注釈を作成するための、モバイルデバイスのディスプレイ画面の追加の「リボン」ＧＵＩの装飾的デザインを示す図である。
【図７５】モバイルデバイスのディスプレイ画面のＧＵＩの一態様の装飾的デザインを示し、特にモバイルデバイスのディスプレイ画面のチャート選択ＧＵＩの装飾的デザインを示す図である。
【図７６】モバイルデバイスのディスプレイ画面のＧＵＩの一態様の装飾的デザインを示し、特に患者労作期間に関連したチャートを表示するための、モバイルデバイスのディスプレイ画面の追加の「チャート」ＧＵＩの装飾的デザインを示す図である。
【図７７】モバイルデバイスのディスプレイ画面のＧＵＩの一態様の装飾的デザインを示し、特に患者労作期間に関連したチャートを表示するための、モバイルデバイスのディスプレイ画面の追加の「チャート」ＧＵＩの装飾的デザインを示す図である。
【図７８】モバイルデバイスのディスプレイ画面のＧＵＩの一態様の装飾的デザインを示し、特に患者労作期間に関連したチャートを表示するための、モバイルデバイスのディスプレイ画面の追加の「チャート」ＧＵＩの装飾的デザインを示す図である。
【図７９】モバイルデバイスのディスプレイ画面のＧＵＩの一態様の装飾的デザインを示し、特に患者休息期間に関連したチャートを表示するための、モバイルデバイスのディスプレイ画面の追加の「チャート」ＧＵＩの装飾的デザインを示す図である。
【図８０】モバイルデバイスのディスプレイ画面のＧＵＩの一態様の装飾的デザインを示し、特に患者休息期間に関連したチャートを表示するための、モバイルデバイスのディスプレイ画面の追加の「チャート」ＧＵＩの装飾的デザインを示す図である。
【図８１】モバイルデバイスのディスプレイ画面のＧＵＩの一態様の装飾的デザインを示し、特に患者休息期間に関連したチャートを表示するための、モバイルデバイスのディスプレイ画面の追加の「チャート」ＧＵＩの装飾的デザインを示す図である。
【図８２】モバイルデバイスのディスプレイ画面のＧＵＩの一態様の装飾的デザインを示し、特に患者休息期間に関連したチャートを表示するための、モバイルデバイスのディスプレイ画面の追加の「チャート」ＧＵＩの装飾的デザインを示す図である。
【図８３】モバイルデバイスのディスプレイ画面のＧＵＩの一態様の装飾的デザインを示し、特に患者休息期間に関連したチャートを表示するための、モバイルデバイスのディスプレイ画面の追加の「チャート」ＧＵＩの装飾的デザインを示す図である。
【図８４】モバイルデバイスのディスプレイ画面のＧＵＩの一態様の装飾的デザインを示し、特に電子メールにより患者に関連したリポートを送信するための、モバイルデバイスのディスプレイ画面の追加の「チャート」ＧＵＩの装飾的デザインを示す図である。
【図８５】モバイルデバイスのディスプレイ画面のＧＵＩの一態様の装飾的デザインを示し、特に電子メールにより患者に関連したリポートを送信するための、モバイルデバイスのディスプレイ画面の追加の「チャート」ＧＵＩの装飾的デザインを示す図である。
【図８６】モバイルデバイスのディスプレイ画面のＧＵＩの一態様の装飾的デザインを示し、特に電子メールにより患者に関連したリポートを送信するための、モバイルデバイスのディスプレイ画面の追加の「チャート」ＧＵＩの装飾的デザインを示す図である。
【図８７】モバイルデバイスのディスプレイ画面のＧＵＩの一態様の装飾的デザインを示し、特に郵便により患者に関連したリポートを送付するための、モバイルデバイスのディスプレイ画面の追加の「チャート」ＧＵＩの装飾的デザインを示す図である。
【図８８】モバイルデバイスのディスプレイ画面のＧＵＩの一態様の装飾的デザインを示し、特に郵便により患者に関連したリポートを送付するための、モバイルデバイスのディスプレイ画面の追加の「チャート」ＧＵＩの装飾的デザインを示す図である。
【図８９】モバイルデバイスのディスプレイ画面のＧＵＩの一態様の装飾的デザインを示し、特に郵便により患者に関連したリポートを送付するための、モバイルデバイスのディスプレイ画面の追加の「チャート」ＧＵＩの装飾的デザインを示す図である。
【図９０】モバイルデバイスのディスプレイ画面のＧＵＩの一態様の装飾的デザインを示し、特にローカルの住所録を使用して「リポート送付」ＧＵＩを取り込むための、モバイルデバイスのディスプレイ画面の一連の住所録ＧＵＩ画面を含む、図８７に示される「リポート送付」ＧＵＩを示す図である。
【図９１】モバイルデバイスのディスプレイ画面のＧＵＩの一態様の装飾的デザインを示し、特に着用可能受信器通信システムを管理するための、モバイルデバイスのディスプレイ画面の「パッチ」ＧＵＩの装飾的デザインを示す図である。
【図９２】モバイルデバイスのディスプレイ画面のＧＵＩの一態様の装飾的デザインを示し、特に着用可能受信器通信システムを管理するための、モバイルデバイスのディスプレイ画面の「パッチ」ＧＵＩの装飾的デザインを示す図である。
【図９３】モバイルデバイスのディスプレイ画面のＧＵＩの一態様の装飾的デザインを示し、特に着用可能受信器通信システムを管理するための、モバイルデバイスのディスプレイ画面の「パッチ」ＧＵＩの装飾的デザインを示す図である。
【図９４】モバイルデバイスのディスプレイ画面のＧＵＩの一態様の装飾的デザインを示し、特に着用可能受信器通信システムを管理するための、モバイルデバイスのディスプレイ画面の「パッチ」ＧＵＩの装飾的デザインを示す図である。
【図９５】モバイルデバイスのディスプレイ画面のＧＵＩの一態様の装飾的デザインを示し、特に着用可能受信器通信システムを管理するための、モバイルデバイスのディスプレイ画面の「パッチ」ＧＵＩの装飾的デザインを示す図である。
【図９６】モバイルデバイスのディスプレイ画面のＧＵＩの一態様の装飾的デザインを示し、特に着用可能受信器通信システムを管理するための、モバイルデバイスのディスプレイ画面の「パッチ」ＧＵＩの装飾的デザインを示す図である。
【図９７】モバイルデバイスのディスプレイ画面のＧＵＩの一態様の装飾的デザインを示し、特に着用可能受信器を交換するための、モバイルデバイスのディスプレイ画面の追加の「パッチ」ＧＵＩの装飾的デザインを示す図である。
【図９８】モバイルデバイスのディスプレイ画面のＧＵＩの一態様の装飾的デザインを示し、特に着用可能受信器を交換するための、モバイルデバイスのディスプレイ画面の追加の「パッチ」ＧＵＩの装飾的デザインを示す図である。
【図９９】モバイルデバイスのディスプレイ画面のＧＵＩの一態様の装飾的デザインを示し、特に着用可能受信器を交換するための、モバイルデバイスのディスプレイ画面の追加の「パッチ」ＧＵＩの装飾的デザインを示す図である。
【図１００】モバイルデバイスのディスプレイ画面のＧＵＩの一態様の装飾的デザインを示し、特に権限を管理して介護人を追加／削除するための、モバイルデバイスのディスプレイ画面の「共有」ＧＵＩの装飾的デザインを示す図である。
【図１０１】モバイルデバイスのディスプレイ画面のＧＵＩの一態様の装飾的デザインを示し、特に権限を管理して介護人を追加／削除するための、モバイルデバイスのディスプレイ画面の「共有」ＧＵＩの装飾的デザインを示す図である。
【図１０２】モバイルデバイスのディスプレイ画面のＧＵＩの一態様の装飾的デザインを示し、特に権限を管理して介護人を追加／削除するための、モバイルデバイスのディスプレイ画面の「共有」ＧＵＩの装飾的デザインを示す図である。
【図１０３】モバイルデバイスのディスプレイ画面のＧＵＩの一態様の装飾的デザインを示し、特に権限を管理して介護人を追加／削除するための、モバイルデバイスのディスプレイ画面の「共有」ＧＵＩの装飾的デザインを示す図である。
【図１０４】モバイルデバイスのディスプレイ画面のＧＵＩの一態様の装飾的デザインを示し、特に権限を管理して介護人を追加／削除するための、モバイルデバイスのディスプレイ画面の「共有」ＧＵＩの装飾的デザインを示す図である。
【図１０５】モバイルデバイスのディスプレイ画面のＧＵＩの一態様の装飾的デザインを示し、特に活動及び休息の情報について患者に通知するための、モバイルデバイスのディスプレイ画面の「通知」ＧＵＩの装飾的デザインを示す図である。
【図１０６】モバイルデバイスのディスプレイ画面のＧＵＩの一態様の装飾的デザインを示し、特に活動及び休息の情報について患者に通知するための、モバイルデバイスのディスプレイ画面の「通知」ＧＵＩの装飾的デザインを示す図である。
【図１０７】モバイルデバイスのディスプレイ画面のＧＵＩの一態様の装飾的デザインを示し、特に活動及び休息の情報について患者に通知するための、モバイルデバイスのディスプレイ画面の「通知」ＧＵＩの装飾的デザインを示す図である。
【図１０８】モバイルデバイスのディスプレイ画面のＧＵＩの一態様の装飾的デザインを示し、特に服用時間及びリマインダについて患者に通知するための、モバイルデバイスのディスプレイ画面の追加の「通知」ＧＵＩの装飾的デザインを示す図である。
【図１０９】モバイルデバイスのディスプレイ画面のＧＵＩの一態様の装飾的デザインを示し、特に服用時間及びリマインダについて患者に通知するための、モバイルデバイスのディスプレイ画面の追加の「通知」ＧＵＩの装飾的デザインを示す図である。
【図１１０】モバイルデバイスのディスプレイ画面のＧＵＩの一態様の装飾的デザインを示し、特に服用時間及びリマインダについて患者に通知するための、モバイルデバイスのディスプレイ画面の追加の「通知」ＧＵＩの装飾的デザインを示す図である。
【図１１１】モバイルデバイスのディスプレイ画面のＧＵＩの一態様の装飾的デザインを示し、特に服用時間及びリマインダについて患者に通知するための、モバイルデバイスのディスプレイ画面の追加の「通知」ＧＵＩの装飾的デザインを示す図である。
【図１１２】モバイルデバイスのディスプレイ画面のＧＵＩの一態様の装飾的デザインを示し、特に日次服用時間を追加するための、モバイルデバイスのディスプレイ画面の追加の「通知」ＧＵＩの装飾的デザインを示す図である。
【図１１３】モバイルデバイスのディスプレイ画面のＧＵＩの一態様の装飾的デザインを示し、特に日次服用時間を追加するための、モバイルデバイスのディスプレイ画面の追加の「通知」ＧＵＩの装飾的デザインを示す図である。
【図１１４】モバイルデバイスのディスプレイ画面のＧＵＩの一態様の装飾的デザインを示し、特に日次服用時間を追加するための、モバイルデバイスのディスプレイ画面の追加の「通知」ＧＵＩの装飾的デザインを示す図である。
【図１１５】モバイルデバイスのディスプレイ画面のＧＵＩの一態様の装飾的デザインを示し、特に日次服用時間を追加するための、モバイルデバイスのディスプレイ画面の追加の「通知」ＧＵＩの装飾的デザインを示す図である。
【図１１６】モバイルデバイスのディスプレイ画面のＧＵＩの一態様の装飾的デザインを示し、特に服用のための日次服用リマインダを追加するための、モバイルデバイスのディスプレイ画面の追加の「通知」ＧＵＩの装飾的デザインを示す図である。
【図１１７】モバイルデバイスのディスプレイ画面のＧＵＩの一態様の装飾的デザインを示し、特に服用のための日次服用リマインダを追加するための、モバイルデバイスのディスプレイ画面の追加の「通知」ＧＵＩの装飾的デザインを示す図である。
【図１１８】モバイルデバイスのディスプレイ画面のＧＵＩの一態様の装飾的デザインを示し、特に服用のための日次服用リマインダを追加するための、モバイルデバイスのディスプレイ画面の追加の「通知」ＧＵＩの装飾的デザインを示す図である。
【図１１９】モバイルデバイスのディスプレイ画面のＧＵＩの一態様の装飾的デザインを示し、特に服用のための日次服用リマインダを追加するための、モバイルデバイスのディスプレイ画面の追加の「通知」ＧＵＩの装飾的デザインを示す図である。
【図１２０】モバイルデバイスのディスプレイ画面のＧＵＩの一態様の装飾的デザインを示し、特にデータ警告を提供するための、モバイルデバイスのディスプレイ画面の追加の「通知」ＧＵＩの装飾的デザインを示す図である。
【図１２１】モバイルデバイスのディスプレイ画面のＧＵＩの一態様の装飾的デザインを示し、特にデータ警告を提供するための、モバイルデバイスのディスプレイ画面の追加の「通知」ＧＵＩの装飾的デザインを示す図である。
【図１２２】モバイルデバイスのディスプレイ画面のＧＵＩの一態様の装飾的デザインを示し、特にデータ警告を提供するための、モバイルデバイスのディスプレイ画面の追加の「通知」ＧＵＩの装飾的デザインを示す図である。
【図１２３】モバイルデバイスのディスプレイ画面のＧＵＩの一態様の装飾的デザインを示し、特にデータ警告を提供するための、モバイルデバイスのディスプレイ画面の追加の「通知」ＧＵＩの装飾的デザインを示す図である。
【図１２４】モバイルデバイスのディスプレイ画面のＧＵＩの一態様の装飾的デザインを示し、特に通知詳細設定を設定するための、モバイルデバイスのディスプレイ画面の追加の「通知」ＧＵＩの装飾的デザインを示す図である。
【図１２５】モバイルデバイスのディスプレイ画面のＧＵＩの一態様の装飾的デザインを示し、特に通知詳細設定を設定するための、モバイルデバイスのディスプレイ画面の追加の「通知」ＧＵＩの装飾的デザインを示す図である。
【図１２６】モバイルデバイスのディスプレイ画面のＧＵＩの一態様の装飾的デザインを示し、特に通知詳細設定を設定するための、モバイルデバイスのディスプレイ画面の追加の「通知」ＧＵＩの装飾的デザインを示す図である。
【図１２７】モバイルデバイスのディスプレイ画面のＧＵＩの一態様の装飾的デザインを示し、特に通知詳細設定を設定するための、モバイルデバイスのディスプレイ画面の追加の「通知」ＧＵＩの装飾的デザインを示す図である。
【図１２８】モバイルデバイスのディスプレイ画面のＧＵＩの一態様の装飾的デザインを示し、特にアカウント及びシステムに関する情報を表示するための、モバイルデバイスのディスプレイ画面の追加の「通知」ＧＵＩの装飾的デザインを示す図である。
【図１２９】モバイルデバイスのディスプレイ画面のＧＵＩの一態様の装飾的デザインを示し、特にアカウント及びシステムに関する情報を表示するための、モバイルデバイスのディスプレイ画面の追加の「通知」ＧＵＩの装飾的デザインを示す図である。
【図１３０】モバイルデバイスのディスプレイ画面のＧＵＩの一態様の装飾的デザインを示し、特にアカウント及びシステムに関する情報を表示するための、モバイルデバイスのディスプレイ画面の追加の「通知」ＧＵＩの装飾的デザインを示す図である。
【図１３１】モバイルデバイスのディスプレイ画面のＧＵＩの一態様の装飾的デザインを示し、特にアカウント及びシステムに関する情報を表示するための、モバイルデバイスのディスプレイ画面の追加の「通知」ＧＵＩの装飾的デザインを示す図である。
【図１３２】モバイルデバイスのディスプレイ画面のＧＵＩの一態様の装飾的デザインを示し、特にアカウントを編集するための、モバイルデバイスのディスプレイ画面の追加の「通知」ＧＵＩの装飾的デザインを示す図である。
【図１３３】モバイルデバイスのディスプレイ画面のＧＵＩの一態様の装飾的デザインを示し、特にアカウントを編集するための、モバイルデバイスのディスプレイ画面の追加の「通知」ＧＵＩの装飾的デザインを示す図である。
【図１３４】モバイルデバイスのディスプレイ画面のＧＵＩの一態様の装飾的デザインを示し、特にアカウントを編集するための、モバイルデバイスのディスプレイ画面の追加の「通知」ＧＵＩの装飾的デザインを示す図である。
【図１３５】モバイルデバイスのディスプレイ画面のＧＵＩの一態様の装飾的デザインを示し、特にアカウントを編集するための、モバイルデバイスのディスプレイ画面の追加の「通知」ＧＵＩの装飾的デザインを示す図である。
【発明を実施するための形態】
【００１１】
様々な態様において、本開示は一般的に、予め登録してあるコンピュータによって実行されるヘルスケア情報環境でレジメンへのアドヒアランスを管理するための装置、システム、及び方法に関する。例えば、レジメンは、薬レジメン、運動レジメン、薬レジメン及び運動レジメンの組み合わせ等であってもよい。本開示に従い、薬アドヒアランスパッケージは、ユーザ（例えば、患者）と、例えば個人的介護人（例えば、介護士）、大切な人、配偶者、家族、友人、医師、薬剤師等の第三者との通信を促進することによって、計画通りの服用及び日常生活の活動の管理に関して支援するデジタルツールに変換される。一態様において、着用可能受信器（例えば、電子パッチ）は、薬の服用者によって着用される。本明細書に使用される場合、「薬」という用語は、処方又は市販の調剤等の薬剤、ビタミン、プラセボ等の摂取可能な調剤を含む。薬は、例えばピル、錠剤、カプセル、ジェルカプセル、ソフトジェルカプセル等の１以上の形状因子で提供されてもよい。着用可能受信器は、植え込み型デバイス、ペースメーカ等の植え込み型パルス発生器、ステント、植え込み型トランシーバ、摂取可能事象マーカ（ＩＥＭ）デバイス、摂取可能なＲＦＩＤデバイス、或いは摂取可能なコイル又はアンテナデバイス等の摂取可能デバイスからの通信を検出する。ＩＥＭデバイスの場合、マイクロ電子回路は、例えば服用事象の発生を示すために、用量等、薬に関連付けられる。着用可能なパッチデバイスは、ＩＥＭデバイスが埋め込まれた薬の摂取を検出するために、薬の服用者によって着用される。着用可能受信器は、情報をモバイルデバイスへ通信する。一態様において、本開示はシステムを提供し、該システムでは、モバイルデバイスが、１以上の無線ネットワークを介して通信して服用事象に関連した情報をバックエンド処理システムに通信し、バックエンド処理システムは、服用を管理し、薬の服用者と、介護人、医師及び／又は薬剤師等の第三者との通信を促進する。一態様において、本開示に係るアドヒアランスパッケージは、薬に加えて、着用可能受信器とＩＥＭデバイスとを備えている。
【００１２】
本開示に係る登録情報システムは、患者の治療管理及び患者との通信に集中することを可能にする。システムの様々な態様は、活動、休息及び服用を含む日常生活の活動の傾向を伝達するように構成されてもよい。また、他の態様において、システムは、計画通りに適切な薬を服用すること、並びに活動及び休息の量及びタイミングを管理することを含む、日常生活の活動の管理を支援するように構成されてもよい。様々な態様において、システムはまた、患者と指定された第三者との通信を促進するように構成されてもよい。様々な態様において、システムは、複数の薬を服用して自身の治療に主たる責任を持ち、アドヒアランスサポートの候補者である患者のために構成されてもよい。他の態様において、システムは、治療を支援するか又は監督する個人的介護人を有する患者のために構成されてもよい。他の態様において、システムは、スマートフォン技術を使用することが可能な患者、又はスマートフォン技術を使用することが可能な介護人を有する患者のために構成されてもよい。
【００１３】
一態様において、本開示に係る登録情報システムは、既に市販されているアドヒアランスパッケージ製品に基づいてもよい。薬局がこのようなアドヒアランスパッケージを提供してもよく、アドヒアランスパッケージには、薬剤師が、１日間、１週間、１ヵ月間等の所定の期間に亘る様々な投与回数の個人の薬を１組のブリスターパックに予め充填する。本開示は、少なくとも１つのブリスターに、１以上の構成要素、摂取可能なデバイスを追加する。例えば、既存のブリスターの各々に薬（例えば、錠剤）が追加され、薬は、ＩＥＭデバイス、ＲＦＩＤデバイス等の事象マーカ又は他の摂取可能なデバイスを含む。別の例において、ブリスターの少なくとも１つにプラセボが追加され、プラセボは、ＩＥＭデバイス、ＲＦＩＤデバイス等の摂取可能なデバイスを含む。
【００１４】
一態様において、本開示に係る登録情報システムは、所定のアドヒアランスパッケージの形状因子に基づいており、計画通りの服用及び日常生活の活動の管理に関して人を支援する。日常生活の活動は、特に起床及び運動、服用、確実且つ適切な休息を含む。これらの活動を支援する一方法は、患者とその介護人との通信を促進することである。本開示に係る登録情報システムは、患者と第三者との他の形式の通信を取り替えることを目的としない。ただし、通信を促進して、患者、介護人等がそうでなければ有することがない情報を提供し、一般に戦術的ではない物事に関する対人コミュニケーションに集中することを目的とする。このため、例えば家族が病人に電話をするとき、会話は、病人が薬を服用したか、又はその日に１０分間運動をしたかに集中するのではなく、読んでいる本など、何らかの通常の日常活動に集中することができる。
【００１５】
情報がモバイルデバイスに通信されると、本開示に係る登録情報システムは、グラフィカルユーザインタフェース（ＧＵＩ）を提供する。一態様において、ＧＵＩは、モバイルデバイスに関連付けられ、その人がその日の各時間をどのように過ごしているかを簡単且つ簡潔に示す、例えば「活動リボン」として表示される活動指標の形式で、任意の所与の日の事実上タイムラインである個人情報ストリームを提供する。例えば一般的に、人は、長時間の睡眠をとってから、起床して何らかの用事を済ませ、終わると椅子で休憩してテレビを見るかもしれない。その後、立ち上がって、心拍を上昇させる散歩に行き、軽い運動をしてから、家に帰って座り、休息し、最終的に就寝する。一態様において、活動リボンは、人が、日中又は夜間等、所定の期間に様々な状態間をどのように過ごすかを示すために提供される。従って、一目で、人はある晩、非常に落ち着かず、何回も起きてトイレへ行ったか、又は一晩中、寝返りをうって、実際には十分に眠れなかったかを容易に読み取ることができる。この情報は、モバイルデバイスのディスプレイＧＵＩに表示される活動リボンの状態を見るだけで取得され得る。加えて、一態様において、その人に関連した服用事象タイムラインは、現在のタイムラインに沿って活動リボンの下に表示され得る。従って、本開示に係る登録情報システムは、計画された服用時間を１組のアイコンとして示し、実際に検出された薬の摂取時間を別の組のアイコンとして示す。人は、判断することなく、ＧＵＩによって示されている通りに、計画された服用時間を実際の服用時間と視覚的に相互に関連付けることができる。このように、判断することなくシステムの有用性を向上することができ、様々なレジメンへのアドヒアランスを最適化する。
【００１６】
本開示に係る登録情報システムは、患者、介護人、医師及び薬局等、関係者全員に一定の価値命題を提供する。患者にとっては、本開示に係る登録情報システムは、患者の日常生活の管理を支援する、個人のデータ駆動型フィードバック通知を提供する。システムは、より早期のマイナス傾向の検出、主治医とのより容易な通信、及び連結感の増大による孤立の減少をもたらす。全体的にシステムは、患者に、介護人との関係の質の向上、戦術的な治療の必要性に対する集中低下をもたらすことができる。加えて、システムの使用によって、例えば、悪化した疾病の治療のコストなど、アドヒアランスしないことによって発生するコスト等、薬レジメンへのアドヒアランスの結果として顕著なコスト節約となり得る。
【００１７】
介護人にとっては、本開示に係る登録情報システムは、大切な人がうまくやっているという保証を提供する。個人のデータ駆動型フィードバック通知は、個人の閾値として設定される。これもまた、戦術的な治療の必要性に対する集中が低下して、患者との関係の質が向上することにつながる。
【００１８】
薬剤師にとっては、本開示に係る登録情報システムは、患者による服用及び増加した処方薬に対するアドヒアランスを向上させる。システムはまた、消費者が支払い、予め登録してある移動電話アプリケーション、特別料金のアドヒアランスパッケージサービス、及び家庭での看護サービスの更なる共有を提供する。加えてシステムは、特に消費者ロイヤルティ、来店者数及び小売抱き合わせ販売の増加、並びに地方の保健医療局と連携する新しい方式を提供する。
【００１９】
開示の明確性のために、本開示のこれら及び他の態様を添付の図面を参照して記載する。また、登録情報システムを記載する前に、本開示はまず、登録情報システムが実行されてもよい全体的なシステムを説明する。従って、システム１００の一態様が図示されている図１を参照する。システム１００は、移動通信デバイス等のモバイルデバイス１０２（例えば、第１のノード）を備えており、モバイルデバイス１０２は、例えば摂取可能事象マーカ１０４（ＩＥＭ）によって生成される電気信号、電気信号に関連して受信器からモバイルデバイス１０２へ通信されるデータ等、ＩＥＭ１０４に関連した通信を検出する。示されているように、患者１０６等の対象生体は、ＩＥＭデバイス１０４を摂取したばかりであり、手にモバイルデバイス１０２を持っている。一態様において、患者１０６は着用可能受信器１０８（例えば、電子パッチ）を着用しており、着用可能受信器１０８は、１以上の電極を介してＩＥＭデバイス１０４からの通信を感知し、次いで、モバイルデバイス１０２と通信する。モバイルデバイス１０２は、以下に詳細に記載するように、様々な有線又は無線の通信ネットワークを介して様々な技術を使用して遠隔処理システム１２２等のバックエンド処理システムに通信するように構成されている。
【００２０】
ＩＥＭデバイスの様々な態様は、本発明の譲受人に譲渡され、「Ｐｈａｒｍａ−Ｉｎｆｏｒｍａｔｉｃｓ  Ｓｙｓｔｅｍ」を発明の名称とする２００６年４月２８日出願の米国特許出願公開第２００８／０２８４５９９号明細書に開示され、その全体を参照により本明細書に組み入れる。
【００２１】
着用可能受信器１０８の例示的な設計及び動作並びに様々な関連態様は、本発明の譲受人に譲渡され、「Ｂｏｄｙ−Ａｓｓｏｃｉａｔｅｄ  Ｒｅｃｅｉｖｅｒ  ａｎｄ  Ｍｅｔｈｏｄ」を発明の名称とする２０１２年２月１４日発行の米国特許第８１１４０２１号明細書に開示され、図５４を参照して以下に詳細に説明され、ＩＥＭデバイス１０４の例示的な設計及び動作は、図５５を参照して以下に詳細に説明される。
【００２２】
一態様において、患者１０６がＩＥＭデバイス１０４を摂取した直後に、胃１１６内の消化液１１４がＩＥＭデバイス１０４を起動して、様々なデータに対応する固有の電流署名の伝達を開始する。データは、例えば、ＩＥＭデバイス１０４を識別するデータ、薬を識別するデータ等を含んでもよい。様々な態様において、例えばＩＥＭデバイス１０４又はその構成要素は患者の組織を通過してもよい。様々な態様において、ＩＥＭデバイス１０４は、部分的又は完全に消化可能であってもよい。様々な態様において、ＩＥＭデバイス１０４は、摂取後、着用可能受信器１０８と連続的又は間欠的に通信するように構成されてもよい。他の態様において、ＩＥＭデバイス１０４は、選択的に起動、停止及び／又は再起動されるように構成されてもよい。
【００２３】
消化液１１４内で分解される間にＩＥＭデバイス１０４によって生成される電流署名は、患者１０６に着用された着用可能受信器１０８の検出部によって検出されてもよい。
【００２４】
使用中、患者１０６がＩＥＭデバイス１０４を摂取した後、患者１０６の皮膚に接触している着用可能受信器１０８の電極部分は、起動したＩＥＭデバイス１０４によって生成された電気信号を検出する。検出部が所定の位置に置かれると、モバイルデバイス１０２でアプリケーションが起動し、患者１０６は、ＩＥＭデバイス１０４を含むブリスターパックから自分の薬を服用する。アプリケーションは、着用可能受信器１０８からの送信の検出後に自動的に起動してもよく、又は、例えばマウスオーバー及びクリック、押下ボタンスイッチの起動、仮想押下ボタンスイッチの起動、音声認識、振動、ＧＵＩ要素のタップ、デバイスの向き等の従来の技術を使用してユーザの選択によって起動されてもよい。
【００２５】
更に図１を参照すると、着用可能受信器１０８は、ＩＥＭ１０４によって生成される固有の電流署名を検出するための第１のノードとして機能し、モバイルデバイス１０２は、着用可能受信器１０８からの通信を検出するための第２のノードとして機能する。着用可能受信器１０８を通じてＩＥＭデバイス１０４によって生成された固有の電流署名の検出に応じて、モバイルデバイス１０２は複数の機能を実行してもよい。一態様において、モバイルデバイス１０２は、患者１０６によるＩＥＭデバイス１０４の摂取の時間及び日付に略対応する、通信が検出された時間及び日付を記憶してもよい。加えて、モバイルデバイス１０２は、ローカルメモリに符号化された情報を記憶してもよい。例えば、ＩＥＭデバイス１０４の識別、ＩＥＭデバイス１０４に関連した薬の種類、薬及び／又はＩＥＭデバイス１０４の製造元等の他の情報は、制限することなく、固有の電流署名によって符号化されてもよい。
【００２６】
しかしながら一般的に、モバイルデバイス１０２は、バックエンド処理システムとも呼ばれる遠隔処理システム１２２へ情報を送信するために、ＩＥＭデバイス１０４に関連して検出された情報を、無線ノード１１０（例えば、第３のノード又はローカルノード）又はセルラー塔１２４のいずれかへ送信する。無線ノード１１０は、例えば、無線能力を有する移動局又は固定局を備えてもよい。無線ノード１１０の例は、モバイルデバイス１０２に対する所与の例のうちの任意を含むことができ、無線アクセスポイント、基地局又はノード、基地局無線／トランシーバ、ルータ、スイッチ、ハブ、ゲートウェイ等を更に含むことができる。一態様において、無線ノード１１０は、セルラー方式無線電話通信システムの基地局を備えてもよい。ある態様は、例として基地局として実装された無線ノード１１０について説明され得るが、他の態様は、他の無線デバイスを使用して実装されてもよいことが理解され得る。無線ノード１１０は、通信ハブ、アクセスポイント、別のモバイルデバイス等であってもよい。従って、無線ノード１１０は、ＩＥＭデバイス１０４から受信した情報を、第１及び第２のノード、例えばモバイルデバイス１０２及び無線ノード１１０から離れて位置するノード１２２へ通信するために、インターネット等の広域ネットワークに対するローカルアクセスポイントとして機能してもよい。遠隔ノード１２２は、医療関連施設（例えば、医院、病院、薬局）、製薬会社、栄養センター、バックエンド患者ヘルスケアデータ処理施設、バックエンド処理システム等であってもよい。
【００２７】
一態様において、モバイルデバイス１０２は、無線媒体１３４を介して無線ノード１１０と通信する。様々な態様において、モバイルデバイス１０２及び無線ノード１１０は、無線デバイスを備えてもよく、又は無線デバイスによって実装されてもよい。無線デバイスは一般的に、所与の組の設計パラメータ又は性能制約に対して望まれるように、ハードウェア、ソフトウェア又はこれらの任意の組み合わせとして実装される様々な物理要素又は論理要素を備えることができる。様々な態様において、物理要素又は論理要素は、１以上の通信媒体によって接続されてもよい。例えば、通信媒体は、所与の実装に対して望まれるように、有線通信媒体、無線通信媒体又は両方の組み合わせを備えてもよい。様々な実装において、モバイルデバイス１０２及び／又は無線ノード１１０の説明された態様は、無線媒体１３６を通じてセルラー塔１２４を介してセルラーネットワーク１２８と通信するために、セルラー方式通信システムの一部を備えてもよい。
【００２８】
図１に示されているように、無線ノード１１０は、バックエンド処理システム等の遠隔ノード１２２と通信する。遠隔ノード１２２は、データベース１４０に通信可能に連結された処理システム１３８を備えている。身元並びに薬の種類及び用量を含む、患者に関連した情報がデータベース１４０に記憶されてもよい。一態様において、処理システム１３８は、無線ノード１１０を介してモバイルデバイス１０２から情報を受信し、無線ノード１１０及び／又はモバイルデバイス１０２から医療従事者に情報を提供するために、データベース１４０の情報にアクセスする。遠隔ノード１２２は、例えば本人確認のための患者の写真等の識別情報、摂取される前のＩＥＭデバイス１０４の写真、ＩＥＭデバイス１０４と組み合わされる薬の種類、並びに患者が摂取した薬の種類及び用量の確認等、様々な情報を通信することができる。無線ノード１１０は、所定の時間遅延に基づいて周期的に、無線、Ｇ２、Ｇ３、Ｇ４、リアルタイム等、その場で利用可能な通信の任意のモード及び周波数を使用して遠隔ノード１２２と通信すると共に、後で記憶及び転送することができる。
【００２９】
無線ノード１１０と遠隔ノード１２２との通信の手段はネットワークを含む。様々な態様において、ネットワークは、ＬＡＮ及びＷＡＮを備えてもよく、インターネット、有線チャネル、無線チャネル、電話を含む通信デバイス、コンピュータ、通信回線、無線、光学又は他の電磁チャネル、及びこれらの組み合わせを含むがこれらに限定されず、データ通信が可能な及び／又はデータ通信に関連した他のデバイス及び／又は構成要素を含む。例えば通信環境は、体内通信と、様々なデバイスと、無線通信、有線通信及びこれらの組み合わせ等の様々なモードの通信とを含む。
【００３０】
遠隔ノード１２２にある処理システム１３８は、例えば対象に関する権限を提供するために、所望に応じて構成されたサーバ等を備えてもよい。例えばサーバは、家族介護人が、サーバによって生成された警告及び傾向を家族介護人が監視することを可能にするインタフェース（ウェブインタフェース等）等を介して対象者の治療レジメンに参加し、患者を支援することを可能にするように構成されてもよい。サーバはまた、通信デバイスを介して対象者に伝達される、対象者の警告、対象者の奨励の形式等で、対象者に直接応答するように構成されてもよい。サーバは更に、ＲＮ、医師等の医療従事者と相互作用してもよく、医療従事者は、健康度の要約、警告、患者間のベンチマーク等、対象者の健康及び順守の測定結果を取得し、情報に基づいて臨床治療の通信及びサポートを患者に提供するようにデータ処理アルゴリズムを使用することができる。サーバは更に、薬局、栄養センター、製薬会社とも相互作用してもよい。
【００３１】
一態様において、遠隔ノード１２２は、モバイルデバイス１０２から受信した情報をデータベース１４０に記憶してもよい。このような情報は、ＩＥＭデバイス１０４が患者１０６によって摂取されたときのおよその時間及び日付スタンプを含んでもよい。加えて、例えば、ＩＥＭデバイス１０４に関連したシリアル番号等の識別番号、個々の患者の身元、薬の入手元、及びＩＥＭデバイス１０４と組み合わされた薬の有効日又は保存可能期間がデータベース１４０に記憶されてもよい。
【００３２】
図１を引き続き参照すると、一態様において、ＩＥＭデバイス１０４が患者１０６によって摂取された直後、ＩＥＭデバイス１０４は、電極等の検出部を介して着用可能受信器１０８に情報を通信する。着用可能受信器１０８は情報をモバイルデバイス１０２へ通信し、モバイルデバイス１０２は、情報を（例えば、Ｗｉ−Ｆｉ接続を介して）無線ローカルノード１１０へ通信するか、或いはセルラー塔１２４及び／又は基地局１２６と通信して、セルラーネットワーク１２８を介してインターネット１３０にアクセスすることができる。従って、ＩＥＭデバイス１０４からモバイルデバイス１０２によって受信した情報は、セルラーネットワーク１２８を通じてインターネット１３０を介して遠隔ノード１２２へ通信することができる。遠隔ノード１２２にある処理システム１３８は、モバイルデバイス１０２から情報を受信してデータベース１４０に記憶してもよい。
【００３３】
別の態様において、モバイルデバイス１０２は、ローカル無線アクセスポイント１１０（例えば、Ｗｉ−Ｆｉ）と通信し、ローカルアクセスポイント１１０は、有線１１８を介して及び／又は無線１２でＬＡＮ１１２に連結される。ＬＡＮ１１２はインターネット１３０等のＷＡＮに連結され、インターネット１３０は、遠隔に位置する遠隔ノード１２２に連結される。ＩＥＭデバイス１０４によって生成された固有の電流署名を検出すると（例えば、着用可能受信器１０８からの電流署名に関連したデータ／情報を受信することによって）、モバイルデバイス１０２は、アクセスポイント１１０、ＬＡＮ１１２、及びインターネット１３０を介して、遠隔ノード１２２にある処理システム１３８情報を通信することができる。処理システム１３８は、データベース１４０に情報を記憶する。遠隔ノード１２２は、データベース１４０に記憶された、ＩＥＭデバイス１０４に関連した情報の追加処理のために、他のネットワーク１３２にアクセスすることができる。
【００３４】
別の態様において、モバイルデバイス１０２は、ＩＥＭデバイス１０４に関連した情報を別のモバイルデバイスへ送信してもよい。他のモバイルデバイスは、次いで、セルラー塔１２４、基地局１２６、セルラーネットワーク１２８及びインターネット１３０から遠隔ノード１２２へ通信する。別の態様において、他のモバイルデバイスは、アクセスポイント１１０、ＬＡＮ１１２及びインターネット１３０から遠隔ノード１２２へ通信する。通信が遠隔ノード１１２と確立されると、ＩＥＭデバイス１０４に関連した情報は、処理システムによって処理される及び／又はデータベース１４０に記憶されることができる。システム１００に関連する追加の詳細は、以下に説明する。
【００３５】
図２〜５１の説明と関連して、簡潔性及び明確性のために、図１に示されているシステム１００及びその要素も参照する。本開示に係る登録情報システムが実装されてもよい基本的なシステムを説明したが、ここで、患者１０６に受け取られる１週間分のアドヒアランスパッケージ２００の一態様を示す図２を説明する。アドヒアランスパッケージ２００は、例えば様々な部分２１４で折られ、患者１０６が使用するために目立たない便利なパッケージに折り畳まれ得る折り畳みシート２０２を備えている。アドヒアランスパッケージ２００の内容は一般的に、着用可能受信器１０８（例えば、電子パッチ）と、複数の識別ラベル２０６と、所定の供給分の薬が含まれる複数のブリスター２０８とを含む。各ブリスター２０８は、薬剤師によって充填されてもよく、以下に詳細に説明するように、服用事象を追跡して服用タイムラインを生成するためのＩＥＭデバイス１０４を含んでもよい。アドヒアランスパッケージ２００の日次服用部分は夫々、患者１０６の薬の必要性及び要件に基づいて、任意の数のブリスター２０８を含んでもよいことが理解される。示されているように、アドヒアランスパッケージ２００は、１日に４回の服用事象を夫々含む１週間分の薬を含み、従って、２８の別個のブリスター２０８がある。１週間分の薬のブリスターパックは、患者１０６が、１日分以上の個人供給分の薬を取外し、ミシン目２１２に沿って切り取るだけで持ち運びできるように、水平方向に沿ってミシン目２１２を更に有する。ミシン目は、１日分の薬を切り取るために水平方向に沿って示されているが、ミシン目は、縦方向２１６に沿って設けられ得ることが理解される。他の態様において、１週間の各曜日等、様々な所定の期間に関連した薬のブリスターパックは、図２に示されている水平方向ではなく、縦方向に構成されてもよい。その態様において、１日分のミシン目は、水平方向ではなく縦方向に沿って設けられる。
【００３６】
一般的な意味において、アドヒアランスパッケージ２００は、個人の薬に関連した複数の引き裂き片を含むシート２０２を備えている。少なくとも１つのブリスターパック２０８は、個人の薬を含むためにシートに連結されてもよく、ミシン目２１２に沿って切ることによってシート２０２から少なくとも１つのブリスターパック２０８の取外しを可能にするために、シート２０２に設けられたミシン目２１２に連結されてもよい。アドヒアランスパッケージ２００の一態様において、複数の引き裂き片のうちの少なくとも１つは、期間を該少なくとも１つの引き裂き片と相互に関連付けるために印を有する。図示されているように、このような印は１週間の曜日に対応するが、印は、例えば一日の時間に対応してもよい。アドヒアランスパッケージ２００の別の態様において、複数の引き裂き片のうちの少なくとも１つは、個人の用量を該少なくとも１つの引き裂き片と相互に関連付けるために印２０６を備える。一態様において、アドヒアランスパッケージ２００は、患者１０６に関連付けられ、摂取可能デバイス１０４から通信を受信するように構成された少なくとも１つの受信器（例えば、受信器１０８）を更に備えている。受信器１０８は、モバイルデバイス１０２と無線通信するために通信回路を備えている。一態様において、アドヒアランスパッケージ２００は、該少なくとも１つの受信器と通信するように構成されたモバイルデバイス１０２を更に備えている。一態様において、アドヒアランスパッケージ２００は、少なくとも１つの摂取可能デバイス１０４を更に備えている。
【００３７】
様々な態様において、１週間分の薬のアドヒアランスパッケージ２００を受け取るために、患者１０６は、本開示に係る登録情報システムに参加、申し込み、登録等しなければならない。最初に、患者１０６は開始キットを受け取るが、患者１０６は、最終的には、例えば週次又は月次ベースで１週間分の薬のアドヒアランスパッケージ２００を受け取る。しかしながら、アドヒアランスパッケージは、最初の購入の一部、継続的な週次、月次又は他の処方、或いは以下に説明するように単に再充填ブリスターパック及び着用可能受信器を含む場合がある代替の自分で組み立てる構成に基づいて、様々な形式で実装されてもよい。例えば、一態様において、最初の購入の一部として、患者１０６は、個人コード、着用可能受信器１０８（例えば、電子パッチ）、複数のデモンストレーション錠剤、及び開始キットを使用する開始手順についての指示書を含む開始キットを受け取る。患者１０６がモバイルデバイス１０２を所有しない場合、モバイルデバイスが最初の購入で提供されてもよい。このため、一態様において、開始キットは、使用指示書と共に予めインストールされたスマートフォン（例えば、アンドロイド）を備えてもよい。継続的な月次処方の一部として、例えば患者１０６は、図２に示されている１週間分の薬のアドヒアランスパッケージ２００と同様のパッケージを受け取る。１か月の供給分は、例えば４週間分の薬のアドヒアランスパッケージ２００を含む。週次のアドヒアランスパッケージ２００は夫々、１箱に６つの着用可能受信器１０８、拭き取り、及び４つの日次用量で１週間分の薬を保管するための２８のブリスター２０８を含んでもよい。日次用量の薬は夫々ＩＥＭデバイス１０４も備えている。自分で組み立てる供給分は、１箱の着用可能受信器１０８（例えば、１又は２以上好ましくは６つの着用可能受信器１０８）及びマルチカウントブリスターパックを含み、日次服用事象につき１箱である。
【００３８】
最初の開始アドヒアランスパッケージを受け取り、開始アドヒアランスパッケージを開封すると数分以内に、患者１０６は、着用可能受信器１０８からのデータの収集を開始するために、モバイルデバイス１０２に適切なアプリケーションをインストールすることが可能である。着用可能受信器１０８は、患者がデモンストレーション錠剤を摂取した後、活動データの収集を開始する。最終的に患者１０６は、実際の週次薬アドヒアランスパッケージ２００を受け取り、週次薬アドヒアランスパッケージ２００には、実際の薬と、服用事象を追跡するために薬ブリスター２０８毎の対応するＩＥＭデバイス１０４とが含まれる。システムが動作可能になると、モバイルデバイス１０２で起動したＧＵＩアプリケーションは、特に活動及び薬ストリーム、個人通知、活動及び服用傾向への洞察等、様々な個人情報を表示するように構成されることができ、これは、例えば図３〜５１を参照して以下に詳細に説明する。
【００３９】
図３は、モバイルデバイス１０２のディスプレイ画面の個人情報ストリームグラフィカルユーザインタフェース３００（ＧＵＩ）の一態様を図示する。個人情報ストリームＧＵＩ３００の左上部分には、患者の名前「Ｋａｔｈｒｙｎ」が表示され、ＧＵＩ３００の最上部水平部分に沿って複数のＧＵＩ要素又はアイコンが表示される。これらのＧＵＩ要素は、例えば、一般的に活動リボン３０６の形式の活動タイムライン及び服用タイムラインの表示に対応する第１のＧＵＩ要素３１６を含んでもよい。当業者は、活動タイムラインの表示が様々な形式で具現化されてもよく、任意の特定の表現に制限されないことを認識する。第２のＧＵＩ要素３１８は、活動傾向及び／又は服用傾向の表示に対応する。第３のＧＵＩ要素３２０は、着用可能受信器１０８の構成、初期設定、管理及び交換の表示に対応する。第４のＧＵＩ要素３２２は、招待、及び被招待者と共有されるデータの制御等のデータ共有機能の管理及び制御に対応する。第５のＧＵＩ要素３２４は、患者１０６の必要性及び要件に合わせてシステムをカスタマイズして調整するためのシステムユーティリティツールに対応する。
【００４０】
ＧＵＩ３００を起動するために、ユーザが第１のＧＵＩ要素３１６を選択すると、モバイルデバイス１０２のディスプレイ画面は、活動タイムライン３０２及び服用タイムライン３０４を表示する。図３では、活動タイムライン３０２及び服用タイムライン３０４を含む個人情報ストリームは、１日２４時間に対応する。しかしながら、個人情報ストリームは、１週間、１ヶ月間、又は任意の適切なカスタム調整された期間に及ぶようにカスタマイズされてもよい。活動タイムライン３０２は、患者１０６が追跡されている１日の各時間をどのように過ごしているかを示す活動リボン３０６を含む。活動タイムライン３０２は最下部の横軸に沿って示され、活動レベルはＧＵＩ３００の左側の縦軸に沿って示される。図３に示されている態様において、患者の活動レベルは、４つの個別の増分、すなわち、睡眠３０８、休息３１０、中度の身体活動３１２及び強度の身体活動３１４として示される。活動リボン３０６は、タイムライン上をスクロールし、その日全体の患者の活動を追跡する。コメント吹き出し３２６は、患者１０６が任意の特別に記録される活動レベルを明確にすべく個人的メモを入力するために提供される。また、ＧＵＩ３００の最下部水平方向部分に沿って、服用タイムライン３０４が示され、服用タイムライン３０４は特別な服用事象が発生した時間を示すために錠剤のアイコン３２８によって示される。システムは、薬の服用が予定されている時間を１組のアイコンとして示し、着用可能デバイス１０８によって検出されるＩＥＭデバイス１０４の検出に対応する実際の摂取を別の組のアイコン３２８として示す。従って、システム１００は、判断せず、個人情報ストリームＧＵＩ３００に情報を単に提示することによって、患者１０６又は第三者が日次の身体活動レベル及び服用事象を視覚的に相互に関連付けることを可能にする。
【００４１】
従って、患者は、一般的に長時間の睡眠をとってから、起床して何らかの用事を済ませ、次いで、昼に椅子で休憩しテレビを見るかもしれない。その後、立ち上がって、心拍を上昇させる散歩に行き、軽い運動をしてから、家に帰り、就寝するまで座って休憩する。活動リボン３０６は、患者１０６が１日全体でこれらの様々な状態全てをどのように過ごすかを患者に示す。従って、ユーザは一目で、患者１０６が、例えばある晩、非常に落ち着かず、何回も起きてトイレへ行ったか、又は寝返りをうって実際には十分に眠れなかったかを読み取ることができる。これは、活動リボン３０６の状態を見ることによって確認することができる。例えば、活動リボン３０６の活動下位部分３３０は、患者が睡眠しているべき時間に眠れなかったことを示す。
【００４２】
図４は、モバイルデバイス１０２のディスプレイ画面の個人通知ＧＵＩ４００の一態様を図示する。個人通知ＧＵＩ４００は、特定の事象の発生又は発生の欠如を介護人に通知するために、患者の介護人等、患者１０６によって選択された第三者のモバイルデバイス１０２に提供される。個人通知ＧＵＩ４００はまた、患者のデータを視認するように第三者を招待するために使用されてもよい。これは共有機能と称される。患者１０６は、どのデータを第三者が視認可能であるかについて完全に制御する。図示されている個人通知ＧＵＩ４００は、規定の時刻に患者１０６が通常通り活動しているにもかかわらず、システム１００が患者１０６による動きを検出しなかったという通知４０２を提供する。介護人は、その後適切な対処をすることができる。個人通知機能の他の態様を本明細書に以下に記載する。
【００４３】
図５は、モバイルデバイス１０２のディスプレイ画面の活動傾向ＧＵＩ５００の一態様を図示する。活動傾向ＧＵＩ５００を起動するために、第２のＧＵＩ要素３１８が選択される。示されているように、活動傾向ＧＵＩ５００は、ある一週間の患者の身体活動傾向を提供する。その週５０２の対応する日付が、ＧＵＩ５００の最下部水平部分に沿って示される。第１のボタン５１４は、選択されると活動時間数５０４を示す。患者１０６が１日のうちで運動していた時間に対応する時間数５０４は、ＧＵＩ５００の軸の左縦方向部分に沿って示される。活動時間５０４は、棒グラフ５１０を使用してグラフ化される。横線５１２が、１日のうちで患者が活動する通常の時間数を表す。第２のボタン５１６は、ユーザによって選択されると、患者が歩いた歩数５０６を表わす。１日のうちで患者が歩いた歩数５０６は、右側の縦軸に沿って与えられる。患者が歩いた歩数５０６は、円内に位置する１対の足跡のように見えるアイコン５０８を使用してグラフ化される。患者１０６が歩いた歩数５０６は、ＧＵＩ５００の左縦方向部分に沿って示される。
【００４４】
一般的な用語で本開示に係る登録情報システムを説明してきたが、登録情報システムの１つの有用な態様を、前述の図１〜５及び以降の図６〜１１を参照して説明する。このように、患者１０６が薬アドヒアランスプログラムに参加すると判断すると、薬剤師からアドヒアランス開始キットを購入することができる。
【００４５】
図６は、モバイルデバイス１０２のディスプレイ画面のアカウント作成ＧＵＩ６００の一態様を図示する。登録情報システム１００は、まずアカウントを作成し、着用可能受信器１０８をモバイルデバイス１０２とペアリングし、開始キットに備えられた複数のデモンストレーション錠剤を摂取し、アプリケーションを起動してから、モバイルデバイス１０２のディスプレイに表示されたデータを視認することによって設定される。システム１００は、患者１０６が開始キットを設定すると直ちに活動を検出してモバイルデバイス１０２へのデータの提供を開始する。実際のアドヒアランスパッケージ２００は一般に、開始キットが設定された数日後に提供される。図６に示されているように、患者１０６が着用可能受信器１０８をモバイルデバイス１０２とペアリングした後、アカウントを作成するために、モバイルデバイス１０２によってアプリケーションが起動される。これに応じて、アカウント作成ＧＵＩ６００がモバイルデバイス１０２のディスプレイによって表示される。患者１０６は、「名６０２」、「姓６０４」、「ユーザ名６０６」、「パスワード６０８」及び「パスワード確認６１０」等の適切なテキストボックスに必要な情報を入力する。
【００４６】
図７は、患者がデータを共有する相手及び共有するデータを選択することを可能にする、モバイルデバイス１０２ａのディスプレイ画面の「共有管理」ＧＵＩ７００の一態様を図示する。図８は、患者と情報を共有するための、モバイルデバイス１０２ｂのディスプレイ画面の第三者介護人ＧＵＩ７１０の一態様を図示する。図７及び８は夫々、患者のモバイルデバイス１０２ａ及び第三者のモバイルデバイス１０２ｂを図示する。第三者は、以下に説明するように、患者１０６と情報を共有するために招待されて承認されている。図７は、患者（Ｋａｔｈｒｙｎ）のモバイルデバイス１０２ａのディスプレイを図示し、患者１０６がデータを共有する相手及び共有するデータを選択することを可能にするための「共有管理」ＧＵＩ７００を示す。図７に示されているように、「共有管理」ＧＵＩ７００は、ＧＵＩ７００の最上部水平部分に沿って図３のアイコンを参照して説明された一群のＧＵＩ要素３１６、３１８、３２０、３２２、３２４を含む複数の要素を示す。各ＧＵＩ要素は様々な動作に対応し、例えば、第１のＧＵＩ要素３１６は、活動タイムライン及び服用タイムラインの表示に対応し、第２のＧＵＩ要素３１８は、活動傾向及び／又は服用傾向の表示に対応し、第３のＧＵＩ要素３２０は、着用可能受信器１０８の構成、初期設定、管理及び交換の表示に対応し、第４のＧＵＩ要素３２２は、招待、及び被招待者と共有されるデータの制御等のデータ共有機能の管理及び制御に対応し、第５のＧＵＩ要素３２４は、患者１０６の必要性及び要件に合わせてシステムをカスタマイズして調整するためのシステムユーティリティツールに対応する。
【００４７】
具体的には、図７に示されているように、「共有管理」ＧＵＩ７００を開いて表示するために、第４のＧＵＩ要素３２２が選択されている。「共有管理」ＧＵＩ７００を使用して、患者１０６は、誰がデータを共有（例えば、アクセス）することができるか、及び被招待者とどのデータを共有することができるかを制御することができる。示されているように、「共有管理」ＧＵＩ７００は、（１）Ａｎｎａ、Ｊａｎｅ及びＫａｒｌという名前の３人の介護人、（２）Ｐｈｉｌｌｉｐｓという名前の薬剤師、（３）Ｄｒ．Ｊｏｈｎｓｏｎという名前の医師を表示する。患者１０６は、適切なＧＵＩ要素を選択することによって、これらの人によって視認されることが可能な情報を別々に制御することができる。例えば、Ａｎｎａは、要素７１６ａを選択することによって個人情報活動タイムラインを視認し、要素７１６ｂを選択することによって活動傾向チャートを視認し、要素７１６ｃを選択することによって服用タイムラインを視認することが可能である。Ｐｈｉｌｌｉｐａ（薬剤師）は、要素７１６ｂ及び７１６ｃだけが選択されているため、活動傾向チャート及び服用タイムラインだけを視認することが可能である。Ｊａｎｅはいかなるデータもアクセスできない。Ｄｒ．Ｊｏｈｎｓｏｎ（医師）は、要素７１６ｃだけが選択されているため、服用タイムラインだけを視認することができる。例としてＫａｒｌを挙げると、部分７０４は、Ｋａｒｌが、選択された対応する要素７１６ａ及び要素７１６ｃに基づいて活動タイムライン及び服用タイムラインを共有することが可能であるが、傾向チャートを共有することが可能ではないことを示す。従って、Ｋａｒｌは、Ｋａｔｈｒｙｎが運動しているか、薬を服用しているかを監視することが可能である。傾向チャート要素７１６ｂは選択されていないので、Ｋａｔｈｒｙｎは、傾向チャートを視認するためのアクセスをＫａｒｌに与えていない。
【００４８】
図８は、患者１０６（Ｋａｔｈｒｙｎ）と情報を共有する一方、モバイルデバイス１０２ｂのディスプレイ画面の第三者介護人（Ｋａｒｌ）ＧＵＩ７１０の一態様を図示する。介護人のモバイルデバイス１０２ｂのディスプレイは第三者共有ＧＵＩ７１０を示す。ＧＵＩ７１０は、患者１０６に権限が与えられているデータだけを表示する。前述のように、患者１０６（Ｋａｔｈｒｙｎ）は、自分のデータの一部を共有するように介護人（Ｋａｒｌ）を招待した。従って、ＧＵＩ７１０は、ＧＵＩ７１０の左上部分７１２に患者の名前Ｋａｔｈｒｙｎを示す。患者１０６のＫａｔｈｒｙｎは、自分の活動タイムライン７１４及び服用タイムライン７１８を視認するための権限をＫａｒｌに与えたので、Ｋａｒｌは、ＧＵＩ７１０の活動タイムラインＧＵＩ要素７０８を選択することによってこれらの要素を視認することが可能である。
【００４９】
図９〜１１は、モバイルデバイス１０２のディスプレイ画面のサポートＧＵＩの様々な態様を示す。図９は、第三者のモバイルデバイス１０２ｃのディスプレイ画面の「服用傾向」ＧＵＩ７２０の一態様を示す。図示されている例では、第三者のモバイルデバイス１０２ｃは患者の医師に属する。示されているように、「服用傾向」ＧＵＩ７２０は、１週間に亘って日次服用傾向チャート７２４に記録された事象を示す。患者１０６が、図７で説明したように「共有管理」ＧＵＩ７００を使用して日次服用傾向チャート７２４を視認する動作を以前に有効にしていた場合、医師は日次服用傾向チャート７２４を視認することが可能である。図９に戻ると、医師は、活動傾向チャート要素３１８を選択することによって、日次服用傾向チャート７２４を表示することができる。服用傾向チャート７２４は、１週間に亘って日次ベースで患者１０６によって服用された薬の量及び時間を示す。１週間の日付が、「服用傾向」ＧＵＩ７２０の最下部水平部分に沿って示され、服用時間が、「服用傾向」ＧＵＩ７２０の左側縦方向部分に沿って示される。示されているように、医師は、その上に数字の２が表されている錠剤アイコン７２６によって示されているように、患者１０６が昼の用量の薬に加えて夜の用量の薬をしばしば服用していることを見ることが可能である。
【００５０】
図１０は、第三者（例えば、医師）のモバイルデバイス１０２ｃのディスプレイ画面の「活動傾向」ＧＵＩ７３０の一態様を図示する。図１０に図示されているように、医師に患者の活動傾向チャートを視認する許可が与えられている場合、医師は、活動傾向チャート７３４、７３６を表示するために活動傾向チャート要素３１８を選択するだけである。第１の活動傾向チャート７３４は、１週間に亘る日次活動時間数に対応する。１週間の日付は、「活動傾向」ＧＵＩ７３０の最下部水平部分に沿って示され、時間０〜２４は、「活動傾向」ＧＵＩ７３０の左側縦方向部分に沿って示される。第２の活動傾向チャート７３６は、１週間に亘って日次ベースで患者１０６が歩いた歩数に対応する。０〜２ｋの歩数は、「活動傾向」ＧＵＩ７３０の右側縦方向部分に沿って示される。従って、医師は、１週間に亘る患者の活動レベルを見ることが可能である。
【００５１】
図１１は、患者のモバイルデバイス１０２ａのディスプレイ画面のカスタム通知ＧＵＩ７４０の一態様を図示する。カスタム通知ＧＵＩ７４０は、薬を服用する予定の前又は後の通知を設定するために、或いはＩＥＭデバイス１０４が服用（例えば、ＩＥＭデバイス１０４の摂取）の所定の期間内に検出された場合は薬通知を取り消すために、患者によって使用される。具体的には、ドロップダウンリスト要素７４２が、服用が予定される所定の時間（例えば、２０分）前のリマインダを設定するために使用されてもよい。第２のドロップダウンリスト要素７４４が、服用が予定される所定の時間（例えば、４０分）後のリマインダを設定するために使用されてもよい。第３のドロップダウンリスト要素７４６が、ＩＥＭデバイスが薬を服用する所定の時間（例えば１時間）内に検出された場合、薬通知を取り消すために使用されてもよい。
【００５２】
患者のデータの介護人又は他の関係者との共有に関し、一態様において、本開示に係る登録情報システムに関連したアプリケーションは、モバイルデバイス１０２又は遠隔処理システム１２２で実行されるか否かに関わらず、患者がデータを共有することを意図した相手が本当に意図した人であることを保証するための機構を提供する。例えば、Ｇｏｏｇｌｅ  Ｈｅａｌｔｈ又はＭｉｃｒｏｓｏｆｔ  Ｈｅａｌｔｈ  Ｖａｕｌｔのようなウェブサイトでは、このようなアプリケーションが、ユーザが自身の電子メールアドレスを２回入力してから、送信を押下するように要求することが業界標準である。しかしながら、人が自分の電子メールアドレスを２回誤って入力することは非常に起こりやすい。従って、従来のアプリケーションでは、電子メールアドレスを２回入力することによって、意図された関係者が患者によって共有される情報を受信することが確実になるという実際の保証は存在しない。一態様に従い、セキュリティ及びプライバシーの理由で、本アプリケーションは、ユーザが自身の電子メールアドレスを１回入力してから、「送信」ボタンを選択するように要求する。患者は、個人コードと、患者が自身の医療データを共有するために介護人又は他の第三者を招待したという電子メールとを遠隔システム１２２から受信する。患者は、その後、被招待者に患者の個人コードを開示するために、電話又は別の電子メールのいずれかにより被招待者と別に通信しなければならない。介護人は、データを共有すべく患者の招待を受けるために個人コードを入力しなければならない。本開示に係る登録情報システムは、介護人との何らか形の対人コミュニケーションを取り替えず、むしろその関係を強化し、患者と介護人との異なる通信手段を開く。
【００５３】
図１２〜５１は、アカウントの作成、着用可能受信器のモバイルデバイスとのペアリング、タイムラインの視認、着用可能受信器の管理及び交換、データを共有するための被招待者の設定、患者の指定に合わせてシステムを構成するツールの使用という点から、モバイルデバイス１０２の機能の特定の実装に注目する。従って、図１２〜１４は、アカウントの作成過程中のモバイルデバイス１０２のディスプレイ画面の一連のＧＵＩを図示する。アカウント作成アプリケーションが起動すると、患者のモバイルデバイス１０２のディスプレイ画面は、図１２に示されている「サインイン」ＧＵＩ１２００を示す。「サインイン」ＧＵＩ１２００は、患者１０６が適切な情報を入力することを可能にする「ユーザ名」テキストボックス１２０２及び「パスワード」テキストボックス１２０４を有する。
【００５４】
適切な情報が「ユーザ名」テキストボックス１２０２及び「パスワード」テキストボックス１２０４に入力され、「アカウント作成」ボタン１２０６が選択されると、モバイルデバイス１０２のディスプレイ画面は、図１３に示されているように「ようこそ」ＧＵＩ１３００を表示する。「ようこそ」ＧＵＩ１３００は、「次へ」ボタン１３０４を選択することによって次の画面に移動する前に、患者が開始キットにある個人コードを入力するための「個人コード」テキストボックス１３０２を有する。簡潔に上述したように、個人コードは開始キットに含まれ、セキュリティのために患者によって別の通信でデータを共有する被招待者に通信される。
【００５５】
開始キットからの個人コードを「個人コード」テキストボックス１３０２に入力し、「次へ」ボタン１３０４を選択すると、モバイルデバイス１０２のディスプレイ画面は、図１４に示されているように「アカウント作成」ＧＵＩ１４００を示す。「アカウント作成」ＧＵＩ１４００は、「名」テキストボックス１４０２と、「姓」テキストボックス１４０４と、「ユーザ名」テキストボックス１４０６と、「パスワード」テキストボックス１４０８と、「パスワード確認」テキストボックス１４１０とを有する。「次へ」ボタン１４１２を選択すると、ユーザによって入力された情報が遠隔処理システム１２２（例えば、バックエンド処理システム）へ送信され、患者の名前でアカウントが作成される。
【００５６】
図１５〜１８は、着用可能受信器を着用してデモンストレーションするための、モバイルデバイス１０２のディスプレイ画面のＧＵＩの様々な態様を図示する。図１５に示されているように、第１のＧＵＩ１５００は、着用可能受信器（例えば、電子パッチ）を設定するための指示を提供する。ＧＵＩ１５００は、点滅ボタン要素１５０４を有する着用可能受信器要素１５０２を示し、光が点滅するまで実際の着用可能受信器１０８（パッチ）の対応するボタンを押下するように指示を与える。従って、この時点で、患者は開始キットから着用可能受信器を取り出し、着用可能受信器１０８のボタンを押下する。その後、患者は「次へ」ボタン１５０６を選択（タップ）して、次のＧＵＩへ進む。
【００５７】
図１６は、モバイルデバイス１０２のディスプレイ画面の次のＧＵＩ１６００を示す。ＧＵＩ１６００は、着用可能受信器要素１６０２、モバイルデバイス要素１６０４及び無線要素１６０６を示し、モバイルデバイス１０２及び着用可能受信器１０８が接続過程にあることを示す。接続過程中、着用可能受信器１０８はモバイルデバイス１０２とペアリングされるので、２つのデバイスは相互に通信できる。
【００５８】
図１７は、着用可能受信器１０８及びモバイルデバイス１０２が接続された際のモバイルデバイス１０２のディスプレイ画面の新しいＧＵＩ１７００を示す。ＧＵＩ１７００は、モバイルデバイス１０２及び着用可能受信器１０８が接続されたというフィードバックを提供し、患者の胴体の左側に着用可能受信器１０８を付けるように指示を与える。また、画面は患者要素１７０２も表示し、着用可能受信器要素１７０４が患者要素１７０２の胴体の左側に位置付けられる。このタスクを完了した後、「次へ」ボタン１７０６を選択すると、次のＧＵＩ１８００が起動する。
【００５９】
図１８は、ディスプレイデバイス１０２のディスプレイ画面のＧＵＩ１８００を示す。ＧＵＩ１８００は、開始キットに備えられていた２つのデモンストレーション錠剤を服用してから、「終了」ボタン１８０８を選択するように患者１０６に指示を与える。ＧＵＩ１８００は、２つのデモンストレーション錠剤要素１８０２、１８０４及び時計要素１８０６も表示して、患者に対し、遠隔処理システム１２２は、システム１００が所定の時間内に患者を支援する用意ができることを確認することを示す。画面１８００によって図示されているように、患者１０６は、遠隔処理システム１２２が例えば、１０分以内に支援の用意ができることが知らされる。モバイルデバイス１０２が遠隔処理システム１２２からの応答を待機していることを患者に示すために、追加のＧＵＩが提供されてもよいことが理解される。遠隔処理システム１２２が２つのデモンストレーション錠剤を検出したことを患者１０６に知らせ、例えば（１）第１のボタン「データを見る」及び（２）第２のボタン「データを共有」という２つのボタンを更に表示するために、別のＧＵＩが提供されてもよい。遠隔処理システム１２２がデモンストレーション錠剤をまだ検出していないことを示し、追加の「トラブルシューティング」ボタンを表示するために、追加のＧＵＩが提供されてもよい。
【００６０】
患者１０６が、図１５〜１８に示されこれらを参照して説明した着用・デモンストレーション段階に関連するタスクを完了し、遠隔処理システム１２２がデモンストレーション錠剤の摂取の検出に成功すると、モバイルデバイス１０２のディスプレイ画面は、図１９に示されているようにホームＧＵＩ１９００を示す。ホームＧＵＩ１９００は、患者の日次の活動及び薬摂取を特徴付けるタイムラインビューを示す。ＧＵＩ１９００は、図３に示されこれを参照して説明されたＧＵＩ３００と同様であり、簡潔性のためにここで繰り返さない。
【００６１】
図２０〜２３は、患者の日次の身体活動及び薬摂取を特徴付ける、モバイルデバイス１０２のディスプレイ画面のタイムラインＧＵＩの様々な態様を図示する。図２０は、患者の日次の身体活動及び薬摂取を夫々特徴付ける活動タイムライン２００４及び服用タイムライン２００８を示す、モバイルデバイス１０２のディスプレイ画面のＧＵＩ２０００を図示する。ＧＵＩ２０００は、活動タイムライン及び服用タイムラインの表示に対応する第１のＧＵＩ要素３１６（例えば、タイムライン要素）が画面レイアウト２０００の最上部水平部分に沿って表示される一群の要素から選択されると表示される。活動タイムライン２００４又は服用タイムライン２００８のいずれかに表示されるメモを入力するには、テキスト「メモを作成・・・」が表示される画面２００６の下部分を選択する。
【００６２】
画面２００６の下部分を選択すると、モバイルデバイス１０２のディスプレイ画面は、図２０に示されているように、メモを活動タイムライン２００４又は服用タイムライン２００８上に表示するかを選択するために、「メモ作成」ＧＵＩ２１００を示す。図２１に示されているように、「薬」要素２１０４を選択すると、服用タイムライン２００８にメモが配置され、「活動」要素２１０６を選択すると、活動タイムライン２００４にメモが配置される。
【００６３】
図２１の「メモ作成」ＧＵＩ２１００で「薬」要素２１０４が選択されると、モバイルデバイス１０２のディスプレイ画面は、図２２に示されるようなＧＵＩ２２００を示す。「テキストボックス」２２０２は、仮想キーボード２２０４を使用してメモを入力するために提供される。薬要素２２０６は、メモが活動タイムラインではなく服用タイムラインに必ず配置されるように、現在の日付と共に示される。
【００６４】
図２１の「メモ作成」ＧＵＩ２１００で「活動」要素２００６が選択されると、モバイルデバイス１０２のディスプレイ画面は、図２３に示されるようなＧＵＩ２３００を示す。「テキストボックス」２３０２は、仮想キーボード２３０４を使用してメモを入力するために提供される。活動タイムライン要素２３０６は、メモが服用タイムラインではなく活動タイムラインに必ず関連付けられるように、現在の日付と共に示される。
【００６５】
図２４は、１週間に亘る患者の活動傾向を示す、モバイルデバイス１０２のディスプレイ画面の活動傾向チャートＧＵＩ２４００の一態様を図示する。活動傾向チャート２４０２は、任意の所定の期間に亘る患者の測定基準（例えば、活動傾向）を示すようにカスタマイズされ得る。例えば図２５に示されているように、ＧＵＩ２５００に示される活動傾向チャート２５０２は、１ヶ月間に亘る患者の活動傾向を示す。ＧＵＩ２４００は、活動傾向及び／又は服用傾向の表示に対応するＧＵＩ要素３１８を選択することによって開かれてもよい。
【００６６】
図２６は、１週間に亘る患者の服用傾向を示す、モバイルデバイス１０２のディスプレイ画面の服用傾向ＧＵＩ２６００の一態様を図示する。ＧＵＩ２６００は、活動傾向及び／又は服用傾向の表示に対応するＧＵＩ要素３１８を選択することによって開かれてもよい。ＧＵＩ２６００又は服用傾向チャートは、患者１０６によって薬が摂取された時間を示す。摂取の時間及び薬の種類が、ＩＥＭデバイス２１０によって着用可能受信器１０８へ通信され、その後モバイルデバイス１０２へ通信され、最終的に遠隔処理システム１２２へ通信される。服用傾向チャート２６０２は以下のように示されてもよく、例えば５月２３日に患者１０６は、錠剤要素２６０２によって示されているように朝に薬を服用し、錠剤要素２６０４によって示されているように昼に薬を服用し、錠剤要素２６０６によって示されているように夜に薬を服用した。５月１９日に患者１０６は、錠剤要素２６０８によって示されているように服用傾向チャート２６０２にメモを入力した。５月２２日に患者１０６は、錠剤要素２６１０によって示されているように夜間に２つの薬を服用した。服用傾向チャート２６０２は、「今日」の下に、午後１０時４２分現在、患者１０６が夜の薬をまだ服用していないことを示す。全体的に、服用傾向チャート２６０２は、ほとんどの部分で患者１０６が適切な時間に適切な量の薬を服用していることを示す。
【００６７】
図２７は、リポートを送信するための、モバイルデバイス１０２のディスプレイ画面の「リポート送信」ＧＵＩ２７００の一態様を図示する。ＧＵＩ２７００は、リポートを送信する電子メールアドレスを選択するか又は入力するための電子メール入力ボックス２７０２を提供する。リポート期間の開始日及び終了日は夫々、カレンダー要素２７０４及び２７０６を選択することによって選択され得る。或いは、リポート期間の開始日及び終了日は、カレンダー要素２７０４、２７０６の隣にある夫々のテキストボックスに入力され得る。詳細度テキストボックス２７０８は、例えば日、週、月等、リポートの詳細度を選択するために提供される。電子メールテキストボックス２７０２及び詳細度テキストボックス２７０８は、選択過程の便宜を高めるために、ドロップダウンリストオプションで提供される。
【００６８】
図２８は、着用可能受信器（例えば、パッチ）を管理するための、モバイルデバイスのディスプレイ画面の「システム試験」ＧＵＩ２８００の一態様を図示する。図２９は、着用可能受信器（例えば、パッチ）を交換するための、モバイルデバイスのディスプレイ画面の「パッチ交換」ＧＵＩ２９００の一態様を示す。図２８及び２９を参照すると、「システム試験」ＧＵＩ２８００及び「パッチ交換」ＧＵＩ２９００は夫々、着用可能受信器（例えば、パッチ）システム管理及び着用可能受信器（例えば、パッチ）交換に関連する。ＧＵＩ２８００、２９００はどちらも、画面の最上部水平部分に表示されたパッチ要素３２０を選択することによって開くことができる。図２８に示されているように、システムは、「システム試験」ボタン２８０４を選択することによって試験され得る。「パッチ交換」ボタン２８０６を選択すると、着用可能受信器（例えば、パッチ）を交換するための、図２９に示される「パッチ交換」ＧＵＩ２９００が開く。「パッチ交換」ＧＵＩ２９００は、着用可能受信器１０８に対応するパッチ要素２９０２及び点滅ボタン要素２９０４を表示する。着用可能受信器１０８は、光が点滅するまで着用可能受信器１０８のボタンを押下してから、「次へ」要素２９０６を選択（例えば、タップ）することによって交換され得る。
【００６９】
図３０は、データ共有に介護人を招待するための、モバイルデバイスのディスプレイ画面の「共有管理」ＧＵＩ３０００の一態様を図示する。図３１は、共有すべく介護人を招待してデータ共有を制御するための、モバイルデバイスのディスプレイ画面の「招待」ＧＵＩ３１００の一態様を図示する。図３０及び３１を参照すると、「共有管理」ＧＵＩ３０００及び「招待」ＧＵＩ３１００は夫々、介護人を招待してデータ共有を制御するために採用される。「共有管理」ＧＵＩ３０００及び「招待」ＧＵＩ３１００は、ＧＵＩ３０００、３１００の最上部水平部分に表示された夫々の共有ＧＵＩ要素３２２を選択することによって開くことができる。ここで図３０を参照すると、「共有管理」ＧＵＩ３１００は、患者１０６が自分の個人データを共有することを希望する介護人等、第三者とのデータ共有を管理するために使用される。データの共有相手及び共有されるデータの種類の両方を選択することができる。選択された要素はハイライトされる。図３０に図示されている態様において、Ａｎｎａは、活動タイムライン３００４、活動傾向チャート３００６及び服用タイムライン３００８に関連したデータを共有するように選択されている。しかしながら、Ｃｈｅｔは、活動タイムライン３００４及び活動傾向チャート３００６に関連したデータのみ共有し、服用タイムライン３００８に関連したデータを共有しないように選択されている。Ｊａｎｅに共有されるデータはない。Ｋａｒｌは、活動タイムライン３００４及び服用タイムライン３００８に関連したデータのみ共有し、活動傾向チャート３００６に関連したデータを共有しないように選択されている。Ｌａｒｒｙは、服用タイムライン３００８に関連したデータのみ共有するように選択されている。データの新しい共有相手は、追加要素３０１０を選択することによって追加され得る。前述のように、データは、介護人、大切な人、家族、医師、薬剤師、友人等、信頼できる人なら誰とでも共有することができる。
【００７０】
図３１において、データを共有すべく招待案内を作成するための「招待」ＧＵＩ３１００は、ニックネームテキストボックス３１０４、その人の電子メールアドレスを入力するための電子メールテキストボックス３１０６、及び患者とデータを共有するために招待しようとしている人との関係を入力するための関係テキストボックス３１０８等、招待案内を送信する人を特定するために、複数のテキストボックスを提供する。図３１に図示されているように、電子メールテキストボックス３１０６及び関係テキストボックス３１０８の両方は、所定のリストから電子メールアドレス及び関係識別子を選択するために、ドロップダウンリスト要素を含む。新しい相手と共有するデータの種類は、活動タイムライン要素３１１０、活動傾向チャート要素３１１２及び／又は服用タイムライン要素３１１４を使用して選択されてもよい。全てのデータ要素３１１０、３１１２、３１１４、その一部が選択されてもよく、又は全く選択されなくてもよい。「招待」ＧＵＩ３１００の下部分に、ディスプレイは、個人コードを含む、患者のプライバシーを保護するために通知３１１６を提供する。図３１に示されているように、プライバシー通知は、招待案内の受信者がディスプレイに表示された個人コードを入力することが必要であることを患者に伝達し、図示されている例では、個人コードは「１Ａ２Ｂ３Ｃ」である。
【００７１】
図３２〜３５は、患者１０６の個人的必要性及び要件に基づいて登録情報システムを調整するためのモバイルデバイスのディスプレイ画面のユーティリティツールＧＵＩ３２００、３３００、３４００及び３５００の様々な様態を図示する。図３２を参照すると、ユーティリティＧＵＩ３２００は、ＧＵＩ３２００の最上部水平部分に表示されたツール要素３２４を選択することによって開いてもよい。その後、ディスプレイは、「通知」、「情報」、「日時」、及び「ヘルプ」という４つの選択可能な要素のメニューを表示する。これらのメニュー項目のいずれかを選択すると、様々な機能が実行されることになり、新しいＧＵＩを開く。図３２に示されているように、「通知」要素３２０４は、選択されたことを示すために丸で囲まれている。実際の操作中、選択されたことは丸で囲まれず、ハイライトされてもよい。
【００７２】
「通知」要素３２０４が選択されると、モバイルデバイス１０２のディスプレイ画面は、図３３に示されているように「通知」ＧＵＩ３３００を示す。「通知」ＧＵＩ３３００は、「活動」通知要素、「休息」通知要素、「薬」通知要素、「パッチ」通知要素及び「詳細設定」通知要素という、通知のために選択されてもよい複数の要素を表示する。活動通知要素３３０２が選択されると、モバイルデバイス１０２のディスプレイ画面は、図３４に示されているように「活動」ＧＵＩ３４００を表示する。ここで、「活動」通知に関する指定をシステムに入力することができる。例えばテキストボックス３４０２に示されているように、活動が４時間全く検出されなかった場合に、通知がモバイルデバイス１０２へ送信される。ドロップダウンリスト要素は、様々な所定の値から選択するために採用されてもよい。また、「活動なし」通知が送信されるべき時間枠は、テキストボックス３４０４及び３４０６を使用して入力され得る。示されているように、選択された通知枠は午前８時〜午後１０時である。これらの時間は、夫々のドロップダウンリストを使用して選択されてもよい。最後に、テキストボックス３４０８に示されているように、活動がある時間までに検出されない場合に通知が要求されてもよい。ここでも、所定の値から選択するためにドロップダウンリスト要素が採用されてもよい。仮想スライドスイッチ要素３４１０が、活動通知機能のオン及びオフを切り替えるために使用されてもよい。
【００７３】
休息通知要素３３０４が選択されると、モバイルデバイス１０２のディスプレイ画面は「休息」ＧＵＩ３５００を表示する。「休息」通知は、テキストボックス３５０２に示されているように、日次の休息が選択された時間（例えば４時間）未満である場合にモバイルデバイス１０２へ送信され得る。また、「休息」通知は、テキストボックス３５０４に示されているように、日次の休息が選択された時間（例えば１０時間）以上である場合にモバイルデバイス１０２へ送信されてもよい。図３５に図示されている態様において、テキストボックス３５０２、３５０４の各々は、選択過程を簡素化するためにドロップダウンリスト要素も含む。
【００７４】
図３６〜３９は、患者１０６の個人的必要性及び要件に基づいて登録情報システムを調整するためのモバイルデバイス１０２のディスプレイ画面のユーティリティツールＧＵＩ３６００、３７００、３８００及び３９００の様々な様態を図示する。図３６には、モバイルデバイス１０２のディスプレイ画面は、薬要素３６０２が選択された「通知」画面３６００を示す。
【００７５】
薬要素３６０２が選択されると、モバイルデバイス１０２のディスプレイ画面は、図３７に示されているように「薬」通知画面３７００を表示する。「薬」通知画面３７００から、「用量」要素３７０２を介して日次用量の数を選択することができ、「リマインド」要素３７０４を介して日次用量の服用をリマインドするかどうかを選択することができる。示されているように、４の日次用量が選択され、「リマインド」要素がオンに設定される。
【００７６】
図３７で「用量」要素３７０２を選択すると、図３８に示されている「用量」通知画面３８００が開く。図３７に示されている「薬」通知画面３７００で選択された日次用量の各々に関して、「用量」通知画面３８００は対応するテキストボックスを表示し、テキストボックスには、服用の予定時刻が入力される。制御ボタン３８１０及び３８１２は時刻を変更するために使用され得る。
【００７７】
図３７で「リマインド」要素３７０４を選択すると、図３９に示される「リマインド」通知画面３９００が開く。画面３９００は、テキストボックス３９０２に予定服用時刻の（例えば２０分）前、及びテキストボックス３９０４に予定服用時刻の（例えば４０分）後の両方のリマインダを設定することを可能にする。更に、ＩＥＭデバイス１０４（図１）の摂取がテキストボックス３９０６に示された時間内に検出された場合、薬通知は取り消され得る。テキストボックス３９０２、３９０４、３９０６の各々は、所定のリストから時間を選択するためのドロップダウンリスト要素を含んでもよい。また、仮想スライドスイッチ要素３９０８が、リマインド通知機能のオン及びオフを切り替えるために使用されてもよい。
【００７８】
図４０及び４１は、患者１０６の個人的必要性に基づいて登録情報システムを調整するためのモバイルデバイス１０２のディスプレイ画面のＧＵＩ４０００、４１００の様々な態様を図示する。図４０では、モバイルデバイス１０２のディスプレイ画面は「通知」画面４０００を示し、パッチ通知要素４００２が選択されたことを図４０の「通知」画面４０００が示すことを除き、図３３に示される「通知」画面３３００と同様である。パッチ通知要素４００２を選択すると、モバイルデバイス１０２のディスプレイ画面は、図４１のパッチ通知画面４１００を表示する。パッチの週次交換リマインダは、パッチ通知リマインダ要素４１０２を選択することによって設定されてもよい。仮想スライドスイッチ要素４１０４が、週次パッチ交換通知機能のオン及びオフを切り替えるために使用されてもよい。
【００７９】
図４２〜４５は、患者の個人的必要性に基づいて登録情報システムを調整するためのモバイルデバイス１０２のディスプレイ画面のＧＵＩ４２００、４３００、４４００、４５００の様々な態様を図示する。図４２では、モバイルデバイス１０２のディスプレイ画面は「通知」画面４２００を示し、詳細設定通知要素４２０２が選択されたことを図４０の「通知」画面４０００が示すことを除き、図３３に示される「通知」画面３３００と同様である。詳細設定通知要素４２０２を選択すると、モバイルデバイス１０２のディスプレイ画面は、図４３の詳細設定通知画面４３００を示し、追加通知送信サービスを設定することができる。追加通知送信要素４３０２を選択すると、図４４に示されているように、追加通知送信画面４４００が開き、電子メール通知が既に選択されていた場合、追加通知送信サービスとしてショートメッセージサービス（ＳＭＳ）４４０２又は電子メール４４０４のいずれかを選択することができる。そうではなく、ＳＭＳが既に選択されていた場合、電子メール通知サービスが追加通知送信サービスとして選択されてもよい。ＳＭＳ４４０２が選択された場合、モバイルデバイス１０２のディスプレイ画面は、図４５に示されているようにＳＭＳ画面４５００を表示する。テキストボックス４５０２は、ＳＭＳ通知の送信先の電話番号を入力するために使用され得る。テキストボックス４５０２は、所定のリストからＳＭＳ通知に関連した電話番号を選択するためのドロップダウンリスト要素を含んでもよい。また、仮想スライドスイッチ要素４５０４が、ＳＭＳ追加通知機能のオン及びオフを切り替えるために使用されてもよい。
【００８０】
図４６及び４７は、患者１０６の個人的必要性に基づいて登録情報システムを調整するためのモバイルデバイス１０２のディスプレイ画面のＧＵＩ４６００及び４７００の様々な態様を図示する。図４６において、モバイルデバイス１０２のディスプレイ画面は、図３２に示されているツール画面と同様のツール画面４６００を表示し、ツール画面４６００は、ツール画面４６００の最上部水平部分に表示されるツール要素３２０２を選択することによって開かれてもよい。ディスプレイ画面は、次いで、「通知」、「情報」、「日時」及び「ヘルプ」という４つの選択可能なメニュー項目を表示する。図４６に示されているように、「情報」ツール４６０２は、「情報」ツール４６０２が選択されたことを図示するために丸で囲まれている。「情報」ツール４６０２を選択すると、モバイルデバイス１０２のアプリケーションは、図４７に示されている情報画面４７００を開く。図４７に示されているように、情報画面４７００は、電子メールアドレスを入力するためのログインテキストボックス４７０２、ユーザパスワードを入力するためのパスワードテキストボックス４７０４、ニックネームを入力するためのニックネームテキストボックス４７０６、ＳＭＳ電話番号を入力するためのＳＭＳテキストボックス４７０８、及び住所を入力するための住所テキストボックス４７１０など、個人情報を入力するための複数のテキストボックスを提供する。共有者コード４７１２が、情報画面４７００の最下部に提供され（例えば、１Ａ２Ｂ３Ｃ）、患者の情報を共有するために招待された人に患者が通信するコードである。前述のように、患者から個人データを共有する招待案内を受信した後、セキュリティ及びプライバシーの理由で、共有者は、何らかの情報を共有することが可能になる前に、共有者コード４７１２を入力しなければならない。共有者コード４７１２は、任意の適切な手段を使用して患者によって共有者へ通信されてもよい。
【００８１】
図４８〜５１は、患者の個人的必要性に基づいて登録情報システムを調整するためのモバイルデバイス１０２のディスプレイ画面のＧＵＩ４８００、４９００、５０００、５１００の様々な態様を図示する。図４８において、モバイルデバイス１０２のディスプレイ画面は、図３２に示されているツール画面と同様のツール画面４８００を表示し、ツール画面４８００は、ツール画面４８００の最上部水平部分に表示されるツール要素３２４を選択することによって開かれてもよい。ディスプレイ画面は、次いで、「通知」、「情報」、「日時」及び「ヘルプ」という４つの選択可能なメニュー項目を表示する。図４８に示されているように、「日時」ツール４８０２は、「日時」ツール４８０２が選択されたことを図示するために丸で囲まれている。「日時」ツール４８０２を選択すると、モバイルデバイス１０２のアプリケーションは、図４９に示されている日時画面４９００を開く。図４９に示されているように、日付形式４９０２、時間形式４９０４及び時間帯４９０６は、日時画面４９００で選択されてもよい。加えて、時間帯は「自宅に固定」４９０８であってもよく、患者が異なる時間帯を旅行し、薬の摂取のための基準時間枠として自宅の時間帯を保つことを望む場合に有用である。図５０に示されているように、時間帯要素４９０６を選択すると、時間帯画面５０００が開く。時間帯画面５０００で、上のラジオボタン５００２を選択すると、ディスプレイ及び通知が自宅の時間帯に固定され、下のラジオボタン５００４を選択すると、自宅の時間帯に固定されていた場合があるディスプレイ及び通知を変更する。下のラジオボタン５００４が選択されると、ディスプレイ及び通知は、ほとんどの最新型スマートフォンで利用可能であるＧＰＳの位置に基づく機能を使用して、モバイルデバイス１０２の位置に一致するように変更される。便宜性を図るため、自宅の時間帯は時間帯画面５０００の下方部分に表示される。図５０に示されているように、自宅の時間帯はロンドンである。これは、自宅時間帯要素５００６を選択し、図５１に示されている自宅時間帯選択画面５１００を起動することによって変更されてもよく、新しい自宅時間帯が選択されてもよい。
【００８２】
ここで再び図１を参照すると、一態様において、モバイルデバイス１０２及び／又は無線ノード１１０は、異なるタイプのセル方式無線電話システムに従って音声及び／又はデータの通信機能を提供してもよい。セル方式通信システムの例として、符号分割多元接続（ＣＤＭＡ）セル方式無線電話通信システム、モバイル通信グローバルシステム（ＧＳＭ）セル方式無線電話システム、北米デジタルセル方式（ＮＡＤＣ）無線電話システム、時間分割多元接続（ＴＤＭＡ）セル方式無線電話システム、拡張ＴＤＭＡ（Ｅ−ＴＤＭＡ）セル方式無線電話システム、狭帯域先進移動電話サービス（ＮＡＭＰＳ）セル方式無線電話システム、広域帯ＣＤＭＡ（ＷＣＤＭＡ）、ＣＤＭＡ−２０００、第３世代提携プロジェクト（３ＧＰＰ）準拠のユニバーサル移動体通信システム（ＵＭＴＳ）セル方式無線電話等の第３世代（３Ｇ）システム、第４世代システム（４Ｇ）等が挙げられ得る。
【００８３】
音声通信サービスに加えて、モバイルデバイス１０２及び無線ノード１１０は、複数の異なる無線広域ネットワーク（ＷＷＡＮ）データ通信サービスを使用して通信するように配置されてもよい。ＷＷＡＮデータ通信サービスを提供するセル方式データ通信システムの例として、汎用パケット無線サービス（ＧＰＲＳ）システムを備えるＧＳＭ（ＧＳＭ／ＧＰＲＳ）、ＣＤＭＡ／１ｘＲＴＴシステム、Ｅｎｈａｎｃｅｄ  Ｄａｔａ  Ｒａｔｅｓ  ｆｏｒ  Ｇｌｏｂａｌ  Ｅｖｏｌｕｔｉｏｎ（ＥＤＧＥ）システム、Ｅｖｏｌｕｔｉｏｎ  Ｄａｔａ  Ｏｎｌｙ  ｏｒ  Ｅｖｏｌｕｔｉｏｎ  Ｄａｔａ  Ｏｐｔｉｍｉｚｅｄ（ＥＶ−ＤＯ）システム、Ｅｖｏｌｕｔｉｏｎ  ｆｏｒ  Ｄａｔａ  ａｎｄ  Ｖｏｉｃｅ（ＥＶ−ＤＶ）システム、高速ダウンリンクパケットアクセス（ＨＳＤＰＡ）システム等が挙げられ得る。
【００８４】
一態様において、無線ノード１１０は、他のネットワークへの追加のノード及び接続部に有線通信媒体によって接続されてもよく、他のネットワークとして、公衆交換電話網（ＰＳＴＮ）等の音声／データネットワーク、インターネット等のパケットネットワーク、ローカルエリアネットワーク（ＬＡＮ）、都市規模ネットワーク（ＭＡＮ）、広域ネットワーク（ＷＡＮ）、企業ネットワーク、プライベートネットワーク等が含まれる。一態様において、例えばネットワーク１３０は、例えば伝送制御プロトコル／インターネットプロトコル（ＴＣＰ／ＩＰ）等、インターネット技術タスクフォース（ＩＥＴＦ）によって定義される１以上のインターネットプロトコルに従って情報を通信するように設定されてもよい。ネットワークはまた、基地局、モバイル加入者センター、セントラルオフィス等、他のセル方式無線電話システム基盤及び設備も含んでもよい。
【００８５】
様々な態様において、モバイルデバイス１０２及び無線ノード１１０はまた、音声及び／又はデータの通信が可能であってもよい。モバイルデバイス１０２と無線ノード１１０との通信は、複数の無線プロトコルに従って無線共有媒体１３４を介して実施されてもよい。無線プロトコルの例として、ＩＥＥＥ８０２．１１ａ／ｂ／ｇ／ｎ、ＩＥＥＥ８０２．１６、ＩＥＥＥ８０２．２０等の米国電気電子学会（ＩＥＥＥ）８０２．ｘｘシリーズのプロトコルを含む、様々な無線ローカルエリアネットワーク（ＷＬＡＮ）プロトコルが挙げられ得る。無線プロトコルの他の例として、ＧＰＲＳを含むＧＳＭセル方式無線電話システムプロトコル、１×ＲＴＴを含むＣＤＭＡセル方式無線電話通信システム、ＥＤＧＥシステム、ＥＶ−ＤＯシステム、ＥＶ−ＤＶシステム、ＨＳＤＰＡシステム等、様々なＷＷＡＮプロトコルが挙げられ得る。無線プロトコルの更なる例として、赤外線プロトコル等の無線パーソナルエリアネットワーク（ＰＡＮ）プロトコル、Ｂｌｕｅｔｏｏｔｈ仕様バージョンｖ１．０、ｖ１．１、ｖ１．２、ｖ２．０、Ｅｎｈａｎｃｅｄ  Ｄａｔａ  Ｒａｔｅ（ＥＤＲ）を備えるｖ２．０並びに１以上のＢｌｕｅｔｏｏｔｈプロファイル等を含む、Ｂｌｕｅｔｏｏｔｈ  Ｓｐｅｃｉａｌ  Ｉｎｔｅｒｅｓｔ  Ｇｒｏｕｐ（ＳＩＧ）シリーズのプロトコルからのプロトコルが挙げられ得る。一態様において、Ｂｌｕｅｔｏｏｔｈ無線技術は、固定デバイス及び移動デバイスから２４００〜２４８０ＭＨｚの産業、科学、医学（ＩＳＭ）無線帯域における短波長無線伝送を使用し、高度のセキュリティを備えるパーソナルエリアネットワーク（ＰＡＮ）を作成する。また別の例の無線プロトコルとして、電磁誘導（ＥＭＩ）技法等、近傍通信技法及びプロトコルが挙げられ得る。ＥＭＩ技法の例として、受動又は能動式無線周波数識別（ＲＦＩＤ）プロトコル及びデバイスが挙げられ得る。他の適切なプロトコルとして、超広域帯（ＵＷＢ）、デジタルオフィス（ＤＯ）、デジタルホーム、トラステッドプラットフォームモジュール（ＴＰＭ）、ＺｉｇＢｅｅ、及び他のプロトコルが含まれてもよい。
【００８６】
様々な態様において、モバイルデバイス１０２は、１以上のアプリケーションクライアントモジュールを有してもよい。一態様において、アプリケーションクライアントモジュールは、検出部１０８から情報を受信して情報を処理し、患者１０６がＩＥＭデバイス１０４を摂取したことを確認する。アプリケーションクライアントモジュールは、ＩＥＭデバイス１０４が検出された時間及び日付を記録し、これらは、ＩＥＭデバイス１０４が患者１０６によって摂取された時間及び日付に略対応する。加えて、クライアントアプリケーションモジュールは、特に、ＩＥＭデバイス１０４の識別、ＩＥＭデバイス１０４に関連した薬の種類、薬及び／又はＩＥＭデバイス１０４の製造元等、固有の電流署名に符号化された情報を記憶してもよい。ある態様において、クライアントアプリケーションモジュールは、患者１０６に関連した摂取事象を追跡するデータログ機能を実装してもよい。クライアントアプリケーションモジュールは、他のデバイス及び／又はネットワークとの通信を開始することができる。
【００８７】
他のクライアントアプリケーションモジュールは、ネットワーク（例えば、サーバ）から情報を呼び出して処理し、情報をディスプレイに表示するか、又はスピーカによって情報を音声で通知するように配置されてもよい。モバイルデバイス１０２は、１以上のアプリケーションクライアントプログラムを実行し、第三者のソフトウェアアプリケーションクライアントプログラムと統合するように適合可能であるオープンプラットフォームとして実装されてもよい。アプリケーションクライアントモジュールは、例えば、ウェブ関連の無線サービス等、既存のデータソース又はバックエンドサービスへの必要なインタフェースを提供し、ＧＰＳナビゲーションモジュールをサポートし、ブラウザベースのコンテンツを処理し、１以上の無線モバイルコンピューティングデバイス及びウェブアプリケーションで動作してもよい。一態様において、アプリケーションクライアントモジュールは、例えば、地理座標、マップインタフェース、検索エンジンに対するクエリ、第三者の位置ベースサービス（ＬＢＳ）へのインタフェース、及びサーバを介して提供される任意の他のサービス等、位置情報を呼び出すために、ＡＰＩを介して第三者のアプリケーションクライアントプログラムと統合してもよい。アプリケーションクライアントモジュールは、特に、検索クエリを処理し、結果を検索し、地図を表示し（例えば、拡大／移動）、進路変更方向を提供し、音声作動式の進路変更方向を提供し、ＬＢＳタイプの場所情報に対する許可ベースのインタフェースを提供するためのＧＵＩ層を含んでもよい。アプリケーションクライアントモジュールはまた、例えば、ローカル情報、相互接続点（ＰＯＩ）データを処理するためのインタフェース層、及びマップデータを処理するためのデータ抽象化層を含んでもよい。アプリケーションクライアントモジュールはまた、例えば特に、モバイルデバイスの内部又は外部にあるＧＰＳ集積回路、キャリアＡＧＰＳ、様々な優れた検索エンジン（ＧＯＯＧＬＥ、ＹＡＨＯＯ等）、ベクトルデータ、タイルデータ等、ネットワーク（例えば、サーバ）全体に分散される様々なデータソース又はバックエンドサービスからのデータを処理してもよい。タイルデータが、通常矩形状の画像のサブ領域を表す空間単位として定義されてもよく、それによって、地理データがマップライブラリで体系化、再分割及び記憶されることが当業者によって理解される。
【００８８】
一態様において、例えばモバイルデバイス１０２は、通信ネットワークから情報を呼び出して処理するためのソフトウェアアーキテクチャを採用してもよい。ソフトウェアアーキテクチャによって、モバイルデバイス１０２は、例えばネットワーク及びサーバからの情報を通信して処理することが可能であってもよい。ソフトウェアアーキテクチャは、構成要素の実装手段を含み、アプリケーションクライアントと複数のデータソースサーバとの間で情報を無線で呼び出す共通要件を支援するためにＡＰＩ等の標準プログラムインタフェースを指定する。その結果、ソフトウェアアーキテクチャは、アプリケーションクライアントが異なるデータプロバイダと相互作用することを可能にするための方法を提供することができる。
【００８９】
一態様において、例えばソフトウェアアーキテクチャは、オブジェクト指向プログラミング（ＯＯＰ）技法を使用して実装されてもよい。ＯＯＰは、コンピュータプログラミングの理論的枠組みである。ＯＯＰは、プログラムがコンピュータに対する命令の列挙であるという従来の想定に反して、コンピュータプログラムが個別のユニット又はオブジェクトの集合体からなると想定する。各オブジェクトは、メッセージを受信すること、データを処理すること、及び他のオブジェクトにメッセージを送信することが可能である。略あらゆる概念がオブジェクトとして表現され得る。オブジェクトの例として、メニューオブジェクト、画像オブジェクト、フレームオブジェクト、タイトルオブジェクト、境界線オブジェクト、タブオブジェクト、列挙オブジェクト、青色オブジェクト、ボタンオブジェクト、スクロールバーオブジェクト、入力フィールドオブジェクト、テキスト及び画像のオブジェクト等が挙げられ得る。ソフトウェアアーキテクチャは、例としてＯＯＰで説明することができるが、所与の実装に対して望まれる他のソフトウェアの理論的枠組みが使用されてもよいことを理解することができる。例えば、ソフトウェアアーキテクチャは、モデルビューコントローラ（ＭＶＣ）アーキテクチャを使用して実装されてもよい。態様はこれに限定されない。
【００９０】
様々な態様において、ノードは、任意選択のディスプレイを備えてもよい。ディスプレイは、液晶画面（ＬＣＤ）、容量タッチ式画面パネル等、任意の種類の視覚インタフェースを使用して実装されてもよい。
【００９１】
様々な態様において、ノードはメモリを備えてもよい。様々な態様において、メモリは、揮発性及び不揮発性両方のメモリを含む、データを記憶することが可能である任意の機械可読式又はコンピュータ可読式媒体を備えてもよい。例えば、メモリとして、読み出し専用メモリ（ＲＯＭ）、ランダムアクセスメモリ（ＲＡＭ）、動的ＲＡＭ（ＤＲＡＭ）ダブルデータレートＤＲＡＭ（ＤＤＲ−ＲＡＭ）、同期ＤＲＡＭ（ＳＤＲＡＭ）、静的ＲＡＭ（ＳＲＡＭ）、プログラマブルＲＯＭ（ＰＲＯＭ）、消去可能プログラマブルＲＯＭ（ＥＰＲＯＭ）、電気的消去可能プログラマブルＲＯＭ（ＥＥＰＲＯＭ）、フラッシュメモリ（例えば、ＮＯＲ又はＮＡＮＤフラッシュメモリ）、コンテンツアドレス可能メモリ（ＣＡＭ）、ポリマーメモリ（例えば、強誘電体ポリマーメモリ）、相変化メモリ（例えば、オボニックメモリ）、強誘電体メモリ、シリコン・酸化膜・窒化膜・酸化膜・シリコン（ＳＯＮＯＳ）メモリ、ディスクメモリ（例えばフレキシブルディスク、ハードドライブ、光学ディスク、磁気ディスク）、又はカード（磁気カード、光学カード）、或いは情報を記憶するために適した任意の他の種類の媒体が挙げられ得る。
【００９２】
様々な態様において、ノードは、中央処理装置（ＣＰＵ）等のプロセッサを備えることができる。様々な態様において、プロセッサは、汎用プロセッサ、チップマルチプロセッサ（ＣＭＰ）、専用プロセッサ、埋め込みプロセッサ、デジタル信号プロセッサ（ＤＳＰ）、ネットワークプロセッサ、媒体プロセッサ、入力／出力（Ｉ／Ｏ）プロセッサ、媒体アクセス制御（ＭＡＣ）プロセッサ、無線ベースバンドプロセッサ、コプロセッサ、複雑命令セットコンピュータ（ＣＩＳＣ）マイクロプロセッサ、縮小命令セットコンピューティング（ＲＩＳＣ）マイクロプロセッサ、及び／又は非常に長い命令語（ＶＬＩＷ）マイクロプロセッサ等のマイクロプロセッサ、或いは他の処理デバイスとして実装されてもよい。プロセッサはまた、コントローラ、マイクロコントローラ、用途特定集積回路（ＡＳＩＣ）、フィールドプログラマブルゲートアレイ（ＦＰＧＡ）、プログラマブルロジックデバイス（ＰＬＤ）等によって実装されてもよい。
【００９３】
様々な態様において、プロセッサは、オペレーティングシステム（ＯＳ）及び様々なモバイルアプリケーションを実行するように配置されてもよい。ＯＳの例として、例えば、Ｍｉｃｒｏｓｏｆｔ  Ｗｉｎｄｏｗｓ  ＯＳの商標名で一般に知られるオペレーティングシステム、及び任意の他の独占所有物又はオープンソースＯＳが挙げられる。モバイルアプリケーションの例として、例えば、電話アプリケーション、カメラ（例えばデジタルカメラ、ビデオカメラ）アプリケーション、ブラウザアプリケーション、マルチメディア再生アプリケーション、ゲームアプリケーション、メッセージングアプリケーション（例えば電子メール、ショートメッセージ、マルチメディア）、ビューアアプリケーション等が挙げられる。
【００９４】
様々な態様において、プロセッサは、通信インタフェースを通じて情報を受信するように配置されてもよい。通信インタフェースは、ノード１１０を１以上のネットワーク及び／又はデバイスに連結することが可能である任意の適切なハードウェア、ソフトウェア又はハードウェア及びソフトウェアの組み合わせを備えてもよい。一態様において、無線ノード１１０は、無線媒体１３４を介してモバイルデバイス１０２と無線通信する。無線ノード１１０はまた、有線通信媒体１３４又は無線通信媒体１２０を介して遠隔ノード１２２と通信することができる。通信インタフェースは、所望の組の通信プロトコル、サービス又は動作手順を使用して情報信号を制御するために任意の適切な技法を使用して動作するように配置されてもよい。通信インタフェースは、有線又は無線に関わらず、対応する通信媒体と接続するために適当な物理的コネクタを含むことができる。
【００９５】
通信の手段はネットワークを含む。様々な態様において、ネットワークは、ＬＡＮ及びＷＡＮを備えてもよく、インターネット、有線チャネル、無線チャネル、電話を含む通信デバイス、コンピュータ、通信回線、無線、光学又は他の電磁チャネル、及びこれらの組み合わせを含むがこれらに限定されず、データ通信が可能な／データの通信に関連した他のデバイス及び／又は構成要素を含む。例えば、通信環境は、体内通信と、様々なデバイスと、無線通信、有線通信及びこれらの組み合わせ等の様々なモードの通信とを含む。
【００９６】
無線通信モードは、無線伝送、データ及びデバイスに関連した様々なプロトコル並びにプロトコルの組み合わせを含む無線技術を少なくとも部分的に利用する、ポイント間の任意のモードの通信を含む。ポイントは、例えば、無線ヘッドセット等の無線デバイス、オーディオ再生機及びマルチメディア再生機等のオーディオ及びマルチメディアデバイス及び機器、移動電話及びコードレス電話を含む電話、並びにタブレットコンピュータ、プリンタ等のコンピュータ及びコンピュータ関連デバイス及び構成要素を含む。
【００９７】
有線通信モードは、有線伝送、データ及びデバイスに関連した様々なプロトコル並びにプロトコルの組み合わせを含む有線技術を利用する、ポイント間の任意のモードの通信を含む。ポイントは、例えば、オーディオ再生機及びマルチメディア再生機等のオーディオ及びマルチメディアデバイス及び機器等のデバイス、移動電話及びコードレス電話を含む電話、並びにタブレットコンピュータ、プリンタ等のコンピュータ及びコンピュータ関連デバイス及び構成要素を含む。
【００９８】
従って、様々な態様において、通信インタフェースは、例えば、無線通信インタフェース、有線通信インタフェース、ネットワークインタフェース、伝送インタフェース、受信インタフェース、媒体インタフェース、システムインタフェース、構成要素インタフェース、スイッチングインタフェース、チップインタフェース、コントローラ等の１以上のインタフェースを備えてもよい。例えば、無線デバイスによって実装された場合、又は無線システム内に実装された場合、無線ノード１１０は、１以上のアンテナ、送信器、受信器、トランシーバ、増幅器、フィルタ、制御ロジック等を備える無線通信インタフェースを含むことができる。
【００９９】
様々な態様において、無線ノード１１０は、モバイルデバイス１０２から受信したデータを無線受信する及び／又は無線送信し、そのデータを、例えば外部ノード１２２又は他の近傍ノード等、他のノードへ送信するための機能を備えることができる。更に、様々な態様において、無線ノード１１０は、例えば、様々なデバイスと通信するなど、様々なデバイスを組み入れる及び／又は様々なデバイスと関連付けられてもよい。このようなデバイスは、例えば生理的データ等のデータを生成、受信及び／又は通信することができる。デバイスは、電子スロットマシン、ハンドヘルド電子ゲーム機、ゲーム及びレクリエーション活動に関連した電子構成要素等のゲームデバイスのような「知的」デバイスを含む。
【０１００】
電話の標準の音声機能に加えて、移動電話の様々な態様は、テキストメッセージングのためのショートメッセージサービス（ＳＭＳ）、電子メール、インターネットにアクセスするためのパケットスイッチング、Ｊａｖａゲーム、無線、例えば、短距離データ／音声通信、赤外線、ビデオレコーダ装備のカメラ、並びに写真及びビデオを送信して受信するためのマルチメディアメッセージングシステム（ＭＭＳ）等、多数の追加のサービス及び付属品をサポートすることができる。移動電話のある態様は、基地局（セルサイト）のセルラーネットワークに接続し、それによって、公衆交換電話網（ＰＳＴＮ）又は衛星電話の場合には衛星通信に相互接続される。移動電話の様々な態様は、インターネットに接続することができ、その少なくとも一部は移動電話を使用してナビゲーションされ得る。
【０１０１】
ある態様は、例えば、機械によって実行された場合、態様に従って機械に方法及び／又は演算を実施させることができる命令又は１組の命令を記憶することができる機械可読媒体又は製品を使用して実装されてもよい。そのような機械として、例えば、任意の適切な処理プラットフォーム、コンピューティングプラットフォーム、コンピューティングデバイス、処理デバイス、コンピューティングシステム、処理システム、コンピュータ、プロセッサ等が挙げられてもよく、ハードウェア及び／又はソフトウェアの任意の適切な組み合わせを使用して実装されてもよい。機械可読媒体又は製品として、例えば、任意の適切な種類のメモリユニット、メモリデバイス、メモリ製品、メモリ媒体、記憶装置、記憶製品、記憶媒体及び／又は記憶ユニット、例えば、メモリ、取り外し可能又は取り外し不可能な媒体、消去可能又は消去不可能な媒体、書き込み可能又は再書き込み可能媒体、デジタル媒体又はアナログ媒体、ハードディスク、フレキシブルディスク、コンパクトディスク読み出し専用メモリ（ＣＤ−ＲＯＭ）、記録可能コンパクトディスク（ＣＤ−Ｒ）、再書き込み可能コンパクトディスク（ＣＤ−ＲＷ）、光学ディスク、磁気媒体、磁気光学媒体、取り外し可能なメモリカード又はディスク、様々な種類のデジタル多用途ディスク（ＤＶＤ）、テープ、カセット等が挙げられ得る。命令は、ソースコード、コンパイルされたコード、解釈されたコード、実行可能コード、静的コード、動的コード等、任意の適切な種類のコードを含むことができる。命令は、Ｃ、Ｃ＋＋、Ｊａｖａ、ＢＡＳＩＣ、Ｐｅｒｌ、Ｍａｔｌａｂ、Ｐａｓｃａｌ、Ｖｉｓｕａｌ  ＢＡＳＩＣ、配置言語、機械コード等、任意の適切な上位、下位、オブジェクト指向、ビジュアル、コンパイル及び／又は変換されたプログラミング言語を使用して実装されてもよい。
【０１０２】
一態様において、無線ノード１１０は、通信ハブとして構成されてもよく、任意のハードウェアデバイス、ソフトウェア及び／又は通信構成要素、並びにシステム、サブシステム及びモバイルデバイス１０２から受信した情報を遠隔ノード１２２に通信するように一般に機能するこれらの組み合わせとして構成されてもよい。情報の通信は、データを受信すること、記憶すること、操作すること、表示すること、処理すること、及び／又は有線媒体又は無線媒体１１８、１２０を介して遠隔ノード１２２へ送信することを含む。
【０１０３】
様々な態様において、無線ノード１１０はまた、例えば非生理データを通信する、例えば受信及び送信するように機能する。非生理データの例として、ゲーム規則と、植え込み型ペースメーカ等の個別の心臓関連デバイスによって生成され、例えばモバイルデバイス１０２を介して直接又は間接的にハブ（無線ノード１１０）に通信されたデータとが挙げられる。
【０１０４】
モバイルデバイス１０２及び／又は無線ノード１１０の各々の広義の分類は、例えば、基地局と、個人用通信デバイスと、ハンドヘルドデバイスと、移動電話と、コンピュータアプリケーション並びに音声通信及び／又はデータ通信を実行することが可能であるスマートフォンとして一般に知られる無線能力を有するモバイルコンピューティングデバイスとを含む。モバイルコンピューティングデバイスの例として、任意の種類の無線デバイス、モバイルステーション、又は例えば電池等の自己完結型電源を備える携帯用コンピューティングデバイスが挙げられる。スマートフォンの例として、例えば、特に、Ｐａｌｍ、Ｂｌａｃｋｂｅｒｒｙ、ｉＰｈｏｎｅ、Ａｎｄｒｏｉｄ、Ｗｉｎｄｏｗｓ  Ｐｈｏｎｅの商標で知られる製品が挙げられる。様々な態様において、モバイルデバイス１０２及び／又は無線ノード１１０は、ＰＤＡ、ラップトップコンピュータ、ウルトララップトップコンピュータ、セル方式電話／ＰＤＡ複合型、モバイルユニット、加入者ステーション、ユーザ端末、携帯用コンピュータ、ハンドヘルドコンピュータ、パームトップコンピュータ、着用可能なコンピュータ、媒体再生機、メッセージングデバイス、データ通信デバイス、ラップトップコンピュータ、ウルトララップトップコンピュータ、携帯用コンピュータ、ハンドヘルドコンピュータ、パームトップコンピュータ、タブレットコンピュータ、電子書籍リーダ、セル方式電話、ポケットベル、１方向ポケットベル、双方向ポケットベル、メッセージングデバイス、データ通信デバイス等を備える、又はこれらとして実装されてもよい。モバイルデバイス１０２及び／又は無線ノード１１０の例はまた、リストコンピュータ、フィンガーコンピュータ、リングコンピュータ、眼鏡コンピュータ、ベルトクリップコンピュータ、アームバンドコンピュータ、靴コンピュータ、着衣コンピュータ、及び他の着用可能なコンピュータ等、人によって着用されるように配置されるコンピュータも含んでもよい。固定式コンピューティングデバイスは、例えばデスクトップコンピュータ、ワークステーション、クライアント／サーバコンピュータ等として実装されてもよい。
【０１０５】
モバイルデバイス１０２及び／又は無線ノード１１０は、例えば「ハンドヘルドデバイス」と呼ばれることがある、例えばモバイルコンピュータ等、通信及びコンピュータ機能を有し、一般に個別使用を目的とするデバイスを含む個人通信デバイスを備えることができる。基地局は、生理データ等のデータを受信することが可能な任意のデバイス又は装置を備えている。例として、デスクトップコンピュータ及びラップトップコンピュータ等のコンピュータ、並びに知的デバイス／装置が挙げられる。知的デバイス／装置は、生理データ等のデータを受信することが可能な消費者用及び家庭用のデバイス及び装置を含む。知的デバイス／装置はまた、例えばデータの伝送、表示、記憶及び／又は処理等、他のデータ関連の機能を実施してもよい。知的デバイス／装置の例として、冷蔵庫、体重計、トイレ、テレビ、ドア枠行動モニタ、ベッドサイドモニタ、ベッド体重計が挙げられる。このようなデバイス及び装置は、例えば、体重、心拍等の様々な生理データを検出又は監視する等、追加の機能を含むことができる。移動電話は、例えばセル方式ネットワーク等、様々なモバイル技術に関連した電話通信デバイスを含む。
【０１０６】
図５２は、モバイルデバイス１０２の一態様を図示する。モバイルデバイス１０２は、筐体５２０６と、ディスプレイ５２０８と、入力／出力（Ｉ／Ｏ）システム５２１０（例えば、タッチ式画面）と、デジタル画像を撮像するための開口部５２１２と、アンテナ５２１４とを備えている。モバイルデバイス１０２の機能モジュールを、図５２を参照して以下に説明する。
【０１０７】
ディスプレイ５２０８は、モバイルデバイス１０２に適切な情報を表示するための適切なディスプレイ装置を備えている。Ｉ／Ｏシステム５２１０は、モバイルデバイス１０２に情報を入力するための任意の適切なＩ／Ｏデバイスを備えてもよい。Ｉ／Ｏシステム５２１０の例として、英数キーボード、数字キーボード、タッチパッド、容量タッチ式画面パネル、入力キー、ボタン、スイッチ、ロッカースイッチ、音声認識デバイス、及びソフトウェア等が挙げられる。Ｉ／Ｏシステム５２１０は、例えばマイクロフォン及びスピーカを備えてもよい。情報はまた、マイクロフォンによってモバイルデバイス１０２に入力されてもよい。このような情報は、音声認識デバイスによってデジタル化されてもよい。本開示全体で使用されるように、「ボタン」という用語は、機械式スイッチ、電気機械式スイッチ、タッチ式画面の簡単なタッチ、又はマウスポインタによるポイント／クリックを使用して選択されてもよい「仮想ボタン」を参照するために使用される場合がある。
【０１０８】
図５３は、例えば外部の検出部に連結するように構成された、ＩＥＭデバイス１０４（図１）等、摂取可能事象マーカによって生成された電気信号を検出するためのモバイルデバイス１０２の一態様のシステム図を示す。図５３は、図１を参照して説明したモバイルコンピューティングデバイス１０２の詳細ブロック図を図示する。例えば、図５３に示されているように、モバイルデバイス１０２は、複数の要素を備えることができる。図５３は、例としてあるトポロジー内の限定された数の要素を示すが、任意の適切なトポロジーで追加の要素又はこれより少ない要素が、所与の実装の所望に応じてモバイルデバイス１０２で使用されてもよいことを理解することができる。更に、本明細書に説明される任意の要素は、ノード実装を参照して前述したように、ハードウェア、ソフトウェア又は両方の組み合わせを使用して実装されてもよい。しかしながら、モバイルデバイス１０２の態様はこれに限定されない。
【０１０９】
様々な態様において、モバイルデバイス１０２は、筐体５２０６と、アンテナ５２１４と、無線サブシステム５３１４と、バスを介して無線サブシステム５３１４に連結された処理サブシステム５３１２とを備えている。無線サブシステム５３１４は、モバイルデバイス１０２のために無線共有媒体を使用して音声及びデータの通信動作を実施してもよい。処理サブシステム５３１２は、モバイルデバイス１０２のために様々なソフトウェアを実行してもよい。バスは、ユニバーサルシリアルバス（ＵＳＢ）、マイクロＵＳＢバス、データポート、適切なインタフェース、及びその他のものを備えてもよい。一態様において、無線サブシステム５３１４は、１以上の割り当てられた周波数帯の無線共有媒体から音声情報を通信して情報を制御するように配置されてもよい。
【０１１０】
一態様において、モバイルデバイス１０２は、開口部５２１２を通じて撮像された画像を処理するための画像サブシステム５３０８を備えてもよい。カメラは、処理サブシステム５３１２に（有線又は無線）連結されてもよく、処理サブシステム５３１２及びディスプレイ５２０８に画像データ（人又は物の写真データ、ビデオデータ、デジタル静止画像データ）を出力するように構成されている。一態様において、画像サブシステム５３０８は、デジタル形式で電子的に画像を撮像して記憶するために使用される電子デバイスとして実装されたデジタルカメラを備えてもよい。更に、ある態様において、デジタルカメラは、静止画像に加えて、音声及び／又はビデオを記録することが可能であってもよい。
【０１１１】
一態様において、画像サブシステム５２０８は、デジタルカメラの機能を提供するために、レンズ位置構成要素、マイクロフォン位置構成要素及びフラッシュ制御モジュールを含む、デジタルカメラの構成要素に制御信号を提供するためにコントローラを備えてもよい。ある態様において、コントローラは、例えば、モバイルデバイス１０２の処理サブシステム５３１２のホストプロセッサ要素として実装されてもよい。或いは、画像コントローラは、ホストプロセッサとは別のプロセッサとして実装されてもよい。
【０１１２】
様々な態様において、画像サブシステム５３０８は、モバイルデバイス１０２の処理サブシステム５３１２の要素として又は別の要素としてメモリを備えてもよい。様々な態様において、メモリの一部又は全体がコントローラと同じ集積回路に含まれてもよいことに注目すべきである。或いは、メモリの一部又は全体が、コントローラの集積回路に対して外部の集積回路又は他の媒体（例えば、ハードディスクドライブ）に配置されてもよい。
【０１１３】
様々な態様において、画像サブシステム５３０８は、レンズ構成要素及びレンズ位置構成要素を含む開口部５２１２を備えてもよい。レンズ構成要素は、例えばガラス、プラスチック、アクリル又はプレキシガラス等の透明な材料から作製された写真又は光学レンズ又はレンズの構成からなる場合がある。一態様において、レンズ構成要素の１以上のレンズ要素は、物体の画像を複製し、レンズ要素の焦点距離を機械的に変更することによって物体の拡大又は縮小を可能にしてもよい。様々な態様において、デジタルズームは、画像を拡大又は縮小するために画像サブシステム５３０８に採用されてもよい。ある態様において、１以上のレンズ要素は、レンズ要素の焦点距離を変えることによって画像の異なる部分に焦点を合わせるために使用されてもよい。所望の焦点は、例えばデジタル画像サブシステム５３０８の自動焦点機能を用いることによって、又は画像の所望の部分に手動で焦点を合わせることによって取得され得る。
【０１１４】
ナビゲーションサブシステム５３１０は、モバイルデバイス１０２を使用してナビゲーションをサポートする。様々な態様において、モバイルデバイス１０２は、場所又は位置の決定能力を備えてもよく、例えば特に、全地球測位システム（ＧＰＳ）技法、セルグローバル識別（ＣＧＩ）技法、タイミングアドバンス（ＴＡ）技法を含むＣＧＩ、強化順方向リンク三辺測量（ＥＦＬＴ）技法、到達時間差（ＴＤＯＡ）技法、到達角度（ＡＯＡ）技法、進化順方向リンク三辺測量（ＡＦＴＬ）技法、監視到達時間差（ＯＴＤＯＡ）、強化観察時間差（ＥＯＴＤ）技法、アシストＧＰＳ（ＡＧＰＳ）技法、ハイブリッド技法（例えば、ＣＤＭＡネットワークの場合ＧＰＳ／ＣＧＩ、ＡＧＰＳ／ＣＧＩ、ＧＰＳ／ＡＦＴＬ又はＡＧＰＳ／ＡＦＴＬ、ＧＳＭ／ＧＰＲＳネットワークの場合ＧＰＳ／ＥＯＴＤ又はＡＧＰＳ／ＥＯＴＤ、ＵＭＴＳネットワークの場合ＧＰＳ／ＯＴＤＯＡ又はＡＧＰＳ／ＯＴＤＯＡ）を含む１以上の位置決定技法を採用してもよい。
【０１１５】
一態様において、モバイルデバイス１０２は、例えばスタンドアロンモード、移動基地局（ＭＳ）アシストモード及び／又はＭＳベースモードを含む１以上の位置決定モードで動作するように構成されてもよい。スタンドアロンＧＰＳモード等のスタンドアロンモードの場合、モバイルデバイス１０２は、暦、天体暦、粗いデータ等、ある種類の位置支援データを受信してもよいが、ネットワークから無線ナビゲーションデータを受信することなく、その位置を決定するように構成されてもよい。スタンドアロンモードにおいて、モバイルデバイス１０２はＧＰＳ受信器等のローカル位置決定回路を備えてもよく、ローカル位置決定回路は、アンテナ５２１４を介して衛星データを受信し、位置修正を計算するように構成される筐体５２０６内に統合されてもよい。或いは、ローカル位置決定回路は、筐体５２０６とは別の第２の筐体内ではあるがモバイルデバイス１０２の近傍内に、モバイルデバイス１０２と（例えば、Ｂｌｕｅｔｏｏｔｈ等のＰＡＮを介して）無線通信するように構成されたＧＰＳ受信器を備えてもよい。しかしながら、ＭＳアシストモード又はＭＳベースモードで動作する場合、モバイルデバイス１０２は、無線アクセスネットワーク（例えば、ＵＭＴＳ無線アクセスネットワーク）を介して遠隔コンピュータ（例えば、特に、位置決定エンティティ（ＬＤＥ）、位置プロキシサーバ（ＬＰＳ）及び／又はモバイル位置センター（ＭＰＣ））と通信するように構成されてもよい。
【０１１６】
様々な態様において、モバイルデバイス１０２はまた、モバイルデバイス１０２の無線サブシステム５３１４、処理サブシステム５３１２、及び他の要素を含む、モバイルデバイス１０２の電源を管理するために電源管理サブシステム（図示せず）を備えてもよい。例えば、電源管理サブシステムは、直流（ＤＣ）電源を提供するための１以上の電池、及び標準のＡＣ主電源から電力を流すための１以上の交流（ＡＣ）インタフェースを含んでもよい。
【０１１７】
様々な態様において、無線サブシステム５３１４は、アンテナ５２１４を含んでもよい。アンテナ５２１４は、無線共有媒体１２０（図１）を介してＲＦエネルギーをブロードキャスト及び受信してもよい。アンテナ５２１４の例として、内部アンテナ、全方向性アンテナ、モノポールアンテナ、ダイポールアンテナ、エンドフェッドアンテナ、円偏波アンテナ、マイクロストリップアンテナ、ダイバーシティアンテナ、デュアルアンテナ、アンテナアレイ、ヘリカルアンテナ等が挙げられ得る。態様はこれに限定されない。
【０１１８】
様々な態様において、アンテナ５２１４はマルチプレクサに接続されてもよい。マルチプレクサは、アンテナ５２１４に送るために、電力増幅器からの信号を多重化する。マルチプレクサは、ＲＦチップセットに送るために、アンテナから受信された信号を逆多重化する。
【０１１９】
様々な態様において、マルチプレクサは電力増幅器に接続されてもよく、電力増幅器は、無線共有媒体１２０（図１）を介して伝送される任意の信号を増幅するために使用されてもよい。電力増幅器は、４帯域システムで４つの周波数帯域等、全ての割り当てられた周波数帯域で機能してもよい。電力増幅器はまた、ＧＳＭシステムに適したガウス型最小偏移変調（ＧＭＳＫ）変調、及びＥＤＧＥシステムに適した８位相偏移変調（８−ＰＳＫ）変調等、様々な変調モードで動作してもよい。
【０１２０】
様々な態様において、電力増幅器はＲＦチップセットに接続されてもよい。ＲＦチップセットはまた、マルチプレクサに接続されてもよい。一態様において、ＲＦチップセットはＲＦドライバ及びＲＦトランシーバを備えてもよい。ＲＦチップセットは、４帯域Ｅ−ＧＰＲＳ無線のＧＭＳＫ及び８−ＰＳＫ信号の種類に必要な変調及び直接変換動作の全てを実施する。ＲＦチップセットは、ベースバンドプロセッサからアナログ同相（Ｉ）・直角位相（Ｑ）信号を受信し、Ｉ／Ｑ信号を電力増幅器による増幅に適したＲＦ信号へ変換する。同様に、ＲＦチップセットは、アンテナ５２１４及びマルチプレクサを介して無線共有媒体１２０（図１）から受信した信号を、ベースバンドプロセッサへ送信されるアナログＩ／Ｑ信号へ変換する。ＲＦチップセットは、例として２つのチップを使用してもよいが、ＲＦチップセットは、これより多い又は少ないチップを使用して実装されてもよく、態様の意図する範囲内に依存として包含されることを理解することができる。更に、増幅の他の態様は、「ＲＦＩＤ  Ａｎｔｅｎｎａ  ｆｏｒ  Ｉｎ−Ｂｏｄｙ  Ｄｅｖｉｃｅ」を発明の名称とする、共同出願の２０１２年２月１４日発行の米国特許第８１１５６１８号明細書に記載されており、その全体を参照により組み入れる。
【０１２１】
様々な態様において、ＲＦチップセットはベースバンドプロセッサに接続されてもよく、ベースバンドプロセッサは無線サブシステム５３１４のベースバンド動作を実施してもよい。ベースバンドプロセッサは、アナログ及びデジタル両方のベースバンド部分を備えてもよい。アナログベースバンド部分は、Ｉ／Ｑフィルタ、アナログ／デジタル変換器、デジタル／アナログ変換器、音声回路、及び他の回路を含む。デジタルベースバンド部分は、１以上のエンコーダ、デコーダ、等価器／復調器、ＧＭＳＫ変調器、ＧＰＲＳ暗号器、送受信器制御、自動周波数制御（ＡＦＣ）、自動利得制御（ＡＧＣ）、電力増幅器（ＰＡ）ランプ制御、及び他の回路を含んでもよい。
【０１２２】
様々な態様において、ベースバンドプロセッサはまた、メモリバスを介して１以上のメモリユニットに接続されてもよい。一態様において、例えばベースバンドプロセッサは、フラッシュメモリユニット及びセキュアデジタル（ＳＤ）メモリユニットに接続されてもよい。メモリユニットは、取り外し可能又は取り外し不可能なメモリであってもよい。一態様において、例えばベースバンドプロセッサは、Ｅ−ＧＰＲＳ及び他のプロトコルスタックの必要性のために、約１．６メガバイトの静的読み出し専用メモリ（ＳＲＡＭ）を使用する場合がある。
【０１２３】
様々な態様において、ベースバンドプロセッサはまた、登録者識別モジュール（ＳＩＭ）に接続されてもよい。ベースバンドプロセッサは、ＳＩＭのためのＳＩＭインタフェースを有してもよく、ＳＩＭはスマートカードを備えてもよく、スマートカードは、音声・データ伝送を暗号化し、ユーザが識別されて、音声又はデータの通信を供給するネットワークに承認されることが可能であるように、特定のユーザに関するデータを記憶する。ＳＩＭはまた、ユーザ及び電話番号に特定の個人電話設定等のデータを記憶してもよい。ＳＩＭは、取り外し可能又は取り外し不可能であり得る。
【０１２４】
様々な態様において、ベースバンドプロセッサは、処理サブシステム５３１２のホストプロセッサと通信するための様々なインタフェースを更に含んでもよい。例えば、ベースバンドプロセッサは、１以上のユニバーサル非同期レシーバ・送信器（ＵＡＲＴ）インタフェース、ホストプロセッサへの１以上の制御／ステータスライン、ホストプロセッサへの１以上の制御／データライン、及び処理サブシステム５３１４の音声サブシステムへ音声信号を通信するための１以上の音声ラインを有してもよい。態様はこれに限定されない。
【０１２５】
様々な態様において、処理サブシステム５３１４は、モバイルデバイス１０２のために演算又は処理の操作を提供してもよい。例えば処理サブシステム５３１４は、モバイルデバイス１０２のために様々なソフトウェアプログラムを実行するように配置されてもよい。処理サブシステム５３１４は、プロセッサによって実行されるソフトウェアとして様々な態様のための操作を実装するために使用されてもよいが、処理サブシステム５３１４によって実施される操作は、特定の実装に対する所望に応じて、ハードウェア回路又は構造、或いはハードウェア及びソフトウェアの組み合わせを使用して実装されてもよいことが理解され得る。
【０１２６】
様々な態様において、処理サブシステム５３１２は、複雑命令セットコンピュータ（ＣＩＳＣ）マイクロプロセッサ、縮小命令セットコンピューティング（ＲＩＳＣ）マイクロプロセッサ、非常に長い命令語（ＶＬＩＷ）マイクロプロセッサ、命令セットの組み合わせを実装するプロセッサ、又は他のプロセッサデバイス等、任意のプロセッサ又は論理デバイスを使用して実装されたプロセッサを含んでもよい。一態様において、例えば、プロセッサは、Ｉｎｔｅｌ  Ｃｏｒｐｏｒａｔｉｏｎ（カリフォルニア州サンタクララ）によって製造されたプロセッサ等、汎用プロセッサとして実装されてもよい。プロセッサはまた、コントローラ、マイクロコントローラ、埋め込みプロセッサ、デジタル信号プロセッサ（ＤＳＰ）、ネットワークプロセッサ、媒体プロセッサ、入力／出力（Ｉ／Ｏ）プロセッサ、媒体アクセス制御（ＭＡＣ）プロセッサ、無線ベースバンドプロセッサ、フィールドプログラマブルゲートアレイ（ＦＰＧＡ）、プログラマブルロジックデバイス（ＰＬＤ）等の専用プロセッサとして実装されてもよい。
【０１２７】
一態様において、処理サブシステム５３１４は、プロセッサに接続するためにメモリを含んでもよい。メモリは、揮発性及び不揮発性両方のメモリを含む、データを記憶することが可能な任意の機械可読式媒体又はコンピュータ可読式媒体を使用して実装されてもよい。例えば、メモリとして、ＲＯＭ、ＲＡＭ、ＤＲＡＭ、ＤＤＲＡＭ、ＳＤＲＡＭ、ＳＲＡＭ、ＰＲＯＭ、ＥＰＲＯＭ、ＥＥＰＲＯＭ、フラッシュメモリ、強誘電体ポリマーメモリ等のポリマーメモリ、オボニックメモリ、相変化又は強誘電体メモリ、シリコン・酸化膜・窒化膜・酸化膜・シリコン（ＳＯＮＯＳ）メモリ、磁気式又は光学式カード、或いは情報の記憶に適切な任意の他の種類の媒体が挙げられ得る。メモリの一部又は全てがプロセッサと同じ集積回路上に含まれてもよく、それによって、メモリバスの必要性を排除することに注目すべきである。或いは、メモリの一部又は全ては集積回路、又はプロセッサの集積回路に対して外部の、例えばハードディスクドライブ等の他の媒体に配置されてもよく、プロセッサは、例えばメモリバスを介してメモリにアクセスしてもよい。
【０１２８】
様々な態様において、メモリは、１以上のソフトウェア構成要素（例えば、アプリケーションクライアントモジュール）を記憶してもよい。ソフトウェア構成要素として、個別の組の動作を実行するために使用される１以上のプログラム、又はプログラムの一部を参照してもよい。所与のデバイスのソフトウェア構成要素の集合体が、ソフトウェアアーキテクチャ又はアプリケーションフレームワークと総称されてもよい。モバイルデバイスのソフトウェアアーキテクチャを、以下に詳細に説明する。
【０１２９】
モバイルデバイスで使用するために適したソフトウェアアーキテクチャは、ＧＵＩモジュールと、インタフェースモジュールと、データソース又はバックエンドサービスモジュール（データソース）と、第三者のＡＰＩモジュールとを含むことができる。任意選択のＬＢＳモジュールは、ユーザベースの権限モジュール、パーサーモジュール（例えば、米国海洋電子機器協会、つまりＮＭＥＡ）、場所情報源モジュール、及び位置情報源モジュールを備えてもよい。ある態様において、あるソフトウェア構成要素は省略され、他が追加されてもよい。更に、あるプログラムの動作は、所与の実装の所望に応じて、追加のソフトウェア構成要素に分離されても、又はより少ないソフトウェア構成要素にまとめられてもよい。モバイルデバイスのソフトウェアアーキテクチャは、複数の要素、構成要素又はモジュールを備えてもよく、本明細書では「モジュール」と総称される。モジュールは、回路、集積回路、用途特定集積回路（ＡＳＩＣ）、集積回路アレイ、集積回路又は集積回路アレイを備えるチップセット、論理回路、メモリ、集積回路アレイ又はチップセットの要素、積層集積回路アレイ、プロセッサ、デジタル信号プロセッサ、プログラマブルロジックデバイス、コード、ファームウェア、ソフトウェア、及びこれらの任意の組み合わせとして実装されてもよい。
【０１３０】
図５４は、着用可能受信器１０８の一態様のシステム図である。着用可能受信器１０８は、例えばＩＥＭデバイス１０４（図１）等の摂取可能事象マーカによって生成された電気信号を検出するように構成されている。図５４は、集積回路構成要素の一態様のブロック機能図である。図５４に示されているように、着用可能受信器１０８は、ＩＥＭデバイス１０４によって生成された電流署名を受信する電極入力回路５４００を備えている。一態様において、電極入力回路５４００には、トランスボディ（ｔｒａｎｓｂｏｄｙ）伝導性通信モジュール５４０２が電気的に連結され、別の態様において、生理的検出モジュール５４０４が電極入力回路５４００に任意選択的に連結されてもよい。一態様において、トランスボディ伝導性通信モジュール５４０２は、第１の、例えば高周波数（ＨＦ）信号チェーンとして実装されてもよく、生理的検出モジュール５４０４は、第２の、例えば低周波数（ＬＦ）信号チェーンとして実装されてもよい。一態様において、着用可能受信器１０８はまた、環境温度を検出するための温度検出モジュール５４０６と、３軸加速度計５４０８とを含んでもよい。一態様において、温度検出モジュール５４０６は、相補型酸化型半導体（ＣＭＯＳ）回路要素を使用して実装されてもよい。様々な態様において、例えばＰｈ検出、インピーダンス検出を含むが、これらに限定されない、ＩＥＭデバイス１０４の周囲の環境を検出するために、追加のモジュールが設けられてもよい。着用可能受信器１０８はまた、データ記憶のためのメモリ５４１０（前述のメモリ要素と同様）、及び、例えばデータのダウンロード／アップロード動作のために、データを別のデバイスから受信する及び／又は別のデバイスへ送信するための無線通信モジュール５４１２を含んでもよい。様々な態様において、センサ５４１４及びフィードバックモジュール５４１６が更に着用可能受信器１０８に含まれてもよい。一態様において、図５４に示されているように、様々な機能モジュールはモバイルデバイス１０２の処理サブシステム５４１８に連結されている。他の態様において、検出サブシステムは自身の専用処理エンジンを備えてもよい。例えば一態様において、着用可能受信器１０８は、専用処理エンジン、例えばモバイルデバイス１０２の処理サブシステム５４１８とは別のマイクロコントローラ又はデジタル信号プロセッサを備えてもよい。
【０１３１】
図５４を再び参照すると、様々な態様において、トランスボディ伝導性通信モジュール５４０２及び無線通信モジュール５４１２は各々、１以上の送信器／受信器（「トランシーバ」）モジュールを備えてもよい。本明細書に使用される場合、「トランシーバ」という用語は、制限されることなく、送信器、受信器又は両方の組み合わせを含むように非常に汎用的な意味で使用されてもよい。一態様において、トランスボディ伝導性通信モジュール５４０２は、ＩＥＭデバイス１０４（図１）と通信するように構成されている。一態様において、無線通信モジュール５４１２は、無線アクセスポイント１１０（図１）と通信するように構成されてもよい。別の態様において、無線通信モジュール５４１２は、他のモバイルデバイスと通信するように構成されてもよい。
【０１３２】
様々な態様において、センサ５４１４は一般的に、患者１０６（図１）に接触し、例えば胴体に取り外し可能に取り付けられ得る。様々な他の態様において、センサ５４１４は、着用可能受信器１０８に取り外し可能に又は常時取り付けられてもよい。例えば、センサ５４１４は、金属製ボタンを留めることによって、着用可能受信器１０８に取り外し可能に接続されてもよい。センサ５４１４は、例えば、生理データを検出又は受信することが可能な様々なデバイスを備えてもよい。センサ５４１４の種類は例えば、湿式又は乾式の生体適合性電極等の電極を含む。センサ５４１４は、例えば特に、圧力センサ、運動センサ、加速度計５４０８、筋電図検査（ＥＭＧ）センサ、ＩＥＭデバイス１０４（図１）、生体電位センサ、心電図センサ、温度センサ、触知性事象マーカセンサ、インピーダンスセンサとして構成されてもよい。
【０１３３】
様々な態様において、フィードバックモジュール５４１６は、ソフトウェア、ハードウェア、回路、様々なデバイス、及びこれらの組み合わせで実装されてもよい。フィードバックモジュール５４１６の機能は、前述のように、秘密に臨機応変で慎重な方法で患者１０６（図１）との通信を提供することである。様々な態様において、フィードバックモジュール５４１６は、視覚、音声、振動／触知、嗅覚及び味覚を採用する技法を使用して患者１０６と通信するように実装されてもよい。
【０１３４】
図５５は、摂取可能事象マーカデバイスの一態様に対応するシステム５５００を図示する。様々な態様において、図１に示されているＩＥＭデバイス１０４は、例えば図５５に示されているシステム５５００に従って実装されてもよい。システム５５００は、薬の製造元を判定し、薬の正しい種類及び正しい投与量のうちの少なくとも１つが患者に送られたことを確認するため、及びある態様においては、患者が薬品をいつ服用したかを判定するために、上述したように、任意の薬品に関連付けて使用され得る。しかしながら、本開示の範囲は、システム５５００で使用されてもよい環境及び薬品によって制限されない。例えば、システム５５００は、無線モード及びガルバニックモードのいずれかで、システム５５００をカプセル内に置いてから、カプセルを導電性流体に置くことによって、又はこれらの組み合わせによって、或いはシステム５５００を空気に晒すことによって起動されてもよい。例えば、導電性流体に置いた後、カプセルは、ある時間をかけて溶解し、システム５５００を導電性流体内に放出する。このように、一態様において、カプセルは、システム５５００を含むが、製品を含まない。このようなカプセルは、このため、導電性流体が存在する任意の環境で任意の製品と共に使用されてもよい。例えばカプセルは、ジェット燃料、食塩水、トマトソース、自動車油、又は任意の同様の製品が充填された容器内に落とされてもよい。加えて、システム５５００を含むカプセルは、製品が服用されたとき等、事象の発生を記録するために、任意の製薬品が摂取されると同時に摂取されてもよい。このような薬品及びこのような薬品をカプセル化する方法は、「Ｐｈａｒｍａ  Ｉｎｆｏｒｍａｔｉｃｓ  Ｓｙｓｔｅｍ」を発明の名称とする、共同出願の２００８年１１月２０日公開の米国特許出願公開第２００８／０２８４５９９号明細書、「Ｈｉｇｈｌｙ  Ｒｅｌｉａｂｌｅ  Ｉｎｇｅｓｔｉｂｌｅ  Ｅｖｅｎｔ  Ｍａｒｋｅｒｓ  ａｎｄ  Ｍｅｔｈｏｄｓ  ｆｏｒ  ｕｓｉｎｇ  ｔｈｅ  Ｓａｍｅ」を発明の名称とする２０１１年３月３日公開の米国特許出願公開第２０１１／００５４２６５号明細書、及び、「Ｉｎｇｅｓｔｉｂｌｅ  Ｄｅｖｉｃｅ  ｗｉｔｈ  Ｐｈａｒｍａｃｅｕｔｉｃａｌ  Ｐｒｏｄｕｃｔ」を発明の名称とする２０１０年１１月２２日提出の米国特許出願第６１／４１６１５０号明細書に記載され、これらの全体を参照により組み入れる。
【０１３５】
図５５に示されているシステム５５００の特定の例では、システム５５００が薬又は薬品と組み合されて、薬品又は錠剤が摂取されるか又は空気に晒されると、システム５５００はガルバニックモードで起動する。システム５５００は、電極組立体（例えば、湿式電極又は乾式電極）によって検出される固有の電流署名を生成するように伝導性を制御するので、これによって、例えば、薬品が服用されたことを表す。無線モードで起動すると、システムは、検出されるシステム５５００に関連した固有の電圧署名を生成するように、容量性プレートの変調を制御する。システム５５００の様々な態様は、本発明の譲受人に譲渡され、「Ｃｏｍｍｕｎｉｃａｔｉｏｎ  Ｓｙｓｔｅｍ  ｗｉｔｈ  Ｐａｒｔｉａｌ  Ｐｏｗｅｒ  Ｓｏｕｒｃｅ」を発明の名称とする２０１１年７月１２日発行の米国特許第７９７８０６４号明細書、「Ｃｏｍｍｕｎｉｃａｔｉｏｎ  Ｓｙｓｔｅｍ  ｗｉｔｈ  Ｐａｒｔｉａｌ  Ｐｏｗｅｒ  Ｓｏｕｒｃｅ」を発明の名称とする２０１２年１月５日公開の米国特許出願公開第２０１２／０００１７５２号明細書、「Ｃｏｍｍｕｎｉｃａｔｉｏｎ  Ｓｙｓｔｅｍ  Ｗｉｔｈ  Ｒｅｍｏｔｅ  Ａｃｔｉｖａｔｉｏｎ」を発明の名称とする２０１２年１月１２日公開の米国特許出願公開第２０１２／０００７７３４号明細書、「Ｃｏｍｍｕｎｉｃａｔｉｏｎ  Ｓｙｓｔｅｍ  ｗｉｔｈ  Ｍｕｌｔｉｐｌｅ  Ｓｏｕｒｃｅｓ  ｏｆ  Ｐｏｗｅｒ」を発明の名称とする２０１２年１月５日公開の米国特許出願公開第２０１２／０００４５２０号明細書、「Ｃｏｍｍｕｎｉｃａｔｉｏｎ  Ｓｙｓｔｅｍ  Ｕｓｉｎｇ  ａｎ  Ｉｍｐｌａｎｔａｂｌｅ  Ｄｅｖｉｃｅ」を発明の名称とする２０１２年１月５日公開の米国特許出願公開第２０１２／０００４５２７号明細書、「Ｃｏｍｍｕｎｉｃａｔｉｏｎ  Ｓｙｓｔｅｍ  Ｗｉｔｈ  Ｅｎｈａｎｃｅｄ  Ｐａｒｔｉａｌ  Ｐｏｗｅｒ  Ａｎｄ  Ｍｅｔｈｏｄ  Ｏｆ  Ｍａｎｕｆａｃｔｕｒｉｎｇ  Ｓａｍｅ」を発明の名称とする２０１２年５月１０日公開の米国特許出願公開第２０１２／０１１６１８８号明細書、「Ｃｏｍｍｕｎｉｃａｔｉｏｎ  Ｓｙｓｔｅｍ  ｕｓｉｎｇ  Ｐｏｌｙｐｈａｒｍａｃｙ  Ｃｏ−ｐａｃｋａｇｅｄ  Ｍｅｄｉｃａｔｉｏｎ  Ｄｏｓｉｎｇ  Ｕｎｉｔ」を発明の名称とする２０１２年２月２日公開の米国特許出願公開第２０１２／００２４８８９号明細書、「Ｃｏｍｍｕｎｉｃａｔｉｏｎ  Ｓｙｓｔｅｍ  Ｉｎｃｏｒｐｏｒａｔｅｄ  ｉｎ  ａｎ  Ｉｎｇｅｓｔｉｂｌｅ  Ｐｒｏｄｕｃｔ」を発明の名称とする２０１２年３月１５日公開の米国特許出願公開第２０１２／００６２３７９号明細書、「Ｉｎ−ｖｉｖｏ  Ｌｏｗ  Ｖｏｌｔａｇｅ  Ｏｓｃｉｌｌａｔｏｒ  ｆｏｒ  Ｍｅｄｉｃａｌ  Ｄｅｖｉｃｅｓ  Ｓｔａｂｌｅ  Ｏｕｔｐｕｔ  Ｗｉｔｈ  Ｖａｒｙｉｎｇ  Ｓｕｐｐｌｙ  Ｖｏｌｔａｇｅ」を発明の名称とする２０１１年１１月８日発行の米国特許第８０５４１４０号明細書、「Ｉｎｇｅｓｔｉｂｌｅ  Ｃｉｒｃｕｉｔｒｙ」を発明の名称とする２０１１年３月１７日公開の米国特許出願公開第２０１１／００６５９８３号明細書、及び、「Ｃｏｎｔｒｏｌｌｅｄ  Ａｃｔｉｖａｔｉｏｎ  Ｉｎｇｅｓｔｉｂｌｅ  Ｉｄｅｎｔｉｆｉｅｒ」を発明の名称とする２０１０年９月２���日公開の米国特許出願公開第２０１０／０２３９６１６号明細書に記載され、その全てを参照により本明細書に組み入れる。
【０１３６】
一態様において、システムＤはフレームワーク５５０２を含む。フレームワーク５５０２は、システム５５００のシャーシであり、複数の構成要素がフレームワーク５５０２に取り付けられるか、堆積されるか、又は固定される。システム５５００のこの態様において、摂取可能材料５５０４が、フレームワーク５５０２と物理的に関連付けられている。摂取可能材料５５０４は、フレームワークに化学的に堆積、蒸着、固定、又は構築されてもよく、これら全ては、本明細書において、フレームワーク５５０２に対する「堆積」として参照されてもよい。摂取可能材料５５０４は、フレームワーク５５０２の一側に堆積されている。摂取可能材料５５０４として使用され得る対象の材料は、Ｃｕ、ＣｕＣｌ又はＣｕｌを含むが、これらに限定されない。摂取可能材料５５０４は、特に物理蒸着、電着、又はプラズマ蒸着等によって堆積される。摂取可能材料５５０４は、約５〜約１００μｍの厚さ等、約０．０５〜約５００μｍの厚さであってもよい。形状は、シャドーマスク堆積、又はフォトリソグラフィ及びエッチングによって制御される。加えて、材料を堆積させるための領域は１つしか示されていないが、各システム５５００は、所望に応じて、摂取可能材料５５０４が堆積されてもよい電気的に固有の領域を２以上含んでもよい。
【０１３７】
図５５に示されている側とは反対側の異なる側には、摂取可能材料５５０４、５５０６が相互に異なり絶縁されるように、別の摂取可能材料５５０６が堆積されている。図示されないが、選択された異なる側は、摂取可能材料５５０４に選択された側の隣の側であってもよい。本開示の範囲は、選択された側によって限定されず、「異なる側」という用語は、最初に選択された側とは異なる複数の側のうちのいずれかを意味することができる。様々な態様において、異なる材料は、同じ側の異なる位置に設けられてもよい。更に、システムの形状は矩形として示されているが、形状は、任意の幾何学的に適した形状であってもよい。摂取可能材料５５０４、５５０６は、システム５５００が体液等の導電性流体と接触すると、電位差を生じるように選択されている。摂取可能材料５５０６の対象となる材料は、Ｍｇ、Ｚｎ又は他の電気陰性金属を含むが、これらに限定されない。摂取可能材料５５０４に関して上述したように、摂取可能材料５５０６は、フレームワークに化学的に堆積、蒸着、固定、又は構築されてもよい。また、摂取可能材料５５０６（及び必要な場合には摂取可能材料５５０４）がフレームワーク２１０２に接着することを助けるために、接着層が必要であってもよい。材料２１０６の典型的な接着層は、Ｔｉ、ＴｉＷ、Ｃｒ又は同様の材料である。アノード材料及び接着層は、物理蒸着、電着又はプラズマ蒸着によって堆積されてもよい。摂取可能材料５５０６は、約５〜約１００μｍの厚さ等、約０．０５〜約５００μｍの厚さであってもよい。しかしながら、本開示の範囲は、材料のいずれかの厚さによって、又はフレームワーク５５０２に材料を堆積するか又は固定するために使用されるプロセスの種類によって制限されない。
【０１３８】
本開示に従い、摂取可能材料５５０４、摂取可能５５０６は、異なる電気化学電位を有する材料の任意の対にすることができる。更に、システム５５００が生体内で使用される態様において、摂取可能材料５５０４、５５０６は、吸収され得るビタミンであってもよい。より具体的には、摂取可能材料５５０４、５５０６は、システム５５００が運用される環境に適した任意の２つの材料から作製され得る。例えば、摂取可能な製品と使用される場合、材料５５０４、５５０６は、摂取可能な、異なる電気化学電位を有する材料の任意の対である。図示された例は、システム５５００が胃酸等のイオン溶液と接触する例を含む。適切な材料は金属に限定されず、ある態様において、例えば、金属（Ｍｇ等）及び塩（ＣｕＣｌ又はＣｕｌ等）から構成される対等、対になる材料は金属及び非金属から選択されている。有効な電極材料に関して、適切に異なる電気化学電位（電位差）及び低い界面抵抗を有する金属、塩又は層間化合物等、任意の対の物質が適する。
【０１３９】
対象の材料及び対は、以下の表１に示されているものを含むが、これらに限定されない。一態様において、金属のうちの１つ又は両方は、例えば材料が導電性流体と接触すると、材料間で生じる電位差を高めるために、非金属でドープされてもよい。ドープ剤として使用されてもよい非金属は、ある態様において硫黄、ヨウ素等を含むが、これらに限定されない。別の態様において、材料は、アノードとしてヨウ化銅（Ｃｕｌ）及びカソードとしてマグネシウム（Ｍｇ）である。本開示の態様は、人体に有害ではない電極材料を使用する。
【０１４０】
【表１】
0005865507.tif 000002
【０１４１】
このため、システム５５００が導電性流体と接触すると、異質な摂取可能材料５５０４、５５０６間に導電性流体を通じて電流経路が形成される。制御デバイス５５０８は、フレームワーク５５０２に固定され、摂取可能材料５５０４、５５０６に電気的に連結されている。制御デバイス５５０８は、電気回路、例えば摂取可能材料５５０４、５５０６間の伝導性を制御して変えることが可能な制御ロジックを含む。
【０１４２】
異質な摂取可能材料５５０４、５５０６間に生じた電位差は、システムを動作させるための電力を与えると共に、導電性流体及びシステム５５００を通る電流を生成する。一態様において、システム５５００は直流モードで動作する。代替の態様において、システム５５００は電流の方向を制御するので、電流の方向は、交流と同様に、周期的に反転する。システムが、例えば胃酸等の生理液によって与えられる導電性流体又は電解質に達すると、異質な摂取可能材料５５０４、５５０６間の電流路がシステム５５００の外部で完了し、システム５５００を通る電流路が制御デバイス５５０８によって制御される。電流路の完了によって、電気が流れることが可能になり、これによって、受信器（図示せず）が電気の存在を検出し、システム２１００が起動していること、及び所望の事象が発生している又は発生したことを認識することができる。
【０１４３】
一態様において、２つの異質な摂取可能材料５５０４、５５０６は、機能の点で、電池等の直流電源のために必要な２つの電極と同様である。導電性流体は、電源を完成させるために必要な電解質として作用する。完成した記載の電源は、システム５５００の異質な摂取可能材料５５０４、５５０６と身体の周辺流体との間の物理的化学反応によって画定される。完成した電源は、消化液、血液又は他の体液及びある組織等のイオン溶液又は伝導溶液の逆電解を利用する電源としてみなされ得る。更に、環境は身体以外の何かであってもよく、流体は任意の導電性流体であってもよい。例えば導電性流体は、塩水又は金属ベースの塗料であってもよい。
【０１４４】
ある態様において、２つの異質な摂取可能材料５５０４、５５０６は、追加の材料層によって、周囲環境から遮蔽される。従って、遮蔽物が溶解し、２つの異質な摂取可能材料５５０４、５５０６が標的部位に晒されると、電位差が生じる。
【０１４５】
ある態様において、完全な電源又は供給源は、活性電極材料、電解質、及び電流コレクタ、パッケージング等、不活性な材料から構成されるものである。活性材料は、異なる電気化学電位を有する材料の任意の対である。適切な材料は金属に限定されず、ある態様において、対になる材料は、例えば金属（Ｍｇ等）及び塩（Ｃｕｌ等）から構成される対等、金属及び非金属から選択される。活性電極材料に関して、適切に異なる電気化学電位（電位差）及び低い界面抵抗を有する金属、塩又は層間化合物等、任意の対の物質が適する。
【０１４６】
電極を形成する材料として、様々な異なる材料が採用されてもよい。ある態様において、電極材料は、例えば胃等、標的の生理的部位と接触すると、識別子のシステムを駆動するために十分な電位差を与えるように選択される。ある態様において、電源の金属が標的生理的部位と接触すると電極材料によって与えられる電位差は、０．００１Ｖ以上であり、０．３Ｖ以上等、０．１Ｖ以上のような０．０１Ｖ以上を含み、０．５ボルト以上を含み、且つ１．０ボルト以上を含み、一定の態様において、電位差は、約０．０１〜約１０Ｖ等、約０．００１〜約１０ボルトの範囲である。
【０１４７】
図５５を参照すると、異質な摂取可能材料５５０４、５５０６は、制御デバイス５５０８を起動するための電位差を与える。制御デバイス５５０８が起動されるか又は電源を入れられると、制御デバイス２１０８は、第１及び第２の摂取可能材料５５０４、５５０６間の伝導率を固有に変化させることができる。第１の摂取可能材料５５０４と第２の摂取可能材料５５０６との間の伝導率を変更することによって、制御デバイス５５０８は、システム５５００を囲む導電性流体を通じて電流の大きさを制御することが可能である。これによって、身体の内部又は外部に位置することができる受信器（図示せず）によって検出され、測定され得る固有の電流署名が生じる。受信器は、「ＢＯＤＹ−ＡＳＳＯＣＩＡＴＥＤ  ＲＥＣＥＩＶＥＲ  ＡＮＤ  ＭＥＴＨＯＤ」を発明の名称とする２０１２年２月１４日発行の米国特許第８１１４０２１号明細書に詳細が開示され、その全体を参照により本明細書に組み入れる。材料間の電流路の大きさを制御することに加えて、電流路の「長さ」を増加するために、非導電性材料、膜又は「スカート」が使用され、このために、参照によって全体を本明細書に組み入れる、「Ｉｎ−Ｂｏｄｙ  Ｄｅｖｉｃｅ  Ｗｉｔｈ  Ｖｉｒｔｕａｌ  Ｄｉｐｏｌｅ  Ｓｉｇｎａｌ  Ａｍｐｌｉｆｉｃａｔｉｏｎ」を発明の名称とする２００９年３月２６日公開の米国特許出願公開第２００９／００８２６４５号明細書、及び、「Ｍｕｌｔｉ−Ｍｏｄｅ  Ｃｏｍｍｕｎｉｃａｔｉｏｎ  Ｉｎｇｅｓｔｉｂｌｅ  Ｅｖｅｎｔ  Ｍａｒｋｅｒｓ，  ａｎｄ  Ｍｅｔｈｏｄｓ  ｏｆ  Ｕｓｉｎｇ  ｔｈｅ  Ｓａｍｅ」を発明の名称とする２０１２年９月４日発行の米国特許第８２５８９６２号明細書に開示されているように、伝導路の電圧を上げるように作用する。或いは、本明細の開示全体で、「非導電性材料」、「膜」及び「スカート」という用語は、範囲又は本態様及び本明細書の請求項に影響を与えることなく、「電流路エクステンダ」という用語と同義に使用される。５５０５、５５０７で部分的に示されているスカートは夫々、フレームワーク５５０２に、例えば固定される等、関連付けられてもよい。スカートの様々な形状及び構成は、本発明の様々な態様の範囲内とみなされる。例えばシステム５５００は、スカートによって全体的又は部分的に囲まれてもよく、スカートは、システム５５００の中心軸に沿って、又は中心軸に対して中心から外れて位置付けられてもよい。このため、本明細書に請求されている本開示の範囲は、スカートの形状又は寸法によって制限されない。更に、他の態様において、異質な摂取可能材料５５０４、５５０６は、異質な摂取可能材料５５０４、５５０６間の任意に画定される領域に位置付けられる１つのスカートによって分離されてもよい。
【０１４８】
システム５５００は、接地用コンタクトを通じて接地されてもよい。システム５５００はセンサモジュールを含むことができる。動作中、イオン通路又は電流路は、第１の摂取可能材料５５０４と第２の摂取可能材料５５０６との間で、システム５５００と接触する導電性流体を通って確立される。第１の摂取可能材料５５０４と第２の摂取可能材料５５０６との間に生じる電位差は、第１及び第２の摂取可能材料５５０４、５５０６と導電性流体との間の化学反応によって生じる。一態様において、第１の材料５５０４の表面は平面ではなく、むしろ不規則な表面である。不規則な表面は、材料の表面積、すなわち導電性流体と接触する面積を増加させる。
【０１４９】
一態様において、第１の摂取可能材料５５０４の表面には、第１の摂取可能材料５５０４と周囲の導電性流体との間の化学反応が存在するので、質量が導電性流体内に放出される。本明細書に使用される場合、質量という用語は、物質を形成する陽子及び中性子を参照する。一例として、材料がＣｕＣｌである場合、導電性流体と接触すると、ＣｕＣｌはＣｕ（固体）及びＣｌ- 溶液になる。イオンの導電性流体中への流れはイオン通路を介する。同様に、第２の摂取可能材料５５０６と周囲の導電性流体との間には化学反応が存在し、イオンは第２の摂取可能材料５５０６に捕捉される。イオン交換率、ひいてはイオン放出率又はイオン流は制御デバイス５５０８によって制御される。制御デバイス５５０８は、第１の摂取可能材料５５０４と第２の摂取可能材料５５０６との間のインピーダンスを変化させる導電率を変化させることによって、イオン流の速度を増減することができる。イオン交換を制御することによって、システム５５００は、イオン交換プロセスで情報を符号化することができる。このように、システム５５００は、イオン交換で情報を符号化するためにイオン放出を使用する。
【０１５０】
制御デバイス５５０８は、周波数が変調されて増幅が一定である場合と同様に、速度又は大きさを略一定に保ちながら、固定イオン交換速度又は電流の大きさの期間を変えることができる。また、制御デバイス５５０８は、期間を略一定に保ちながら、イオン交換速度又は電流の大きさのレベルを変えることができる。このように、期間の変化及び速度又は大きさの変化の様々な組み合わせを使用して、制御デバイス５５０８は、電流又はイオン交換で情報を符号化する。例えば、制御デバイス５５０８は、バイナリ位相偏移変調（ＰＳＫ）、周波数変調（ＦＭ）、振幅変調（ＡＭ）、オンオフ変調、オンオフ変調を含むＰＳＫの技法のうちのいずれかを使用してもよいが、これらに限定されない。
【０１５１】
システム５５００の様々な態様は、制御デバイス５５０８の一部として電気構成要素を備えてもよい。存在してもよい構成要素は、ロジック要素及び／又はメモリ要素、集積回路、インダクタ、抵抗器、及び様々なパラメータを測定するためのセンサを含むが、これらに限定されない。各構成要素は、フレームワーク及び／又は別の構成要素に固定されてもよい。支持体の表面上の構成要素は、任意の便宜性の構成で配置されてもよい。２以上の構成要素が固形支持体の表面上に存在する場合、相互接続が提供されてもよい。
【０１５２】
システム５５００は、異質材料間の導電率、ひいてはイオン交換の速度又は電流を制御する。導電率を特定の方法で変化させることによって、システムは、イオン交換及び電流署名の情報を符号化することが可能である。イオン交換又は電流署名は、特定のシステムを固有に識別するために使用される。加えて、システム５５００は、様々な異なる固有の交換又は署名を生成することが可能であり、これによって、追加情報を提供する。例えば、第２の導電率変化パターンに基づく第２の電流署名は、追加情報を提供するために使用されてもよく、この情報は身体環境に関連してもよい。更に図示するため、第１の電流署名は、チップ上のオシレータを維持する低い電流状態であってもよく、第２の電流署名は、第１の電流署名に関連した電流状態よりも少なくとも１０倍高い電流状態であってもよい。
【０１５３】
図５６〜５８は、モバイルデバイス１０２のディスプレイ画面の様々なＧＵＩの装飾的デザインの様々な態様を図示する。図５６〜５８は、アカウントを作成するための、モバイルデバイス１０２のディスプレイ画面の様々な「搭載」ＧＵＩの装飾的デザインを図示する。図５６は、アカウントを作成するためのＧＵＩ５６００を示す。「新規ユーザ」ボタン５６０２は、「新規ユーザ」ボタン５６０２が選択されると、図５７に示されている「ようこそ」ＧＵＩ５７００を起動する。「ようこそ」ＧＵＩ５７００は、ユーザが開始すべく開始キットの個人コードを入力することを要求する。テキストボックス５７０２は、個人コードを入力するために提供される。図５８で、「アカウント作成」ＧＵＩ５８００は、ユーザの名、姓、ユーザ名、パスワード、パスワード確認を入力するために表示される。
【０１５４】
図５９〜６１は、例えばパッチ等の着用可能受信器１０８を設定するための、モバイルデバイス１０２のディスプレイ画面の複数の追加の「搭載」ＧＵＩの装飾的デザインを図示する。図５９は、着用可能受信器１０８を設定するためのＧＵＩ５９００を示す。着用可能受信器１０８のＧＵＩ要素５９０２は、点滅ボタン５９０４に加えて、光が点滅するまでパッチ又は着用可能受信器１０８のボタンを押し続けるようにユーザに指示するテキストと共に表示される。図６０は、着用可能受信器１０８及びモバイルデバイス１０２が接続されている間に表示されるＧＵＩ６０００を示す。図６１に示されているＧＵＩ６１００は、着用可能受信器１０８及びモバイルデバイス１０２が接続されると表示される。ＧＵＩ６１００はまた、ユーザに胴体の左側に着用可能受信器１０８、つまりパッチを付けるように指示し、また表示されているように胴体の左側に受信器６１０４を着用している人の輪郭６１０２を表示する。
【０１５５】
図６２〜６５は、本開示に係るヘルスケア登録情報システムをデモンストレーションするための、モバイルデバイス１０２のディスプレイ画面の複数の追加の「搭載」ＧＵＩの装飾的デザインを図示する。図６２は、ユーザに、開始キットにある２つのデモンストレーション錠剤６２０２、６２０４を服用してから、「終了」ボタン６２０６をタップするように指示するためのＧＵＩ６２００を示す。ヘルスケア登録情報システムは、例えば着用可能受信器１０８を設定するために、１０分以内にヘルプの準備ができることを確認する。ヘルスケア登録情報システムからの確認を待機する間、図６３に示されているＧＵＩ６３００が表示される。ヘルスケア登録情報システムがデモンストレーション錠剤の摂取の検出に成功すると、図６４に示されているＧＵＩ６４００が表示される。人の輪郭６４０２がチェックマーク要素６４０４と共に表示される。この時点で、ユーザは、データを表示又は共有するために夫々、「データ表示」ボタン６４０６又は「データ共有」ボタン６４０８を選択することができる。ヘルスケア登録情報システムがデモンストレーション錠剤の摂取の検出に失敗すると、図６５に示されているＧＵＩ６５００が表示される。ＧＵＩ６５００は、１０分経過したがヘルスケア登録情報システムがデモンストレーション錠剤の摂取をまだ検出していないことを示すために、クエスチョンマーク要素６５０４と共に人の輪郭６５０２を表示する。状況をトラブルシューティングするために、「トラブルシュート」ボタン６５０８が提供される。
【０１５６】
図６６〜７１は、注釈を表示するための、モバイルデバイス１０２のディスプレイ画面の複数の追加の「リボン」ＧＵＩの装飾的デザインを図示する。図６６は、複数の注釈６６０６を含む、活動リボン６６０２及び服用タイムライン６６０４を表示するためのＧＵＩ６６００を示す。ポップアップテキスト吹き出し６７００は、ユーザが「１５１９ｈ」（午後３時１９分）に「バスに乗るために走った」と入力した、図６７の活動リボン６６０２に関する追加情報を提供するように表示される。別のポップアップテキスト吹き出し６８００は、ユーザが「１８１１ｈ」（午後６時１１分）に「余分のテレビ時間」及び「１８１６ｈ」（午後６時１６分）に「修理の人を待った」と入力した、図６８の活動リボン６６０２に関する追加情報を提供するように表示される。図６９は、「服用」が患者１０８に「０８１９ｈ」（午前８時１９分）になされたことを示すために、服用タイムライン６６０４に関する追加情報を提供するように表示されるポップアップテキスト吹き出し６９００を示す。別のポップアップテキスト吹き出し７０００は、「１６１６ｈ」（午後４時１６分）に「用量を手動で入力」を示すために、図７０の服用タイムライン６６０４に関する追加情報を提供するように表示される。図７１は、「０３６６ｈ」（午前３時６６分）に患者が「３用量」を服用したことを示すために、服用タイムライン６６０４に関する追加情報を提供するように別のポップアップテキスト吹き出し７１００を示す。
【０１５７】
図７２〜７４は、注釈を作成するための、モバイルデバイス１０２のディスプレイ画面の複数の追加の「リボン」ＧＵＩの装飾的デザインを図示する。図７２は、活動リボン６６０２及び服用タイムライン６６０４上に注釈を入力するためのＧＵＩ７２０２を示す。注釈ＧＵＩ７２０２を表示するために、ユーザは、活動リボン／服用タイムラインＧＵＩ要素６６０８をタップする。「注釈」要素７２０６が選択されると、モバイルデバイス１０２のディスプレイ画面は、ハイライトされたＧＵＩ要素７３０８によって示されているように、活動リボン６６０２に関連したテキストボックス７３０４に注釈テキストを入力するためのＧＵＩ７３０２を示す。活動リボン６６０２上の注釈は、「保存」ボタン７３０６をタップすることによって保存され得る。図７４は、ハイライトされたＧＵＩ要素７４０６によって示されているように、用量を手動で記録するために、服用タイムライン６６０４に関連した注釈７４０４を入力するためのＧＵＩ７４０２を示す。手動で記録された用量を保存するために、ユーザは、「保存」ボタン７４０８をタップする。
【０１５８】
図７５は、モバイルデバイス１０２のディスプレイ画面のチャート選択ＧＵＩ７５００の装飾的デザインを図示する。チャート選択ＧＵＩ７５００は、ＧＵＩ要素７５０４をタップ又は選択することによって表示される。チャート選択ボックス７５０２は、チャートに関連した対応するディスプレイ画面を開くための複数のＧＵＩ要素、「労作」チャートＧＵＩ要素７５０６、「移動」チャートＧＵＩ要素７５０８、「座る」チャートＧＵＩ要素７５１０、「休息」チャートＧＵＩ要素７５１２及び「薬」チャートＧＵＩ要素７５１４を含む。これらの要素の各々は、以下に説明するように、対応する「チャート」ＧＵＩを開く。
【０１５９】
図７６〜７８は、患者労作期間に関連したチャートを表示するための、モバイルデバイス１０２のディスプレイ画面の複数の追加の「チャート」ＧＵＩの装飾的デザインを図示する。図７６は、日次ベースで患者労作期間を追跡及び数量化するための棒グラフ７６０２を表示する労作チャートＧＵＩ７６００を示す。労作チャートＧＵＩ７６００は、チャートＧＵＩ要素７５０４及び「労作」チャートＧＵＩ要素７５０６（図７５）を選択又はタップすることによって表示され得る。棒グラフ７６０２は、縦軸に沿って患者の日次活動時間を数量化する。今日７６０６を含む１週間（７日間）に亘る患者の活動時間は、横軸に沿って表示される。１日当たり通常の活動時間レベル７６０８は、比較のために示される。図７７に示されているＧＵＩ７７００は、１日当たりの患者が歩いた歩数を示すために、歩数ＧＵＩ要素７７０２をタップ又は選択することによって表示される。患者の日次歩数は、横軸に沿って１週間に亘って示される。図７８は、日次ベースで患者の労作を追跡及び数量化するための棒グラフ７８０２を表示するＧＵＩ７８００を示し、活動時間という点での患者の労作が、横軸に沿って１ヵ月間に亘って縦軸に沿って数量化される。「労作」ボタン７６１０をタップ又は選択すると、図７５に示されるチャート選択ボックス７５０２が表示される。
【０１６０】
図７９〜８１は、患者休息期間に関連したチャートを表示するための、モバイルデバイス１０２のディスプレイ画面の複数の追加の「チャート」ＧＵＩの装飾的デザインを図示する。図７９は、日次ベースで患者休息期間を追跡及び数量化するための棒グラフ７９０２を表示する休息チャートＧＵＩ７９００を示す。休息チャートＧＵＩ７９００は、チャートＧＵＩ要素７５０４及び「休息」チャートＧＵＩ要素７５１２（図７５）を選択又はタップすることによって表示され得る。棒グラフ７９０２は、縦軸に沿って患者の日次休息時間を数量化する。今日７９０６を含む１週間（７日間）に亘る患者の休息時間は、横軸に沿って表示される。１日当たりの通常の活動時間レベル７９０８は比較のために示される。図８０に示されているＧＵＩ８０００は、月ＧＵＩ要素８００２をタップ又は選択することによって表示され、１日当たりの患者の休息の質を示す。日次休息の質は、横軸に沿って様々な顔要素８００４によって示される。笑顔の顔要素８００４は良好な質の休息を示す。普通顔の顔要素８００４は平均的な休息を示す。あくび顔の顔要素８００４は不良な質の休息を示す。図８１は、所与の日の休息時間数等、その日に関する追加情報を提供するために、ポップアップテキスト吹き出し８１０２を表示するＧＵＩ８１００を示す。図８１に示されているように、「５月１９日」の日に患者は「８時間４分」休息した。「休息」ボタン７９０４をタップ又は選択すると、図７５に示されているチャート選択ボックス７５０２が表示される。
【０１６１】
図８２〜８３は、患者休息期間に関連したチャートを表示するための、モバイルデバイス１０２のディスプレイ画面の複数の追加の「チャート」ＧＵＩの装飾的デザインを図示する。図８２は、日次ベースで患者服用期間を追跡及び数量化するため服用チャート８２０２を表示する薬ＧＵＩ８２００を示す。服用チャートＧＵＩ８２００は、チャートＧＵＩ要素７５０４及び「薬」チャート要素７５１２（図７５）を選択又はタップすることによって表示され得る。服用チャート８２０２は、縦軸に沿って、患者によって服用された薬の日次時間及び量を示す。図８２に示されている服用チャート８２０２は、今日８２０４を含む１週間（７日間）に亘って薬の量を追跡して横軸に沿って示される。図８３に示されているＧＵＩ８３００は、横軸に沿って、１週間の日付近辺のゾーンをタップ又は選択した後に表示される。ポップアップテキスト吹き出し８３０２は、日付等の選択された日（「２０１１年５月１８日」）、その日の薬が服用された時刻、及び検出された服用量、早めの服用等の特別なメモに関する追加の情報を提供するために表示される。「薬」ボタン８２０６をタップ又は選択すると、図７５に示されているチャート選択ボックス７５０２が表示される。
【０１６２】
図８４〜８６は、電子メールを介して患者に関連したリポートを送信するための、モバイルデバイス１０２のディスプレイ画面の複数の追加の「チャート」ＧＵＩの装飾的デザインを図示する。図８４は、送信先電子メールアドレス入力フィールド８４０２を表示する「リポート送信」ＧＵＩ８４００を示す。図８５は、送信先電子メールアドレスフィールド８４０２が入力された「リポート送信」ＧＵＩ８５００を示す。「次へ」ボタン８５０２をタップ又は選択すると、図８６に示されている「リポート送信」ＧＵＩ８６００が開く。「リポート送信」ＧＵＩ８６００は、リポート期間の日付範囲８６０２、及び電子メールを介してリポートを送信するための「送信」ボタン８６０４を表示する。
【０１６３】
図８７〜８９は、郵便で患者に関連したリポートを送るための、モバイルデバイス１０２のディスプレイ画面の複数の追加の「チャート」ＧＵＩの装飾的デザインを図示する。図８７は、郵送先氏名、番地、市町村、郵便番号及び国の入力フィールドを表示する「リポート送付」ＧＵＩ８７００を示す。図８８は、郵送先住所フィールドが入力された「リポート送付」ＧＵＩ８７００を示す。「次へ」ボタン８７０２をタップ又は選択すると、図８９に示されている「リポート送付」ＧＵＩ８９００が開く。「送信」ボタン８９０２は、郵便で郵送先へ送ることができるように、紙のリポートをプリンタへ送信する。
【０１６４】
図９０は、ローカルの住所録を使用して「リポート送付」ＧＵＩ８７００を取り込むための、モバイルデバイス１０２のディスプレイ画面の一連の住所録ＧＵＩ画面を含む、図８７に示されている「リポート送付」ＧＵＩ８７００を示す。第１の住所ＧＵＩ９００２は、「リポート送付」ＧＵＩ８７００で住所録要素９０００を選択することによって表示される。第１の住所ＧＵＩ９００２は、ローカルに又は遠隔に記憶された住所録データベースに記憶された連絡先氏名のアルファベット順のリストを提供する。リスト９００４の２番目の名前「Ａｌｅｔｈｅａ  Ｃ．  Ｐｅｔｔｅｙ」をタップ又は選択すると、次の住所録ＧＵＩ９００６が表示され、連絡先の自宅住所に関連した「自宅」住所要素９００８、及び連絡先の勤務先住所に関連した「勤務先」住所要素９０１０が表示される。対応する自宅及び勤務先の住所も表示される。例えば、「自宅」住所要素９００８をタップ又は選択すると、次の住所録ＧＵＩ９０１２が表示され、住所録ＧＵＩ９０１２には、住所フィールド９０１８に取り込まれた連絡先の自宅住所が表示される。また、住所録ＧＵＩ９０１２内には、ユーザがリポートを送るモードを選択することを可能にするために、「電子メール」ＧＵＩ要素９０１４及び「郵便」ＧＵＩ要素９０１６も表示される。「郵便」ＧＵＩ要素９０１６をタップ又は選択すると、次の住所録ＧＵＩ９０１４が表示され、ユーザが、リポートの日付範囲９０１８及び詳細度ＧＵＩ要素９０２０をタップ又は選択することによって、日次、週次、月次等、増分を選択することが可能になる。
【０１６５】
図９１〜９６は、着用可能受信器１０８通信システムを管理するための、モバイルデバイス１０２のディスプレイ画面の複数の「パッチ」ＧＵＩの装飾的デザインを図示する。図９１〜９３は、着用可能受信器通信システムが適切に機能している場合に表示される「パッチ」ＧＵＩ９１００、９２００、９３００を示す。図９４〜９６は、着用可能受信器通信システムが適切に機能せず、システム試験中にエラーが発生した場合に表示される「パッチ」ＧＵＩ９４００、９５００、９６００を示す。
【０１６６】
図９１を参照すると、「パッチ」ＧＵＩ９１００は、通信システムが適切に機能している場合に着用可能受信器（例えば、パッチ）ＧＵＩ要素９１０２を選択することによって表示され得る。ＧＵＩ９１００は、患者９１１６のアイコン、及び接続９１１８を介して患者９１１６に接続されたことを示す着用可能受信器要素９１０４を表示する。着用可能受信器要素９１０４は、接続９１１０を介してモバイルデバイス要素９１０６に接続されたことが示されており、着用可能受信器１０８が、図１に図示されているようにモバイルデバイス１０２とペアリングされていることを示す。モバイルデバイス要素９１０６は、接続９１１２を介してネットワーク９１０８に接続されたことが示されており、モバイルデバイス１０２が、例えばインターネット等の外部ネットワークに接続されていることを示す。着用可能受信器１０８がネットワークに接続されている場合、ＧＵＩ９１００によって「システムＯＫ」が表示される。着用可能受信器１０８又はモバイルデバイス１０２に関する追加情報は、対応する要素９１０４又は要素９１０６をタップ又は選択することによって取得されてもよい。図９２は、着用可能受信器要素９１０４をタップした後に表示されるＧＵＩ９２００を示す。これに応じて、ＧＵＩ９２００は、着用可能受信器１０８のシリアル番号（Ｈｅｌｉｕｓパッチ［０２２５６］）、電池充電度（電池：８７％）、皮膚接触（皮膚接触：良好）、最後の更新（更新：今日１６２２ｈ（午後４時２２分））等、着用可能受信器１０８に関する追加情報を提供するために、ポップアップテキスト吹き出し９２０２を表示する。モバイルデバイス１０２に関する追加情報は、モバイルデバイス要素９１０６をタップ又は選択することによって取得されてもよく、図９３に示されているＧＵＩ９３００を表示する。示されているように、ポップアップテキスト吹き出し９３０２は、モバイルデバイスの種類及び型番（Ｍｏｔｏｒｏｌａ  Ｄｒｏｉｄ２）、モバイルデバイスの電池充電度（電池：９９％）、通信ネットワーク（ネットワーク：３Ｇ）等、モバイルデバイス１０２に関する追加情報を提供するために表示される。着用可能受信器１０８を交換する時間になると、「パッチ交換」ボタン９１１４がタップ又は選択される。
【０１６７】
図９４を参照すると、「パッチ」ＧＵＩ９４００は、通信システムが適切に機能していない場合に着用可能受信器（例えば、パッチ）ＧＵＩ要素９１０２を選択することによって表示され得る。ＧＵＩ９４００は、患者９１１６のアイコン、及び接続９１１８を介して患者９１１６に接続されたことを示す着用可能受信器要素９１０４を表示する。しかしながら、着用可能受信器要素９１０４は、着用可能受信器１０８がモバイルデバイス１０２とペアリングされていないことを示す矢印９４０２によって示されているように、モバイルデバイス要素９１０６に接続されていない。また、モバイルデバイス要素９１０６は、モバイルデバイス１０２が例えばインターネット等の外部ネットワークに接続されていないことを示す矢印９４０４によって示されているように、ネットワーク要素９１０８に接続されていない。着用可能受信器１０８がモバイルデバイス１０２及び／又はネットワークに接続されていない場合、ＧＵＩ９４００によって「パッチ接続エラー」が表示される。着用可能受信器１０８又はモバイルデバイス１０２に関する追加情報は、着用可能受信器要素９１０４をタップ又は選択することによって取得されてもよい。図９５は、接続エラーがある場合に着用可能受信器要素９１０４をタップした後に表示されるＧＵＩ９５００を示す。これに応じて、ＧＵＩ９５００は、着用可能受信器１０８の接続エラーに関する追加情報を提供するために、ポップアップテキスト吹き出し９５０４を表示する。一態様において、ポップアップテキスト吹き出し９５０４は、「パッチ接続エラー−電話とペアリングされているパッチがありません。点滅するまでパッチのボタンを押してください」等の追加情報を提供する。すなわち、ポップアップテキストボックス９５０４は、着用可能受信器１０８をモバイルデバイス１０２とペアリングするための指示を提供する。ネットワーク接続を確認するために、共有ＧＵＩ要素９６０２が選択されてもよい。すると、ＧＵＩ９６００は、「デバイスは最新情報をダウンロードするためにネットワークに接続されていません。デバイスのネットワーク接続を確認してください」等の指示テキストを提示する。
【０１６８】
図９７〜９９は、着用可能受信器１０８を交換するための、モバイルデバイス１０２のディスプレイ画面の複数の追加の「パッチ」ＧＵＩの装飾的デザインを図示する。図９１〜９５に示されているように、着用可能受信器１０８を交換するために、「パッチ交換」ボタン９１１４がタップ又は選択される。「パッチ交換」ボタン９１１４を選択すると、「パッチ」ＧＵＩ９７００が表示される。パッチ交換ＧＵＩ９７００は、古い着用可能受信器１０８に関して「点滅するまで、古いパッチのボタンを押し続けてください・・・」という指示テキスト９７０２を提供する。着用可能受信器ＧＵＩ要素９７０４は、着用可能受信器ＧＵＩ要素９７０４が古いパッチ受信器に関連していることを示すために、点滅ＧＵＩ要素９７０６及びテキストを含む。着用可能受信器１０８の光が点滅すると、ＧＵＩ９７００は、「その後「次へ」をタップする」ように指示する。従って、「次へ」ボタン９７０８をタップ又は選択すると、モバイルデバイス１０２が情報を遠隔処理システム１２２へアップロードしていることを示すために、図９８に示されているパッチ交換ＧＵＩ９８００が示される。図９９は、新しい着用可能受信器１０８に関して「点滅するまで、新しいパッチのボタンを押し続けてください・・・」という指示テキスト９９０２を提供するパッチ交換ＧＵＩ９９００を示す。パッチ交換ＧＵＩ９９００はまた、着用可能受信器ＧＵＩ要素９９０４が新しいパッチ受信器に関連していることを示すために、点滅ＧＵＩ要素９９０６及びテキストを含む着用可能受信器ＧＵＩ要素９９０４も表示する。
【０１６９】
図１００〜１０４は、権限を管理するため、及び介護人を追加／削除するための、モバイルデバイス１０２のディスプレイ画面の複数の「共有」ＧＵＩの装飾的デザインを図示する。図１００は、介護人の現在のデータ共有ステータスを表示するための、モバイルデバイス１０２のディスプレイ画面の「共有管理」ＧＵＩ１００００の一態様を図示する。「共有管理」ＧＵＩ１００００は、共有ＧＵＩ要素９６０２がタップ又は選択されると表示される。ＧＵＩ１００００は、介護人であるＡｎｎａ、Ｄｒ．Ｒｉｎｄｅｒｋｎｅｃｈｔ、Ｊａｎｅ、Ｋａｒｌ、Ｍｅｇａｎと、活動タイムライン要素１０００２、活動傾向チャート要素１０００４及び服用タイムライン要素１０００６とによって示されるこれらの人の現在のデータ共有権限ステータスのリストを表示する。権限は、これらの要素１０００２、１０００４、１０００６のいずれかがハイライトされることによって示される。例えば、ＧＵＩ１００００によって示されているように、Ａｎｎａは、ハイライトされた要素１０００２によって示されているように、活動タイムラインデータを共有するための権限を有する。Ｄｒ．Ｒｉｎｄｅｒｋｎｅｃｈｔは、ハイライトされた要素１０００２、１０００４、１０００６によって示されているように、活動タイムラインデータ、活動傾向チャートデータ、薬タイムラインデータを共有するための権限を有する。Ｊａｎｅは、ハイライトされた要素１０００６によって示されているように、服用タイムラインデータを共有するための権限だけを有する。Ｋａｒｌは、ハイライトされた要素１０００２、１０００４によって示されているように、活動タイムラインデータ及び活動傾向チャートデータを共有するための権限を有する。Ｍｅｇａｎの権限は、画面の下方に表れるため、視認できない。Ｍｅｇａｎの権限を表示するために、モバイルデバイス１０２のタッチ式ディスプレイ画面は、最新のスマートフォン及びタッチパッドコンピュータ技術で一般に採用されるジェスチャー技法を使用して、タップされて上向きにドラッグされ得る。編集（鉛筆）ＧＵＩ要素１０００８をタップ又は選択すると、「追加／削除」ＧＵＩ１０１００が表示される。「追加／削除」ＧＵＩ１０１００は、プラス（「＋」）要素１０１０２をタップ又は選択することによって新しい介護人を追加するために使用され、又は現在の介護人に関連したマイナス（「−」）要素１０１０４をタップ又は選択することによって介護人を削除するために使用されることができる。例えば、Ｋａｒｌを削除するには、Ｋａｒｌの名前の右側のマイナス（「−」）要素１０１０４をタップ又は選択され得る。すると、図１０２に示されている「削除」ＧＵＩ１０２００が、確認問い合わせ「Ｋａｒｌを削除しますか？」１０１０２と共に表示される。これに応じて、「いいえ」ボタン１０２０４又は「はい」ボタン１０２０６を選択することができる。新しい介護人を招待するか、又は新しい介護人を追加するには、ＧＵＩ１０１００のプラス（「＋」）要素を選択すると、図１０３に示されているような「Ｈｅｌｉｕｓへ招待」ＧＵＩ１０３００が表示される。ＧＵＩ１０３００は、データを共有するために招待されている介護人に関連した対応する情報を入力するための「ニックネーム」フィールド１０３０２、「電子メール」フィールド１０３０４、及び「関係」フィールド１０３０６を提供する。加えて、対応する要素１０００２、１０００４、１０００６をタップ又は選択することによって、ハイライトされた要素１００２、１０００４、１０００６によって示されているように、活動タイムラインデータ、活動傾向チャートデータ及び服用タイムラインデータ等の共有されるデータの種類が表示される。被招待者と共有されるセキュリティコード１０３１０（例えば、「１Ａ２Ｂ３Ｃ」）も、「保護のために、受信者は上記のコードを入力する必要があります」というテキストと共に表示される。「取消」ボタン１０３１２をタップ又は選択すると、処理が取り消され得るか、又は、「招待」ボタン１０３１４をタップ又は選択すると、招待案内が送信され得る。招待案内が送信されると、介護人被招待者は、図１０４に示されているような「介護人ビュー」ＧＵＩ１０４００を見る。新しい介護人は、ハイライトされた要素１０００２によって示されているように、活動タイムラインデータを共有するために招待された。
【０１７０】
図１０５〜１０７は、活動情報及び休息情報を患者に通知するための、モバイルデバイス１０２のディスプレイ画面の複数の「通知」ＧＵＩの装飾的デザインを図示する。図１０５は、共有することが可能になった通知を表示するための、モバイルデバイス１０２のディスプレイ画面の「通知」ＧＵＩ１０５００の一態様を示す。ＧＵＩ１０５００は、通知ＧＵＩ要素１０５０２をタップ又は選択することによって表示される。示されているように、活動、休息、薬及びデータは、通知がオンに設定されている。「活動」要素１０５０４を選択すると、図１０６に示されている「活動」ＧＵＩ１０６００が表示され、「活動」ＧＵＩ１０６００には、「オン」又は「オフ」に設定できる「不活動」ボタン１０６０２及び「日次活動遅延」ボタン１０６０４が提供される。示されているように、両方のボタン１０６０２、１０６０４は「オン」に設定でき、例えば、午後６時と午後１０時との間の４時間に活動が検出されなかった場合に通知を提供する。これらの値は、ユーザが選択可能である。一態様において、不活動の値は、４時間の増分で４〜２４時間、次いで、３６時間、４８時間等から選択され得る。不活動期間は、１時間の増分で午前０時〜午後１１時の任意の時間から、１時間の増分で午前０時〜午後１１時の任意の時間まで選択され得る。日次活動遅延に関する通知は、１時間の増分で午前５時〜午後６時の任意の時間に送信され得る。「活動」要素１０５０４を選択すると、図１０６に示されている「活動」ＧＵＩ１０６００が表示され、「オン」又は「オフ」に設定できる「不活動」ボタン１０６０２及び「日次活動遅延」ボタン１０６０４を提供する。図１０５の「休息」要素１０５０６を選択すると、図１０７に示されている「休息」ＧＵＩ１０７００が表示され、「オン」又は「オフ」に設定できる「休息」ボタン１０７０２を提供する。ＧＵＩ１０７００は、日次の休息が、例えば示されているように４時間等、１時間の増分で１時間〜１時間の所定の時間未満である場合に通知が提供される第１の部分１０７０４と、日次の休息が、例えば示されているように１０時間等、１時間の増分で８時間〜２０時間の所定の時間未満である場合に通知が提供される第２の部分１０７０６とを提供する。
【０１７１】
図１０８〜１１１は、服用時刻及びリマインダを患者に通知するための、モバイルデバイス１０２のディスプレイ画面の複数の追加の「通知」ＧＵＩの装飾的デザインを図示する。図１０８は、モバイルデバイス１０２のディスプレイ画面の「通知」ＧＵＩ１０８００の一態様を図示する。要素１０８０２を選択すると、図１０９に示されている「薬通知」ＧＵＩ１０９００が表示される。ＧＵＩ１０９００は、２つのオプションを提供し、２つのオプションは、日次用量の薬を服用する時刻について患者に通知する第１のオプション１０９０２、及び日次用量の薬を服用する時刻について患者にリマインダするための第２のオプション１０９０４である。ＧＵＩ１０９００に示されているように、患者は現在、毎日４つの薬を服用しており、リマインダオプションが「オン」に設定されている。第１のオプション１０９０２をタップ又は選択することによって、「服用」ＧＵＩ１１０００が表示され、患者が自分の薬を服用することが予定されている時刻を示す。図１０９のＧＵＩ１０９００で４の用量が選択されているため、ＧＵＩ１１０００は、患者が自分の薬を服用することが予定されている１日４回の時刻を表示する。示されているように、第１の予定服用時刻１１００２は、午前８時であり、第２の予定服用時刻１１００４は１２００ｈ（午前１２時）であり、第３の予定服用時刻１１００６は１６００ｈ（午後４時）であり、第４の予定服用時刻１１００８は２０００ｈ（午後８時）である。新しい服用時刻は、プラス（「＋」）ＧＵＩ要素１１０１０又はマイナス（「−」）ＧＵＩ要素１１０１２を夫々タップ又は選択することによって、追加又は削除されてもよい。ＧＵＩ１０９００の第２のオプション１０９０４をタップ又は選択すると、「リマインダ」ＧＵＩ１１１００が表示され、患者が服用に関してリマインダされることが予定されている時刻を示す。「リマインダ」オプションはＧＵＩ１０９００で「オン」に設定されているので、「リマインダ」ＧＵＩ１１１００は、「オン」ボタン１１１０８を示す。ＧＵＩ１１１００は「服用前」リマインダ１１１０２も示す。一態様において、「服用前」リマインダ１１１０２は、例えば、リマインダしない、２時間、１時間、４５分、３０分、１５分、１０分、５分、又はゼロ分等、ドロップダウンメニューから選択され得る。他の態様において、選択するための他の適切な時間が提供されてもよい。「服用後」リマインダ１１１０４は、例えば、リマインダしない、０分、５分、１０分、１５分、３０分、４５分、１時間、２時間等、ドロップダウンメニューから選択され得る。他の態様において、選択するための他の適切な時間が提供されてもよい。「錠剤がこの時間内に検出された場合薬通知を取消」１１１０６は、例えば、通知しない、０分、１５分、３０分、４５分、１時間、２時間等、プルダウンメニューから所定時間を選択できる。他の態様において、選択するための他の適切な時間が提供されてもよい。
【０１７２】
図１１２〜１１５は、日次の服用時刻を追加するための、モバイルデバイス１０２のディスプレイ画面の複数の追加の「通知」ＧＵＩの装飾的デザインを図示する。図１１２は、モバイルデバイス１０２のディスプレイ画面の「通知」ＧＵＩ１１２００の一態様を図示する。要素１１２０２を選択すると、図１１３に示されているＧＵＩ１１３００が表示される。プラス（「＋」）ＧＵＩ要素１１０１０を選択すると、図１１４に示されている「服用追加」ＧＵＩ１１４００が表示される。服用時刻の設定は、時刻の時間部分を増加又は減少するために夫々、プラス（「＋」）又はマイナス（「−」）ＧＵＩ要素１１４０２、１１４０４をタップ又は選択することによって、及び時刻の分部分を増加又は減少するために夫々、プラス（「＋」）又はマイナス（「−」）ＧＵＩ要素１１４０６、１１４０８をタップ又は選択することによってなされ得る。時計時刻が設定されると、時計時刻は、「取消」ボタン１１４１０をタップ又は選択することによって取り消されるか、或いは「保存」ボタン１１４１２をタップ又は選択することによって保存されることができる。図１１５は、服用時刻を編集するための「服用編集」ＧＵＩ１１５００を示す。示されているように、服用時刻の編集は、時刻の時間部分を増加又は減少するために夫々、プラス（「＋」）又はマイナス（「−」）ＧＵＩ要素１１５０２、１１５０４をタップ又は選択することによって、及び時刻の分部分を増加又は減少するために夫々、プラス（「＋」）又はマイナス（「−」）ＧＵＩ要素１１５０６、１１５０８をタップ又は選択することによってなされ得る。変更された時計時刻が設定されると、時計時刻は、「取消」ボタン１１５１０をタップ又は選択することによって取り消され得るか、或いは「保存」ボタン１１５１０をタップ又は選択することによって保存され得る。
【０１７３】
図１１６〜１１９は、服用のための日次服用リマインダを追加するための、モバイルデバイス１０２のディスプレイ画面の複数の追加の「通知」ＧＵＩの装飾的デザインを図示する。図１１６は、モバイルデバイス１０２のディスプレイ画面の「通知」ＧＵＩ１１６００の一態様を図示する。要素１１６０２を選択すると、図１１７に示されている「リマインダ」ＧＵＩ１１７００が表示される。図１１７に示されているように、ＧＵＩ１１７００は、「リマインダ」ボタン要素１１７０２を提供し、「リマインダ」ボタン要素１１７０２は、リマインダが有効、つまり「オン」に設定されていることを示す。示されているように、「服用前」リマインダ１１７０４は２０分に設定され、「服用後」リマインダ１１７０６は１０分に設定され、「錠剤がこの時間内に検出された場合薬通知を取消」リマインダ１１７０８は服用の４５分に設定されている。前述のように、「服用前」１１７０４リマインダは、例えば、リマインダしない、２時間、１時間、４５分、３０分、１５分、１０分、５分、又はゼロ分等、ドロップダウンメニューから選択され得る。「服用後」リマインダ１１７０６は、例えば、リマインダしない、０分、５分、１０分、１５分、３０分、４５分、１時間、２時間等、ドロップダウンメニューから選択され得る。「取消」リマインダ１１７０８は、例えば、取り消さない、０分、１５分、３０分、４５分、１時間、２時間等、ドロップダウンメニューから選択され得る。図１１８に示されている「服用後」ＧＵＩ１１８００は、メニューリストから「服用後」リマインダ時間を選択するためのものである。示されているように、「１０分」１１８０２が選択された。図１９に示されている「取消」リマインダＧＵＩ１１９００は、錠剤が所定の時間内に検出された場合薬通知をいつ取り消すかを選択するためのものである。示されているように、リマインダは、錠剤が「服用の４５分」１１９０２以内に検出された場合取り消される。
【０１７４】
図１２０〜１２３は、データ警告を提供するための、モバイルデバイス１０２のディスプレイ画面の複数の追加の「通知」ＧＵＩの装飾的デザインを図示する。図１２０は、モバイルデバイス１０２のディスプレイ画面の「通知」ＧＵＩ１２０００の一態様を図示する。要素１２００２を選択すると、図１２１に示されている「データ」ＧＵＩ１２１００が表示される。ＧＵＩ１２１００は、「パッチ交換」ＧＵＩ要素１２１０２及び「欠落情報」ＧＵＩ要素１２１０４を表示する。「パッチ交換」ＧＵＩ要素１２１０２を選択すると、図１２２に示されている「パッチ交換」ＧＵＩ１２２００が表示される。「パッチ交換」ボタン１２２０２は、「オン」に設定され、パッチ通知機能が有効であることを示す。パッチ交換の「リマインダ」１２２０４は、水曜日の午後３時に送られる予定である。図１２１の「欠落情報」ＧＵＩ要素１２１０４を選択すると、図１２３のＡに示されている「欠落情報」ＧＵＩ１２３００が表示される。「欠落情報」ボタン１２３０２は、「オン」に設定され、欠落情報機能が有効であることを示す。図１２３のＡに示されているように、欠落情報の通知１２３０４は、例えば４時間等、所定の時間以内に新しい情報が受信されない場合に送信される。通知は、任意の所定の時間に設定され得る。一態様において、通知は、例えば１２時間、２４時間、３６時間、４８時間、７２時間以内に新しい情報が受信されない場合に送信され得る。図１２３のＢは、欠落情報通知機能が無効であることを示すために、「欠落情報」ボタン１２３０２が「オフに設定」されていることを示す。
【０１７５】
図１２４〜１２７は、通知詳細設定を設定するための、モバイルデバイス１０２のディスプレイ画面の複数の追加の「通知」ＧＵＩの装飾的デザインを図示する。図１２４は、モバイルデバイス１０２のディスプレイ画面の「通知」ＧＵＩ１２４００の一態様を図示する。要素１２４０２を選択すると、図１２５に示されている「詳細設定」ＧＵＩ１２５００が表示される。ＧＵＩ１２５００は、「追加通知」ＧＵＩ要素１２５０２及び「日時」ＧＵＩ要素１２５０４を表示する。「追加通知」ＧＵＩ要素１２５０２を選択すると、「追加通知」ＧＵＩ１２６００が表示され、「オン」又は「オフ」に設定できる、「テキストメッセージ」１２６０２又は「電子メール」１２６０４等、追加通知がどのように送信されるかを示す。図１２５の「日時」ＧＵＩ要素１２５０４を選択すると、図１２７のＡの「日時」ＧＵＩ１２７００が表示される。「日時」ＧＵＩ１２７００は、「日付形式」１２７０２、「時間形式」１２７０４、及び「時間帯」１２７０６の選択を可能にする。「日付形式」１２７０２は、例えば特に「ＭＭ／ＤＤ／ＹＹＹ」又は「ＤＤ／ＭＭ／ＹＹＹＹ」等の形式から選択され得る。「時間形式」１２７０４は、例えば特に「１２ｈ」又は「２４ｈ」等の形式から選択され得る。「時間帯」１２７０６は、図１２７のＡに示されているように、例えば自宅に固定され得る。図１２７のＢの「時間帯」ＧＵＩ１２７０８は、例えばロンドン等、「自宅時間帯」１２７１０の場所を示す。「時間帯」ＧＵＩ１２７０８はまた、自宅時間帯に基づいてデータが表示され、通知が送信されることを示す。
【０１７６】
図１２８〜１３１は、アカウント及びシステムに関する情報を表示するための、モバイルデバイス１０２のディスプレイ画面の複数の追加の「通知」ＧＵＩの装飾的デザインを図示する。図１２８は、モバイルデバイス１０２のディスプレイ画面の「通知」ＧＵＩ１２８００の一態様を図示する。要素１２８０２を選択すると、図１２９に示されているように、「Ｈｅｌｉｕｓ」ＧＵＩ１２９００にシステム（例えば、Ｈｅｌｉｕｓ）に関する情報が表示される。ＧＵＩ１２９００は、「アカウント情報」ＧＵＩ要素１２９０２及び「Ｈｅｌｉｕｓ情報」ＧＵＩ要素１２９０４を表示する。「アカウント情報」ＧＵＩ要素１２９０２を選択すると、「アカウント情報」ＧＵＩ１３０００が表示され、「ログイン」１３００２、「パスワード」１３００４、「ニックネーム」１３００６、「ＳＭＳ」１３００８、「住所」１３０１０を提供する。図１２９の「Ｈｅｌｉｕｓ情報」ＧＵＩ要素１２９０４を選択すると、図１３１に示されている「Ｈｅｌｉｕｓ情報」ＧＵＩ１３１００が表示される。「Ｈｅｌｉｕｓ情報」ＧＵＩ１３１００は、ソフトウェアバージョン１３１０２、及び基本的な駆動・サポートシステム１３１０４を提供する。
【０１７７】
図１３２〜１３５は、アカウントを編集するための、モバイルデバイス１０２のディスプレイ画面の複数の追加の「通知」ＧＵＩの装飾的デザインを図示する。図１３２は、モバイルデバイス１０２のディスプレイ画面の「アカウント情報」ＧＵＩ１３０００の一態様を図示する。「ログイン」要素１３００２を選択すると、ログイン電子メールアカウントの編集を可能にするために、図１３３に示されている「ログイン」ＧＵＩ１３３００が表示される。「パスワード」要素１３００４を選択すると、パスワードの編集を可能にするために、図１３４に示されている「パスワード」ＧＵＩ１３４００が表示される。「住所」要素１３０１０を選択すると、住所の編集を可能にするために、図１３５に示されている「住所」ＧＵＩ１３５００が表示される。
【０１７８】
請求項に関わらず、本発明は以下の付記によっても定義される。
【０１７９】
付記１．  予め登録してあるコンピュータによって実行されるヘルスケア情報環境でレジメンへのアドヒアランスを管理するためのシステムであって、
該システムは、対象とする対象生体によって薬が摂取されたという情報を受信器から受信するように構成されたモバイルデバイスを備えており、
該モバイルデバイスは、プロセッサと、該プロセッサに連結されたメモリと、前記プロセッサに連結されたディスプレイとを備えており、
前記モバイルデバイスは、前記情報を、無線ネットワークを介してバックエンドコンピュータ処理システムに無線通信し、受信した前記情報に基づいて個人情報ストリームを前記ディスプレイに表示するように更に構成されていることを特徴とするシステム。
【０１８０】
付記２．  予め登録してあるコンピュータによって実行されるヘルスケア情報環境でレジメンへのアドヒアランスを管理するためのシステムであって、好ましくは付記１に係るシステムであって、
対象生体の活動レベルに関連した情報を受信器から受信するように構成されたモバイルデバイスを備えており、
該モバイルデバイスは、プロセッサと、該プロセッサに連結されたメモリと、前記プロセッサに連結されたディスプレイとを備えており、
前記モバイルデバイスは、受信した前記情報に基づいて所定の期間に亘る対象生体の活動レベルを特徴付ける個人情報ストリームを表示するように更に構成されていることを特徴とするシステム。
【０１８１】
付記３．  前記モバイルデバイスは、前記受信器からの情報を個人情報ストリームに処理し、該個人情報ストリームを前記ディスプレイに表示するように構成されていることを特徴とする付記１又は２に記載のシステム。
【０１８２】
付記４．  前記モバイルデバイスは、前記バックエンドコンピュータ処理システムから個人情報ストリームを受信し、該個人情報ストリームを前記ディスプレイに表示するように構成されており、
前記バックエンドコンピュータ処理システムは、前記モバイルデバイスから受信した情報を個人情報ストリームに処理し、該個人情報ストリームを前記モバイルデバイスに送信するように構成されていることを特徴とする付記１〜３のいずれかに記載のシステム。
【０１８３】
付記５．  予め登録してあるコンピュータによって実行されるヘルスケア情報環境でレジメンへのアドヒアランスを管理するためのシステムであって、好ましくは付記１〜４のいずれかに係るシステムであって、
前記ヘルスケア情報環境は、
摂取可能デバイス、例えば摂取可能事象マーカ（１０４）によって生成される信号であって、前記摂取可能デバイスが対象生体によって摂取されると前記摂取可能デバイスによって開始される前記信号を検出し、前記摂取可能デバイスが対象生体によって摂取されたという情報を含む情報信号を送信するように構成された受信器（１０８）と、
受信した情報に基づいてある期間に亘る対象生体の挙動を特徴付ける個人情報ストリームを送信するように構成されたバックエンドコンピュータ処理システムと
を備えており、
前記システムは、
プロセッサと、該プロセッサに連結されたメモリと、前記プロセッサに連結されたディスプレイとを備えたモバイルデバイス（１０２）、例えば移動電話
を備えており、
前記モバイルデバイスは、前記受信器から情報信号を受信し、該情報を無線ネットワークを介して前記バックエンドコンピュータ処理システムに無線通信し、前記バックエンドコンピュータ処理システムから個人情報ストリームを受信するように構成されていることを特徴とするシステム。
【０１８４】
付記６．  前記モバイルデバイスは、前記受信器からの情報信号及び前記バックエンドコンピュータ処理システムからの個人情報ストリームを、組み合わされた個人情報ストリームに処理し、該組み合わされた個人情報ストリームを前記ディスプレイに表示するように構成されていることを特徴とする付記５に記載のシステム。
【０１８５】
付記７．  前記モバイルデバイスは、前記ディスプレイにグラフィカルユーザインタフェース画面を表示し、該グラフィカルユーザインタフェース画面内に複数の選択可能なグラフィカルユーザインタフェース要素を表示するように構成されており、
前記複数のグラフィカルユーザインタフェース要素のうちの１つを選択することにより、前記グラフィカルユーザインタフェース画面に対象生体に関連した個人情報ストリームからの情報を表示させることを特徴とする付記１〜６のいずれかに記載のシステム。
【０１８６】
付記８．  複数の選択可能なグラフィカルユーザインタフェース要素は、受信した個人情報ストリームに基づいて活動タイムラインの表示に対応する少なくとも１つのグラフィカルユーザインタフェース要素を有し、
前記モバイルデバイスは、前記少なくとも１つのグラフィカルユーザインタフェース要素を選択する入力を受けて、該入力に応じて、前記少なくとも１つのグラフィカルユーザインタフェース要素を選択し、受信した個人情報ストリームに基づいて活動タイムラインを生成し、前記グラフィカルユーザインタフェース画面内に活動タイムラインを表示するように構成されており、
前記活動タイムラインは、所定の期間に亘る対象生体の活動レベルを示す活動リボンを有することが好ましく、
及び／又は、
所定の期間に亘って対象生体の活動レベルを追跡することと、
前記活動リボンを表示することと
を連続して含み、
及び／又は、
前記活動リボンにコメント吹き出しを表示することを含み、
及び／又は、
第２の活動レベルが予測される場合、第１の活動レベルを示すために前記活動リボン内にサブ活動要素を表示することを含むことを特徴とする付記１〜７のいずれかに記載のシステム。
【０１８７】
付記９．  複数の選択可能なグラフィカルユーザインタフェース要素は、個人情報ストリームに基づいて服用タイムラインの表示に対応する少なくとも１つのグラフィカルユーザインタフェース要素を有し、
前記モバイルデバイスは、前記少なくとも１つのグラフィカルユーザインタフェース要素を選択する入力を受けて、該入力に応じて、前記少なくとも１つのグラフィカルユーザインタフェース要素を選択し、グラフィカルユーザインタフェース画面内に、所定の期間に亘って対象生体によって薬が摂取されたときを示す服用タイムラインを表示するように構成されており、
及び／又は、
所定の期間に亘って前記服用タイムラインを追跡することと、
服用事象を表示することと
を連続して含み、
及び／又は、
前記服用タイムラインにコメント吹き出しを表示することを含むことを特徴とする付記１〜８のいずれかに記載のシステム。
【０１８８】
付記１０．  複数の選択可能なグラフィカルユーザインタフェース要素は、個人情報ストリームに基づいて対象生体の身体活動傾向の表示に対応する少なくとも１つのグラフィカルユーザインタフェース要素を有し、
前記モバイルデバイスは、前記少なくとも１つのグラフィカルユーザインタフェース要素を選択する入力を受けて、該入力に応じて、前記少なくとも１つのグラフィカルユーザインタフェース要素を選択し、グラフィカルユーザインタフェース画面内に、第１の所定の期間に亘る身体活動レベルを有して第２の所定の期間に及ぶ身体活動傾向タイムラインを表示するように構成されており、
及び／又は、
前記第１の所定の期間は１日２４時間であり、前記第２の所定の期間は１週間であり、
前記モバイルデバイスは、好ましくは、
２４時間に亘る前記身体活動レベルを示すために棒グラフ要素を表示し、
１週間に亘る更なる２４時間毎の対応する活動レベルを示す更なる棒グラフ要素を、１週間に亘って更なる２４時間毎に表示する
ように構成されており、
及び／又は、
前記第１の所定の期間は１日２４時間であり、前記第２の所定の期間は１週間であり、
前記方法は、
２４時間に亘って対象生体が歩いた歩数を示すためにアイコン要素を表示することと、
１週間に亘って更なる２４時間毎に対象生体が歩いた対応する歩数を示すアイコン要素を、１週間に亘って更なる２４時間毎に表示することと
を更に含むことを特徴とする付記１〜９のいずれかに記載のシステム。
【０１８９】
付記１１．  複数の選択可能なグラフィカルユーザインタフェース要素は、個人情報ストリームに基づいて対象生体の服用傾向の表示に対応する少なくとも１つのグラフィカルユーザインタフェース要素を有し、
前記モバイルデバイスは、好ましくは、
前記少なくとも１つのグラフィカルユーザインタフェース要素を選択する入力を受け、
該入力に応じて、前記少なくとも１つのグラフィカルユーザインタフェース要素を選択し、対象生体によって摂取された薬の数と第１の所定の期間に亘る薬の摂取に関連するタイムスタンプとを有して第２の所定の期間に及ぶ服用傾向タイムラインを決定し、該服用傾向タイムラインをグラフィカルユーザインタフェース画面内に表示する
ように構成されており、
及び／又は、
前記第１の所定の期間は１日２４時間であり、前記第２の所定の期間は１週間であり、
前記方法は、
２４時間に亘って対象生体によって薬が摂取されたときを示すために要素を表示することと、
１週間に亘って更なる２４時間毎に対象生体によって薬が摂取された対応するときを示す更なる要素を、１週間に亘って更なる２４時間毎に表示することと、
及び／又は、
前記要素に同時に摂取された薬の数を表示することと、
及び／又は、
前記要素にメモを表示することと
を更に含むことを特徴とする付記１〜１０のいずれかに記載のシステム。
【０１９０】
付記１２．  複数の選択可能なグラフィカルユーザインタフェース要素は、前記受信器の構成、初期設定、管理及び交換の表示に対応する少なくとも１つのグラフィカルユーザインタフェース要素を有し、
前記モバイルデバイスは、好ましくは、
前記モバイルデバイスによって、少なくとも１つのグラフィカルユーザインタフェース要素を選択する入力を受けて、
該入力に応じて、少なくとも１つのグラフィカルユーザインタフェース要素を選択し、グラフィカルユーザインタフェース画面内にボタン要素を表示し、
及び／又は、
前記受信器、モバイルデバイス及びバックエンドコンピュータ処理システムの動作の試験に関連するボタン要素に関連した第２の入力を、前記モバイルデバイスによって受けて、
該第２の入力に応じて、前記受信器、モバイルデバイス及びバックエンドコンピュータ処理システムの動作を試験し、
及び／又は、
前記受信器の交換に関連するボタン要素と関連した第２の入力を、前記モバイルデバイスによって受けて、
前記第２の入力に応じて、前記受信器を交換するように構成されていることを特徴とする付記１〜１１のいずれかに記載のシステム。
【０１９１】
付記１３．  複数の選択可能なグラフィカルユーザインタフェース要素は、招待、及び被招待者と共有されるデータの制御等のデータ共有機能の管理及び制御に対応する少なくとも１つのグラフィカルユーザインタフェース要素を有し、
前記モバイルデバイスは、好ましくは、
前記少なくとも１つのグラフィカルユーザインタフェース要素を選択する入力を受けて、
前記少なくとも１つのグラフィカルユーザインタフェース要素を選択する入力に応じて、少なくとも１人の被招待者に関連した要素と、前記少なくとも１人の被招待者に関連して活動タイムライン要素、活動傾向チャート要素及び服用タイムライン要素のうちのいずれかに対応する少なくとも１つの選択要素とを有する管理共有画面をグラフィカルユーザインタフェース画面内に表示して、
前記モバイルデバイスによって、前記被招待者に関連する要素のうちの１つの選択に関連した第２の入力を受けて、
前記被招待者に関連した要素のうちの１つを選択する第２の入力に応じて、選択された要素に関連したデータを共有するために前記被招待者に招待案内を送信し、
及び／又は、
前記モバイルデバイスによって、前記被招待者から、対象生体に関連した個人コードを有する通信を受信し、
前記個人コードが受信され、前記バックエンドコンピュータ処理システムによって確認された場合にのみ、選択された要素に関連したデータの共有を可能にする
ように構成されていることを特徴とする付記１〜１２のいずれかに記載のシステム。
【０１９２】
付記１４．  受信器を備えており、
該受信器は、好ましくは、対象生体の活動レベルを表わす生理的データを判定するための生理的検出モジュールを備えていることを特徴とする付記１〜１３のいずれかに記載のシステム。
【０１９３】
付記１５．  前記生理的検出モジュールは、生理的データを生成するための１以上のセンサを備えており、該センサは、好ましくは対象生体の皮膚に接触するように構成されていることを特徴とする付記１４に記載のシステム。
【０１９４】
付記１６．  前記生理的検出モジュールは、温度センサ（５４１４）及び／又は加速度計（５４０８）を備えていることを特徴とする付記１４又は１５に記載のシステム。
【０１９５】
付記１７．  前記受信器は、前記モバイルデバイスに提供される情報に生理的データを含むように構成されていることを特徴とする付記１４〜１６のいずれかに記載のシステム。
【０１９６】
付記１８．  前記受信器（１０８）は、生体者の皮膚に接触して、摂取可能デバイスによって生成された電流信号を受信するように構成された電極を備えていることを特徴とする付記１４〜１７のいずれかに記載のシステム。
【０１９７】
付記１９．  前記受信器によって受信された電気信号は、摂取可能デバイス、該摂取可能デバイスに関連した薬の種類、薬の製造元及び／又は前記摂取可能デバイスの製造元を表わすデータを含む電流信号であることを特徴とする付記１４〜１８のいずれかに記載のシステム。
【０１９８】
付記２０．  １以上の摂取可能デバイス、例えば１以上の摂取可能事象マーカを更に備えていることを特徴とする付記１〜１９のいずれかに記載のシステム。
【０１９９】
付記２１．  バックエンドコンピュータ処理システムを備えていることを特徴とする付記１〜２０のいずれかに記載のシステム。
【０２００】
付記２２．  摂取可能デバイス、例えば摂取可能事象マーカ（１０４）によって生成された電気信号であって、前記摂取可能デバイスが対象生体によって摂取されると前記摂取可能デバイスによって開始される前記電気信号を検出するため、並びに、前記摂取可能デバイスが対象生体によって摂取されたという情報、及び／又は対象生体の活動レベルに関する情報を含む情報信号を付記１〜２１のいずれかに記載のモバイルデバイスに送信するための受信器。
【０２０１】
付記２４．  予め登録してあるコンピュータによって実行されるヘルスケア情報環境でレジメンへのアドヒアランスを管理する方法であって、
摂取可能デバイス、例えば摂取可能事象マーカ（１０４）が対象生体によって摂取されたという情報を、プロセッサと、該プロセッサに連結されたメモリと、前記プロセッサに連結されたディスプレイとを備えたモバイルデバイスで受信器から受信することと、
無線ネットワークを介して前記情報をバックエンドコンピュータ処理システムに無線通信することと、
受信した情報に基づいて個人情報ストリームを前記ディスプレイに表示することと
を含むことを特徴とする方法。
【０２０２】
付記２５．  予め登録してあるコンピュータによって実行されるヘルスケア情報環境でレジメンへのアドヒアランスを管理する方法であって、好ましくは付記２４に記載の方法であって、
プロセッサと、該プロセッサに連結されたメモリと、前記プロセッサに連結されたディスプレイとを備えたモバイルデバイスで、対象生体の活動レベルに関連した情報を受信器から受信することと、
受信した情報に基づいて所定の期間に亘る対象生体の活動レベルを特徴付ける個人情報ストリームを表示することと
を含むことを特徴とする方法。
【０２０３】
付記２６．  前記ディスプレイにグラフィカルユーザインタフェース画面を表示することを更に含み、好ましくはグラフィカルユーザインタフェース画面内に複数の選択可能なグラフィカルユーザインタフェース要素を表示することを含み、
前記複数のグラフィカルユーザインタフェース要素のうちの１つを選択することにより、前記グラフィカルユーザインタフェース画面に対象生体に関連した個人情報ストリームからの情報を表示させることを特徴とする付記２５又は２６に記載の方法。
【０２０４】
付記２７．  前記複数の選択可能なグラフィカルユーザインタフェース要素は、個人情報ストリームに基づいて活動タイムラインの表示に対応する少なくとも１つのグラフィカルユーザインタフェース要素を有し、
前記方法は、
前記モバイルデバイスによって、前記少なくとも１つのグラフィカルユーザインタフェース要素を選択する入力を受けることと、
前記少なくとも１つのグラフィカルユーザインタフェース要素を選択する入力に応じて、前記グラフィカルユーザインタフェース画面内に、所定の期間に亘る対象生体の活動レベルを示す活動リボンを有する活動タイムラインを表示することと
を更に含むことを特徴とする付記２６に記載の方法。
【０２０５】
付記２８．  所定の期間に亘って対象生体の活動レベルを追跡することと、
前記活動リボンを表示することと
を連続して含むことを特徴とする付記２７に記載の方法。
【０２０６】
付記２９．  前記活動リボンにコメント吹き出しを表示することを更に含むことを特徴とする付記２８に記載の方法。
【０２０７】
付記３０．  第２の活動レベルが予測される場合、第１の活動レベルを示すために前記活動リボン内にサブ活動要素を表示することを更に含むことを特徴とする付記２８又は２９に記載の方法。
【０２０８】
付記３１．  複数の選択可能なグラフィカルユーザインタフェース要素は、個人情報ストリームに基づいて服用タイムラインの表示に対応する少なくとも１つのグラフィカルユーザインタフェース要素を有し、
前記方法は、
前記モバイルデバイスによって、前記少なくとも１つのグラフィカルユーザインタフェース要素を選択する入力を受けることと、
前記少なくとも１つのグラフィカルユーザインタフェース要素を選択する入力に応じて、グラフィカルユーザインタフェース画面内に、所定の期間に亘って対象生体によって薬が摂取されたときを示す服用タイムラインを表示することと
を更に含むことを特徴とする付記２４〜３０のいずれかに記載の方法。
【０２０９】
付記３２．  所定の期間に亘って前記服用タイムラインを追跡することと、
服用事象を表示することと
を連続して含むことを特徴とする付記３１に記載の方法。
【０２１０】
付記３３．  前記服用タイムラインにコメント吹き出しを表示することを更に含むことを特徴とする付記３２又は３３に記載の方法。
【０２１１】
付記３４．  複数の選択可能なグラフィカルユーザインタフェース要素は、個人情報ストリームに基づいて対象生体の身体活動傾向の表示に対応する少なくとも１つのグラフィカルユーザインタフェース要素を有し、
前記方法は、
前記モバイルデバイスによって、少なくとも１つのグラフィカルユーザインタフェース要素を選択する入力を受けることと、
前記少なくとも１つのグラフィカルユーザインタフェース要素を選択する入力に応じて、グラフィカルユーザインタフェース画面内に、第１の所定の期間に亘る身体活動レベルを有して第２の所定の期間に及ぶ身体活動傾向タイムラインを表示することと
を更に含むことを特徴とする付記２４〜３３のいずれかに記載の方法。
【０２１２】
付記３５．  前記第１の所定の期間は１日２４時間であり、前記第２の所定の期間は１週間であり、
前記方法は、
２４時間に亘る前記身体活動レベルを示すために棒グラフ要素を表示することと、
１週間に亘る更なる２４時間毎の対応する身体活動レベルを示す更なる棒グラフ要素を、１週間に亘って更なる２４時間毎に表示することと
を更に含むことを特徴とする付記３４に記載の方法。
【０２１３】
付記３６．  前記第１の所定の期間は１日２４時間であり、前記第２の所定の期間は１週間であり、
前記方法は、
２４時間に亘って対象生体が歩いた歩数を示すためにアイコン要素を表示することと、
１週間に亘って更なる２４時間毎に対象生体が歩いた対応する歩数を示すアイコン要素を、１週間に亘って更なる２４時間毎に表示することと
を更に含むことを特徴とする付記３４又は３５に記載の方法。
【０２１４】
付記３７．  複数の選択可能なグラフィカルユーザインタフェース要素は、個人情報ストリームに基づいて対象生体の服用傾向の表示に対応する少なくとも１つのグラフィカルユーザインタフェース要素を有し、
前記方法は、
前記モバイルデバイスによって、少なくとも１つのグラフィカルユーザインタフェース要素を選択する入力を受けることと、
前記少なくとも１つのグラフィカルユーザインタフェース要素を選択する入力に応じて、グラフィカルユーザインタフェース画面内に、対象生体によって摂取された薬の数と第１の所定の期間に亘る薬の摂取に関連するタイムスタンプとを有して第２の所定の期間に及ぶ服用傾向タイムラインを表示することと
を更に含むことを特徴とする付記２４〜３６のいずれかに記載の方法。
【０２１５】
付記３８．  前記第１の所定の期間は１日２４時間であり、前記第２の所定の期間は１週間であり、
前記方法は、
２４時間に亘って対象生体によって薬が摂取されたときを示すために要素を表示することと、
１週間に亘って更なる２４時間毎に対象生体によって薬が摂取された対応するときを示す更なる要素を、１週間に亘って更なる２４時間毎に表示することと
を更に含むことを特徴とする付記３７に記載の方法。
【０２１６】
付記３９．  前記要素に同時に摂取された薬の数を表示すること、及び／又は前記要素にメモを表示することを更に含むことを特徴とする付記３８に記載の方法。
【０２１７】
付記４０．  複数の選択可能なグラフィカルユーザインタフェース要素は、前記受信器の構成、初期設定、管理及び交換の表示に対応する少なくとも１つのグラフィカルユーザインタフェース要素を有し、
前記方法は、
前記モバイルデバイスによって、少なくとも１つのグラフィカルユーザインタフェース要素を選択する入力を受けることと、
前記少なくとも１つのグラフィカルユーザインタフェース要素を選択する入力に応じて、グラフィカルユーザインタフェース画面内にボタン要素を表示することと、
及び／又は、
前記モバイルデバイスによって、前記受信器、モバイルデバイス及びバックエンドコンピュータ処理システムの動作の試験に関連する前記ボタン要素に関連した第２の入力を受けることと、
該第２の入力に応じて、前記受信器、モバイルデバイス及びバックエンドコンピュータ処理システムの動作を試験することと、
及び／又は、
前記モバイルデバイスによって、前記受信器の交換に関連するボタン要素と関連した第２の入力を受けることと、
該第２の入力に応じて、前記受信器を交換することと、
及び／又は、
前記複数の選択可能なグラフィカルユーザインタフェース要素は、招待、及び被招待者と共有されるデータの制御等のデータ共有機能の管理及び制御に対応する少なくとも１つのグラフィカルユーザインタフェース要素を有し、
前記方法は、
前記モバイルデバイスによって、前記少なくとも１つのグラフィカルユーザインタフェース要素を選択する入力を受けることと、
前記少なくとも１つのグラフィカルユーザインタフェース要素を選択する入力に応じて、前記グラフィカルユーザインタフェース画面内に、少なくとも１人の被招待者に関連した要素と、前記少なくとも１人の被招待者に関連して活動タイムライン要素、活動傾向チャート要素及び服用タイムライン要素のうちのいずれかに対応する少なくとも１つの選択要素とを有する管理共有画面を表示することと、
前記モバイルデバイスによって、前記被招待者に関連した前記要素のうちの１つの選択に関連した第２の入力を受けることと、
前記被招待者に関連した要素のうちの１つを選択する第２の入力に応じて、選択された要素に関連したデータを共有するために被招待者に招待案内を送信することと
を更に含むことを特徴とする付記２４〜３９のいずれかに記載の方法。
【０２１８】
付記４１．  前記モバイルデバイスによって、前記被招待者から、対象生体に関連した個人コードを含む通信を受信することと、
前記個人コードが受信されて、前記バックエンドコンピュータ処理システムによって確認された場合にのみ、選択された要素に関連したデータの共有を可能にすることと
を更に含むことを特徴とする付記２４〜４０のいずれかに記載の方法。
【０２１９】
付記４２．  摂取可能なデバイスから通信を受信することを更に含むことを特徴とする付記２４〜４１のいずれかに記載の方法。
【０２２０】
付記４３．  個人の薬に関連した複数の引き裂き片を含むシートと、
前記個人の薬を含むために前記シートに連結された少なくとも１つのブリスターパックと、
ミシン目に沿って引き裂くことによって、前記シートから少なくとも１つのブリスターパックの取外しを可能にするために前記シートに設けられた前記ミシン目と
を備えていることを特徴とするアドヒアランスパッケージ。
【０２２１】
付記４４．  前記複数の引き裂き片のうちの少なくとも１つは、期間を少なくとも１つの引き裂き片と相互に関連付けるために印を有しており、
及び／又は、
複数の引き裂き片のうちの少なくとも１つは、個人の用量を少なくとも１つの引き裂き片と相互に関連付けるために印を有しており、
及び／又は、
対象生体に関連付けられ、摂取可能デバイスから通信を受信するように構成されており、モバイルデバイスと無線通信するために通信回路を備えた少なくとも１つの受信器を備えており、
及び／又は、
前記少なくとも１つの受信器と通信するように構成されたモバイルデバイスを備えており、
及び／又は、
少なくとも１つの摂取可能デバイスを更に備えていることを特徴とする付記４３のアドヒアランスパッケージ。
【０２２２】
「モバイルデバイス」という用語は一般的に、第１のデバイスから第１の通信を受信し、第２のデバイスへ第２の通信を送信するために通信ノードとして構成され得る任意のデバイスを参照していると理解される。一態様において、モバイルデバイスは、所与の組のデザインパラメータ又は性能制約に所望されるように、ハードウェア、ソフトウェア、又はこれらの任意の組み合わせとして実装される様々な物理的要素又は論理的要素を備えることができる。様々な態様において、物理要素又は論理要素は、１以上の通信媒体によって接続されてもよい。例えば、通信媒体は、所与の実装に望まれているように、有線通信媒体、無線通信媒体又は両方の組み合わせを備えてもよい。
【０２２３】
様々な態様において、モバイルデバイス、或いはデバイスの物理的要素又は論理的要素等のモバイルデバイスの要素は、パーソナルデジタルアシスタント（ＰＤＡ）、ラップトップコンピュータ、ウルトララップトップコンピュータ、複合型セルラー電話／ＰＤＡ、スマートフォン、モバイルユニット、登録者ステーション、ユーザ端末、携帯用コンピュータ、ハンドヘルドコンピュータ、パームトップコンピュータ、着用可能コンピュータ、メディアプレーヤ、メッセージングデバイス、データ通信デバイス、ラップトップコンピュータ、ウルトララップトップコンピュータ、携帯用コンピュータ、ハンドヘルドコンピュータ、パームトップコンピュータ、タブレットコンピュータ、電子書籍リーダ、セルラー電話、ポケットベル、一方向ポケットベル、双方向ポケットベル、メッセージングデバイス、データ通信デバイス、リストコンピュータ、フィンガーコンピュータ、リングコンピュータ、めがねコンピュータ、ベルトクリップコンピュータ、アームバンドコンピュータ、靴コンピュータ、衣服コンピュータ及び他の着用可能コンピュータ等の人によって着用されるように配置されるコンピュータ、メディアコントローラ又はマルチメディアコントローラ（例えば、音声及び／又は視覚の遠隔制御デバイス）、生理的データ等のデータの受信が可能であり、データの伝送、表示、記憶及び／又は処理等、他のデータ関連機能を実施する、消費者デバイス及びホームデバイス及び装置等の高度デバイス／装置、冷蔵庫、体重計、トイレ、テレビ、ドア枠作動モニタ、ベッドサイドモニタ、ベッドスケール、移動電話、携帯用電話、めがね、補聴器、ヘッドウェア（例えば、帽子、キャップ、バイザー、ヘルメット、ゴーグル、イアマフ、ヘッドバンド）、リストバンド、宝石、家具、及びモバイルデバイスを実装するための適切な物理的要素及び／又は論理的要素を組み入れ、第１のデバイスから第１の通信を受信し、第２のデバイスで第２の通信を送信するように構成され得る任意の適切な物体を含むが、これらに限定されず、任意の適切なデバイスに組み入れられてもよい。
【０２２４】
本開示全体で使用される「薬」又は「用量」という用語は、制限することなく、ＩＥＭと共に服用される、様々な形態の摂取可能、吸入可能、注射可能、吸収可能、又はその他消費可能な薬及び／又は例えば錠剤、カプセル、ジェルカプセル、プラセボ、外部カプセル化担体又は賦形剤、ハーブ、市販（ＯＴＣ）薬物、補助剤、処方限定薬等、そのための担体を含むことができる。そのような担体は、「Ｐｈａｒｍａｃｅｕｔｉｃａｌ  Ｄｏｓａｇｅｓ  Ｄｅｌｉｖｅｒｙ  Ｓｙｓｔｅｍ」を発明の名称とする、共同出願の２０１０年２月１１日提出の米国特許出願第１２／６７３１５０号明細書に記載され、その全体を参照により組み入れる。
【０２２５】
また、本開示に記載されているように、撮像デバイス（例えば、デジタルカメラ）を組み入れるモバイルデバイスは、ＩＥＭデバイス、薬剤、薬剤の容器等の画像を撮像するために使用されてもよいことも理解される。画像が撮像された後、画像は、薬剤を服用している患者、薬剤自体、パッケージの有効期限日等の情報を確認するために使用され得る。デジタル的に撮像された画像は、記憶、圧縮、ローカルエリアネットワーク及びワイドエリアネットワーク（インターネット等）を介して伝送され得る。
【０２２６】
「一態様」又は「態様」への任意の参照は、その態様に関係して記載される特定の特徴、構造又は特質が少なくとも１つの態様に含まれることに注目すべきである。このため、本明細書全体の様々な場所で「一態様における」又は「態様における」という用語の出現は、必ずしも全て同じ態様を参照していることにはならない。更に、特定の特徴、構造又は特質が、１以上の態様において任意の適切な方法で組み合わせられてもよい。
【０２２７】
ある態様は、「連結」及び「接続」という表現をそれらの派生物と共に使用して記載されてもよい。これらの用語は、相互に同義語と見なされないことを理解されたい。例えば、ある態様は、２以上の要素が相互に直接物理的又は電気的接触状態にあることを示すために、「接続」という用語を使用して記載される場合がある。別の例において、ある態様は、２以上の要素が直接物理的又は電気的接触状態にあることを示すために、「連結」という用語を使用して記載される場合がある。ただし、「連結」という用語は、２以上の要素が相互に直接接触状態にはないが、相互に協働又は相互作用することを意味してもよい。
【０２２８】
本明細書には態様のある特徴を記載したが、当業者には多くの調整、置換、変更及び均等物が想起される。従って、添付の特許請求の範囲は、態様の真の趣旨の範囲内に含まれるようなこのような調整及び変更を全て網羅することを目的とすることが理解される。
【０２２９】
著作権宣言
本特許文書の開示の一部は、著作権及び商標の請求がなされる内容を含む。著作権及び商標の所有者は、特許商標庁の特許出願書類及び記録に表現される場合、特許文書又は特許開示に関しては何人による完全な複写にも異存はないが、それ以外全ての他の著作権及び商標権利を保有する。
【図１】
0005865507.tif 000003
【図２】
0005865507.tif 000004
【図３】
0005865507.tif 000005
【図４】
0005865507.tif 000006
【図５】
0005865507.tif 000007
【図６】
0005865507.tif 000008
【図７】
0005865507.tif 000009
【図８】
0005865507.tif 000010
【図９】
0005865507.tif 000011
【図１０】
0005865507.tif 000012
【図１１】
0005865507.tif 000013
【図１２】
0005865507.tif 000014
【図１３】
0005865507.tif 000015
【図１４】
0005865507.tif 000016
【図１５】
0005865507.tif 000017
【図１６】
0005865507.tif 000018
【図１７】
0005865507.tif 000019
【図１８】
0005865507.tif 000020
【図１９】
0005865507.tif 000021
【図２０】
0005865507.tif 000022
【図２１】
0005865507.tif 000023
【図２２】
0005865507.tif 000024
【図２３】
0005865507.tif 000025
【図２４】
0005865507.tif 000026
【図２５】
0005865507.tif 000027
【図２６】
0005865507.tif 000028
【図２７】
0005865507.tif 000029
【図２８】
0005865507.tif 000030
【図２９】
0005865507.tif 000031
【図３０】
0005865507.tif 000032
【図３１】
0005865507.tif 000033
【図３２】
0005865507.tif 000034
【図３３】
0005865507.tif 000035
【図３４】
0005865507.tif 000036
【図３５】
0005865507.tif 000037
【図３６】
0005865507.tif 000038
【図３７】
0005865507.tif 000039
【図３８】
0005865507.tif 000040
【図３９】
0005865507.tif 000041
【図４０】
0005865507.tif 000042
【図４１】
0005865507.tif 000043
【図４２】
0005865507.tif 000044
【図４３】
0005865507.tif 000045
【図４４】
0005865507.tif 000046
【図４５】
0005865507.tif 000047
【図４６】
0005865507.tif 000048
【図４７】
0005865507.tif 000049
【図４８】
0005865507.tif 000050
【図４９】
0005865507.tif 000051
【図５０】
0005865507.tif 000052
【図５１】
0005865507.tif 000053
【図５２】
0005865507.tif 000054
【図５３】
0005865507.tif 000055
【図５４】
0005865507.tif 000056
【図５５】
0005865507.tif 000057
【図５６】
0005865507.tif 000058
【図５７】
0005865507.tif 000059
【図５８】
0005865507.tif 000060
【図５９】
0005865507.tif 000061
【図６０】
0005865507.tif 000062
【図６１】
0005865507.tif 000063
【図６２】
0005865507.tif 000064
【図６３】
0005865507.tif 000065
【図６４】
0005865507.tif 000066
【図６５】
0005865507.tif 000067
【図６６】
0005865507.tif 000068
【図６７】
0005865507.tif 000069
【図６８】
0005865507.tif 000070
【図６９】
0005865507.tif 000071
【図７０】
0005865507.tif 000072
【図７１】
0005865507.tif 000073
【図７２】
0005865507.tif 000074
【図７３】
0005865507.tif 000075
【図７４】
0005865507.tif 000076
【図７５】
0005865507.tif 000077
【図７６】
0005865507.tif 000078
【図７７】
0005865507.tif 000079
【図７８】
0005865507.tif 000080
【図７９】
0005865507.tif 000081
【図８０】
0005865507.tif 000082
【図８１】
0005865507.tif 000083
【図８２】
0005865507.tif 000084
【図８３】
0005865507.tif 000085
【図８４】
0005865507.tif 000086
【図８５】
0005865507.tif 000087
【図８６】
0005865507.tif 000088
【図８７】
0005865507.tif 000089
【図８８】
0005865507.tif 000090
【図８９】
0005865507.tif 000091
【図９０】
0005865507.tif 000092
【図９１】
0005865507.tif 000093
【図９２】
0005865507.tif 000094
【図９３】
0005865507.tif 000095
【図９４】
0005865507.tif 000096
【図９５】
0005865507.tif 000097
【図９６】
0005865507.tif 000098
【図９７】
0005865507.tif 000099
【図９８】
0005865507.tif 000100
【図９９】
0005865507.tif 000101
【図１００】
0005865507.tif 000102
【図１０１】
0005865507.tif 000103
【図１０２】
0005865507.tif 000104
【図１０３】
0005865507.tif 000105
【図１０４】
0005865507.tif 000106
【図１０５】
0005865507.tif 000107
【図１０６】
0005865507.tif 000108
【図１０７】
0005865507.tif 000109
【図１０８】
0005865507.tif 000110
【図１０９】
0005865507.tif 000111
【図１１０】
0005865507.tif 000112
【図１１１】
0005865507.tif 000113
【図１１２】
0005865507.tif 000114
【図１１３】
0005865507.tif 000115
【図１１４】
0005865507.tif 000116
【図１１５】
0005865507.tif 000117
【図１１６】
0005865507.tif 000118
【図１１７】
0005865507.tif 000119
【図１１８】
0005865507.tif 000120
【図１１９】
0005865507.tif 000121
【図１２０】
0005865507.tif 000122
【図１２１】
0005865507.tif 000123
【図１２２】
0005865507.tif 000124
【図１２３】
0005865507.tif 000125
【図１２４】
0005865507.tif 000126
【図１２５】
0005865507.tif 000127
【図１２６】
0005865507.tif 000128
【図１２７】
0005865507.tif 000129
【図１２８】
0005865507.tif 000130
【図１２９】
0005865507.tif 000131
【図１３０】
0005865507.tif 000132
【図１３１】
0005865507.tif 000133
【図１３２】
0005865507.tif 000134
【図１３３】
0005865507.tif 000135
【図１３４】
0005865507.tif 000136
【図１３５】
0005865507.tif 000137